(57)【要約】  無線受信装置（５）は、無線送信装置（１）へ送信した第１の受信結果確認情報と、その後に無線送信装置（１）から受信した信号とに基づいて、無線送信装置（１）が前記第１の受信結果確認情報を誤って受信したか否かを判定し、その判定結果に応じて、無線送信装置（１）へ送信する第２の受信結果確認情報の送信条件を制御する。これにより、受信結果確認情報の伝送特性が改善され、その誤判定の発生率を低減することができる。
2009034606.tif 000002
【特許請求の範囲】
【請求項１】
無線送信装置と、前記無線送信装置から受信した信号に誤りが有るか無いかを示す受信結果確認情報を前記無線送信装置へ送信する無線受信装置とをそなえた無線通信システムの通信制御方法であって、
前記無線受信装置は、
前記無線送信装置へ送信した第１の受信結果確認情報と、その後に前記無線送信装置から受信した信号とに基づいて、前記無線送信装置が前記第１の受信結果確認情報を誤って受信したか否かを判定し、
その判定結果に応じて、前記無線送信装置へ送信する第２の受信結果確認情報の送信条件を制御する、
ことを特徴とする、無線通信システムの通信制御方法。
【請求項２】
前記無線受信装置は、
前記無線送信装置が前記第１の受信結果確認情報を誤って受信したと判定すると、
前記第２の受信結果確認情報の送信電力を増加制御する、
ことを特徴とする、請求項１記載の無線通信システムの通信制御方法。
【請求項３】
前記無線受信装置は、
前記無線送信装置が前記第１の受信結果確認情報を誤って受信したと判定すると、
前記第２の受信結果確認情報の送信方法を、その伝送特性が改善される送信方法に変更する、
ことを特徴とする、請求項１記載の無線通信システムの通信制御方法。
【請求項４】
前記無線受信装置は、
前記第２の受信結果確認情報の多値変調方式を多値数の小さい変調方式に変更する、
ことを特徴とする、請求項３記載の無線通信システムの制御方法。
【請求項５】
前記無線受信装置は、
前記第２の受信結果確認情報の符号化率を低下する方向に制御する、
ことを特徴とする、請求項３記載の無線通信システムの制御方法。
【請求項６】
前記無線受信装置は、
前記判定結果を前記無線送信装置へ通知する、
ことを特徴とする、請求項１記載の無線通信システムの通信制御方法。
【請求項７】
前記無線受信装置は、
前記第２の受信結果確認情報の送信電力により他の無線受信装置による受信結果確認情報の送信に与える干渉に関する情報又は当該情報に基づく送信電力補正情報を前記無線送信装置から受信し、
前記干渉に関する情報又は前記送信電力補正情報に基づいて、前記第２の受信結果確認情報の送信電力を制御する、
ことを特徴とする、請求項２記載の無線通信システムの通信制御方法。
【請求項８】
前記無線受信装置は、
前記無線基地局から受信した信号を基に測定した無線回線特性情報、又は、当該無線回線特性情報を前記無線基地局に通知することにより前記無線基地局で求められ受信した送信電力補正情報に基づいて、前記第２の受信結果確認情報の送信電力を制御する、
ことを特徴とする、請求項２記載の無線通信システムの通信制御方法。
【請求項９】
前記無線受信装置は、
前記第１の受信結果確認情報を送信した際の第１の無線回線特性情報と、前記第２の受信結果確認情報を送信する際の第２の無線回線特性情報とを比較し、
その比較結果に基づいて、前記第２の受信結果確認情報の送信電力を制御する、
ことを特徴とする、請求項５記載の無線通信システムの通信制御方法。
【請求項１０】
前記無線受信装置は、
前記比較結果が無線回線特性の改善を示す場合には前記第２の無線回線特性情報に基づいて前記送信電力を制御し、
前記比較結果が無線回線特性の劣化を示す場合には前記第１の無線回線特性情報に基づいて前記送信電力を制御する、
ことを特徴とする、請求項９記載の無線通信システムの通信制御方法。
【請求項１１】
前記無線受信装置は、
前記無線送信装置が前記第１の受信結果確認情報を誤って受信したと判定すると、その後に前記無線基地局から受信した信号のそれぞれに対する前記第２の受信結果確認情報の送信電力を制御する、
ことを特徴とする、請求項２記載の無線通信システムの通信制御方法。
【請求項１２】
前記無線受信装置は、
前記無線送信装置が前記第１の受信結果確認情報を誤って受信したと判定すると、その後に前記無線基地局から受信した信号に誤りがある場合にのみ、当該信号に対する前記第２の受信結果確認情報の送信電力を制御する、
ことを特徴とする、請求項２記載の無線通信システムの通信制御方法。
【請求項１３】
前記無線受信装置は、
前記無線送信装置が前記第１の受信結果確認情報を誤って受信したと判定すると、前記受信結果確認情報以外の情報であって前記無線送信装置へ送信すべき情報の送信電力も制御する、
ことを特徴とする、請求項２記載の無線通信システムの通信制御方法。
【請求項１４】
前記無線受信装置は、
誤り無しを示す前記第１の受信結果確認情報を、前記無線送信装置が誤り有りを示す情報と誤って受信した、と判定した場合に、前記無線送信装置から再送されてきた信号の受信処理を停止する、
ことを特徴とする、請求項１記載の無線通信システムの通信制御方法。
【請求項１５】
前記無線受信装置は、
誤り有りを示す前記第２の受信結果確認情報と、誤り無しを示す前記第２の受信結果確認情報とで個別に前記送信電力を制御する、
ことを特徴とする、請求項１記載の無線通信システムの通信制御方法。
【請求項１６】
前記無線受信装置は、
前記送信電力が上限に達すると、前記第２の受信結果確認情報の送信方法を、その伝送特性が改善される送信方法に変更する、
ことを特徴とする、請求項２記載の無線通信システムの通信制御方法。
【請求項１７】
前記無線送信装置は、無線基地局であり、前記無線受信装置は、無線端末である、ことを特徴とする、請求項１記載の無線通信システムの通信制御方法。
【請求項１８】
前記無線送信装置は、無線端末であり、前記無線受信装置は、無線基地局である、ことを特徴とする、請求項１記載の無線通信システムの通信制御方法。
【請求項１９】
無線送信装置と、前記無線送信装置から受信した信号に誤りが有るか無いかを示す受信結果確認情報を前記無線送信装置へ送信する無線受信装置とをそなえた無線通信システムの前記無線受信装置であって、
前記無線送信装置へ送信した第１の受信結果確認情報と、その後に前記無線送信装置から受信した信号とに基づいて、前記無線送信装置が前記第１の受信結果確認情報を誤って受信したか否かを判定する判定手段と、
前記判定手段での判定結果に応じて、前記無線送信装置へ送信する第２の受信結果確認情報の送信条件を制御する制御手段と、
をそなえたことを特徴とする、無線通信システムの無線受信装置。
【請求項２０】
前記制御手段は、
前記判定手段にて、前記無線送信装置が前記第１の受信結果確認情報を誤って受信したと判定すると、前記第２の受信結果確認情報の送信電力を増加制御する、送信電力制御部を具備することを特徴とする、請求項１９記載の無線通信システムにおける無線受信装置。
【請求項２１】
前記制御手段は、
前記判定手段にて、前記無線送信装置が前記第１の受信結果確認情報を誤って受信したと判定すると、前記第２の受信結果確認情報の送信方法を、その伝送特性が改善される送信方法に変更する、送信方法制御部を具備することを特徴とする、請求項１９記載の無線通信システムの無線受信装置。
【請求項２２】
前記送信方法制御部は、
前記第２の受信結果確認情報の多値変調方式を多値数の小さい変調方式に変更する、
ことを特徴とする、請求項２１記載の無線通信システムの無線受信装置。
【請求項２３】
前記送信方法制御部は、
前記第２の受信結果確認情報の符号化率を低下する方向に制御する、
ことを特徴とする、請求項２１記載の無線通信システムの無線受信装置。
【請求項２４】
前記制御手段は、
前記判定手段による判定結果を前記無線送信装置へ通知する通知手段を具備することを特徴とする、請求項１９記載の無線通信システムの無線受信装置。
【請求項２５】
前記送信電力制御部は、
前記無線装置から受信した、前記第２の受信結果確認情報の送信電力により他の無線受信装置による受信結果確認情報の送信に与える干渉に関する情報又は当該情報に基づく送信電力補正情報に基づいて、前記第２の受信結果確認情報の送信電力を制御する、
ことを特徴とする、請求項２０記載の無線通信システムの無線受信装置。
【請求項２６】
前記送信電力制御部は、
前記無線基地局から受信した信号を基に測定した無線回線特性情報、又は、当該無線回線特性情報を前記無線基地局に通知することにより前記無線基地局で求められ受信した送信電力補正情報に基づいて、前記第２の受信結果確認情報の送信電力を制御する、
ことを特徴とする、請求項２０記載の無線通信システムの無線受信装置。
【請求項２７】
前記送信電力制御部は、
前記第１の受信結果確認情報を送信した際の第１の無線回線特性情報と、前記第２の受信結果確認情報を送信する際の第２の無線回線特性情報との比較結果に基づいて、前記第２の受信結果確認情報の送信電力を制御する、
ことを特徴とする、請求項２６記載の無線通信システムの無線受信装置。
【請求項２８】
前記送信電力制御部は、
前記比較結果が無線回線特性の改善を示す場合には前記第２の無線回線特性情報に基づいて前記送信電力を制御し、
前記比較結果が無線回線特性の劣化を示す場合には前記第１の無線回線特性情報に基づいて前記送信電力を制御する、
ことを特徴とする、請求項２７記載の無線通信システムの無線受信装置。
【請求項２９】
前記送信電力制御部は、
前記判定手段にて、前記無線送信装置が前記第１の受信結果確認情報を誤って受信したと判定すると、その後に前記無線基地局から受信した信号のそれぞれに対する前記第２の受信結果確認情報の送信電力を制御する、
ことを特徴とする、請求項２０記載の無線通信システムの無線受信装置。
【請求項３０】
前記送信電力制御部は、
前記判定手段にて、前記無線送信装置が前記第１の受信結果確認情報を誤って受信したと判定すると、その後に前記無線基地局から受信した信号に誤りがある場合にのみ、当該信号に対する前記第２の受信結果確認情報の送信電力を制御する、
ことを特徴とする、請求項２０記載の無線通信システムの無線受信装置。
【請求項３１】
前記送信電力制御部は、
前記判定手段にて、前記無線送信装置が前記第１の受信結果確認情報を誤って受信したと判定すると、前記受信結果確認情報以外の他の情報を前記無線送信装置へ送信する際の送信電力も制御する、
ことを特徴とする、請求項２０記載の無線通信システムの無線受信装置。
【請求項３２】
前記制御手段は、
前記判定手段が、誤り無しを示す前記第１の受信結果確認情報を、前記無線送信装置が誤り有りを示す情報と誤って受信した、と判定した場合に、前記無線送信装置から再送されてきた信号の受信処理を停止する受信制御手段を具備することを特徴とする、請求項１９記載の無線通信システムの無線受信装置。
【請求項３３】
前記送信電力制御部は、
誤り有りを示す前記第２の受信結果確認情報と、誤り無しを示す前記第２の受信結果確認情報とで個別に前記送信電力を制御する、
ことを特徴とする、請求項２０記載の無線通信システムの無線受信装置。
【請求項３４】
前記制御手段は、
前記送信電力が上限に達すると、前記第２の受信結果確認情報の送信方法を、その伝送特性が改善される送信方法に変更する、送信方法制御部を具備することを特徴とする、請求項１９記載の無線通信システムの無線受信装置。
【発明の詳細な説明】
【技術分野】
【０００１】
本発明は、無線通信システムの通信制御方法および無線受信装置に関する。本発明は、例えば、受信データに対してＡＣＫ（誤り無し）／ＮＡＣＫ（誤り有り）信号を送信側に返信することが規定されているシステムに用いると好適である。
【背景技術】
【０００２】
（１）再送制御とＡＣＫ／ＮＡＣＫ送信電力制御
現在、３ＧＰＰ（3rd Generation Partnership Project）において、仕様検討が行なわれている次世代移動通システムであるＬＴＥ（Long Term Evolution）システムや、日本においてサービスが開始されたＨＳＤＰＡ（High Speed Downlink Packet Access）システム、今後サービスの開始が予想されるＨＳＵＰＡ（High Speed Uplink Packet Access）システムでは、パケットの再送制御機能が規定されている。【０００３】
以下に、再送制御について説明する。
送信側（例えば、無線基地局）では、送信データにＣＲＣを付加し符号化して変調を施した後、無線周波数に変換（アップコンバート）し、アンテナから受信側に対して送信する。【０００４】
受信側（例えば、無線端末）では、アンテナで受信した信号を復調し、その復調結果を用いて復号を行なう。そして、その復号結果のＣＲＣを確認し、誤りの有無を判別する。【０００５】
判別の結果、受信信号に誤りがない場合は、誤りなく受信できたことを示す信号であるＡＣＫ（Acknowledgement）信号を受信結果確認情報として生成し、送信側に対して当該ＡＣＫ信号を返送する。一方、誤りがある場合は、誤りを含んで受信されたことを示す信号であるＮＡＣＫ（Not Acknowledgement）信号を受信結果確認情報として生成し、これを送信側に返送する。なお、ＮＡＣＫ信号は、ＮＡＫ信号と記述される場合もある。【０００６】
送信側では、受信信号を復調、復号した後、前記受信結果確認情報（ＡＣＫ／ＮＡＣＫ信号）を抽出する。ＡＣＫ信号（以下、単に「ＡＣＫ」とも表記する）を受信、抽出した場合は、新たなデータを受信側に送信し、ＮＡＣＫ信号（以下、単に「ＮＡＣＫ」とも表記する）を受信、抽出した場合は、対応する送信済みのデータを受信側に対して再送する。以後、誤りなく伝送できるまで、再送を繰り返す。
以上の再送制御により、データを誤りなく伝送することが可能となる。【０００７】
なお、受信側は、送信側に対してＡＣＫ／ＮＡＣＫを送信する際の送信電力を制御することができる。例えば、送信側から送られた制御信号を基に、受信側で送信電力値を算出し、これを基に、送信信号（ＡＣＫ／ＮＡＣＫ信号）のゲイン調整や振幅調整等を行なうことにより、ＡＣＫ／ＮＡＣＫ送信電力を制御する。【０００８】
（２）ＨＳＤＰＡシステムにおける再送制御とＡＣＫ／ＮＡＣＫ送信電力制御
前記のＨＳＤＰＡシステムにおいても、再送制御機能が備えられる。
ＨＳＤＰＡシステムは、３ＧＰＰのＷ−ＣＤＭＡシステムの仕様Rel’99に対して、下り高速パケット伝送機能を実現した改良版であり、Rel’5として検討され仕様化された（後記の非特許文献１，２，３，４参照）。【０００９】
ＨＳＤＰＡシステム（図４３参照）では、無線基地局（Node B）（以下、ＢＳとも表記する）から無線端末（ＵＥ）への下り方向（ダウンリンク）のデータを伝送するためのチャネルであるＨＳ−ＤＳＣＨ（High Speed - Downlink Shared CHannel）と、それに付随したデータと制御信号（パイロット信号や送信電力制御（ＴＰＣ）信号等）とを伝送する下り個別物理チャネル（Ａ−ＤＰＣＨ：Associated - Dedicated Physical CHannel）と、ＵＥからＢＳへの上り方向（アップリンク）の上り個別物理チャネル（ＤＰＣＨ：Dedicated Physical CHannel）と、を用いて伝送を行なう。また、ＵＥからＢＳに対してもＤＰＣＨを用いてデータと制御信号（個別パイロット信号や送信電力制御（ＴＰＣ）信号等）とを伝送する（非特許文献１，２，３，４参照）【００１０】
なお、ＨＳ−ＤＳＣＨが付随したＤＰＣＨは、下りＡ−ＤＰＣＨと呼ばれ、ＨＳ−ＤＳＣＨが付随しない下りＤＰＣＨも存在する。また、ＤＰＣＨは、データを伝送する無線チャネルであるＤＰＤＣＨ（Dedicated Physical Data CHannel）と、制御信号を伝送する無線チャネルであるＤＰＣＣＨ（Dedicated Physical Control CHannel）とから構成される。また、前記ＡＣＫ／ＮＡＣＫ信号は、ＨＳ−ＤＰＣＣＨ（High Speed-Dedicated Physical Control CHannel）を用いて送信することができる。【００１１】
以下、ＨＳＤＰＡシステムにおける再送制御について説明する。
ＵＥがＢＳからＣＰＩＣＨ（Common Pilot Indicator CHannel）で伝送されるパイロット信号の受信電力を基に、無線回線特性（品質）の指標であるＣＱＩ（Channel Quality Indicator）を測定、算出し、ＨＳ−ＤＰＣＣＨを用いて返送する。【００１２】
それぞれのＵＥからのＣＱＩを受信したＢＳは、スケジューラで送信すべきＵＥを選択し、その送信方法（データサイズ、変調方式、符号化方法、プロセス番号等）を決定し、その情報と新規送信か再送かを示す指標とを含む制御信号を生成し、当該制御信号をＨＳ−ＳＣＣＨ（High Speed - Shared Control CHannel）にてＵＥに伝送する。【００１３】
続いて、ＢＳは、前記スケジューラで選択したＵＥに対して、前記決定した送信方法に従い送信するデータを選択し、このデータに対してＣＲＣを付加し、符号化し、変調し、拡散した後、無線周波数に変換し、アンテナから、ＨＳ−ＤＳＣＨにてＵＥへ送信する。このときのＨＳ−ＤＳＣＨ送信電力値は、下記の（１）式に示すように、ＣＰＩＣＨ送信電力値ＰCPICHに対して、一定の電力オフセット値Γと、ＣＱＩによって決められた電力オフセット値Δとを基にして算出した送信電力値とすることができる（後記の非特許文献４参照）。【００１４】
【数１】
2009034606.tif 000003
なお、（１）式において、ΓはＢＳの上位装置（例えば基地局制御装置（ＲＮＣ））から制御信号により与えられる値である。【００１５】
また、前述のＡＣＫ／ＮＡＣＫ信号は、ＵＥからＢＳに対して、ＨＳ−ＤＰＣＣＨを用いて伝送される。このとき、ＨＳ−ＤＳＣＨによって伝送されたデータに対して、再送制御が実施される。【００１６】
例えば、ＢＳは、送信データにＣＲＣを付加して符号化し、変調、拡散した後、周波数変換し、アンテナからＵＥに送信する。ＵＥでは、受信信号を、ベースバンド信号に変換し、逆拡散し復調した後、復号を行ない、ＣＲＣを確認し誤りの有無を確認する。【００１７】
誤りがない場合は、ＡＣＫ信号を生成し、誤りがある場合はＮＡＣＫ信号を生成する。このとき、ＡＣＫは＋１、ＮＡＣＫは−１とし、送信しない場合（ＤＴＸ）を０とした１ビットの制御信号として扱う。また、次表１に示すように、伝送特性の改善のために、符号化の際に、この制御信号を例えば１０回繰り返すことにより、１０ビットの信号とする。【００１８】
【表１】
2009034606.tif 000004
【００１９】
なお、上りデータ、ＴＰＣ及びパイロットについては、上りＤＰＣＨを用いて伝送される。このとき、上りＤＰＣＨの送信電力は、例えば、下りＡ−ＤＰＣＨで伝送されるパイロット信号を用いて、他セル及び自セルの干渉電力と信号電力の比であるＳＩＲが一定となるよう制御する。【００２０】
さらに、この上りＤＰＣＨ送信電力に対して、例えば３ｄＢを加算した電力を用いてＡＣＫ／ＮＡＣＫ送信を行なうＨＳ−ＤＰＣＣＨ送信電力制御を行なうことができる。【００２１】
また、ＡＣＫ信号は＋１であることから、基準となる送信電力よりも高い電力となり、ＮＡＣＫ信号は−１であることから、基準となる送信電力よりも低い電力となる。【００２２】
ＢＳでは、受信信号をベースバンド信号に変換し、逆拡散、復調した後、それぞれが軟判定信号であり、上記１０個の信号を加算し、加算結果が正である場合はＡＣＫと判断し、負である場合はＮＡＣＫと判断する。また、加算結果が０である場合は、ＤＴＸと判断する。なお、判断に際しては、フェージング等による受信電力の変動を考慮し、受信電力やパイロット受信電力を平均受信電力とし、ＡＣＫ／ＮＡＣＫ判定を実施するのが好ましい。【００２３】
上りデータについては、上りＤＰＣＨを用いて伝送される。このとき、上りＤＰＣＨの送信電力は、例えば、下りＡ−ＤＰＣＨで伝送されるＴＰＣ信号を用いて、他セル及び自セルの干渉電力と信号電力の比であるＳＩＲが一定となるよう制御する。正確な電力制御については後記の非特許文献４に記載されている。【００２４】
前述のように、上りＤＰＣＨは上りＤＰＤＣＨと上りＤＰＣＣＨで構成され、上りＤＰＤＣＨ送信電力は上りＤＰＣＣＨ送信電力によって、規定されている（非特許文献３，４参照）。【００２５】
【数２】
2009034606.tif 000005
ここで、βｃは、上位から与えられるゲインファクタであり、βhsは以下で規定されるゲインファクタである。【００２６】
【数３】
2009034606.tif 000006
（２）式を分かりやすくするため、式変形を行ない、以下の（５）式を得る。【００２７】
【数４】
2009034606.tif 000007
ここで、以下の（６），（７），（８）式による置き換えを行ない、（９）式を得る。【００２８】
【数５】
2009034606.tif 000008
ＨＳ−ＤＰＣＣＨで伝送されるＡＣＫ／ＮＡＣＫに注目するため以下の（１０）式による置換を実施する。【００２９】
【数６】
2009034606.tif 000009
【００３０】
（３）エンハンスドＨＳＤＰＡシステムにおける再送制御
３ＧＰＰにおいて、ＨＳＵＰＡ（High Speed Uplink Packet Access）やＦ−ＤＰＣＨ（Fractional - Dedicated Physical CHannel）とともに、ＨＳＤＰＡの改良版がRel6として検討され仕様化された（後記の非特許文献５，６，７，８参照）。【００３１】
この改良は、ＨＳＤＰＡシステムでのＡＣＫ／ＮＡＣＫの誤判定を低減するためのもので、例えば図４４に示すように、ＡＣＫ／ＮＡＣＫ信号の前にプレ（Ｐｒｅ）信号、後ろにポスト（Ｐｏｓｔ）信号を付加することで、ＡＣＫ／ＮＡＣＫの誤判定による障害の発生（詳細は後述する）を低減しようとするものである。【００３２】
ここで、プレ信号とポスト信号は、＋１と−１の組み合わせで、その加算結果が−３となるよう組み合わせた信号である。この信号を用いることにより、前述のように加算結果が正か負かのみでＡＣＫ／ＮＡＣＫを判断するのではなく、さらに、プレ／ポスト信号を用いてＡＣＫ／ＮＡＣＫの判断を行なうことにより、ＡＣＫ／ＮＡＣＫの判定精度を向上することができる（次表２参照）。【００３３】
【表２】
2009034606.tif 000010
【００３４】
（４）ＨＳＵＰＡシステム
ＨＳＵＰＡシステムは、上り高速パケット通信を実現するために検討されたシステムであり、従来の上りＤＰＣＨ（Dedicated Physical CHannel）をパケット化しかつ高速化したＥ−ＤＰＣＨ（Enhanced - Dedicated Physical CHannel）と、ＡＣＫ／ＮＡＣＫ伝送を行なうＥ−ＨＩＣＨ（Enhanced - HARQ Indicator CHannel）、及びＥ−ＡＧＣＨ（Enhanced - Absolute Grant CHannel）と、Ｅ−ＲＧＣＨ（Enhanced - Relative Grant CHannel）とを新設することで高速伝送を実現するものである。３ＧＰＰで検討され仕様化されている（非特許文献５，６，７，８参照）。【００３５】
（５）ＬＴＥシステム
ＬＴＥ（Long Term Evolution）システムは、次世代移動通信システムとして３ＧＰＰにおいて検討されているシステムであり、ＨＳＤＰＡシステムやＨＳＵＰＡシステムと同様に、パケット伝送を実施し、パケット伝送に対してＡＣＫ／ＮＡＣＫ伝送を実施するものである（後記の非特許文献９，１０，１１参照）。【００３６】
（６）その他の従来技術
なお、その他の従来技術として、下記の特許文献１及び２に記載された技術がある。
特許文献１には、無線通信ネットワークにおける基地局の送信電力を制御する方法として、第１の送信電力でもって電力制御コマンドを移動局に送信するステップと、第２の送信電力でもって非電力制御コマンド（レート制御コマンドや再送制御コマンド（ＡＣＫ／ＮＡＫ等））を前記移動局に送信するステップと、前記移動局が前記非電力制御コマンドに対して適切に応答したか否かの判定結果に基づいて、前記第１の送信電力を制御するステップとを実施することが記載されている。【００３７】
また、特許文献２には、通信データに対する応答信号を受信できなかった場合に、通信データの再受信の信頼性を向上させることを目的として、通信端末からの応答信号を受信できなかったと判断した場合に、その原因を判別し、通信データが通信端末へ到達せずに応答信号が送信さなかったと判断した場合に、通信データを送信する際の送信電力を増加制御することが記載されている。
【特許文献１】特表２００７−５０３１６９号公報
【特許文献２】特開２００６−２６２３５７号公報
【非特許文献１】3GPP TS25.211 V5.8.0
【非特許文献２】3GPP TS25.212 V5.10.0
【非特許文献３】3GPP TS25.213 V5.6.0
【非特許文献４】3GPP TS25.214 V5.11.0
【非特許文献５】3GPP TS25.211 V6.7.0
【非特許文献６】3GPP TS25.212 V6.10.0
【非特許文献７】3GPP TS25.213 V6.5.0
【非特許文献８】3GPP TS25.214 V6.11.0
【非特許文献９】3GPP TS36.211 V1.0.0
【非特許文献１０】3GPP TS36.212 V1.0.0
【非特許文献１１】3GPP TS36.213 V1.0.0
【非特許文献１２】R1-021334
【発明の開示】
【発明が解決しようとする課題】
【００３８】
上述のように、上りＤＰＣＨの送信電力値にオフセットを与えた送信電力値で、ＡＣＫ／ＮＡＣＫを伝送するＨＳ−ＤＰＣＣＨの送信電力制御を行なうことができるが、セル端や高速移動時では、ＡＣＫ／ＮＡＣＫの伝送特性が劣化し特性が劣化することが判明している（前記非特許文献１参照）。【００３９】
この特性劣化により、ＵＥからＢＳへの伝送に際して、次のような障害が発生する。
（ａ）ＵＥがＡＣＫを送信したにも関わらず、ＢＳがＮＡＣＫと判断した場合、ＢＳは再送処理を実施してしまう。既に誤りになしで伝送できているため、無駄な伝送が行なわれてしまう。【００４０】
（ｂ）ＵＥがＮＡＣＫを送信したにも関わらず、ＢＳがＡＣＫと判断した場合、ＢＳは新規送信を実施し、再送すべきデータが送信されず、データ欠落を生じてしまう。【００４１】
（ｃ）ＵＥがＡＣＫを送信したにも関わらず、ＢＳがＤＴＸと判断した場合、ＢＳはＵＥからの返送がないと判断し、再送処理を実施してしまう。（ｂ）と同様に、既に誤りになしで伝送できているため、無駄な伝送が行なわれてしまう。【００４２】
（ｄ）ＵＥがＮＡＣＫを送信したにも関わらず、ＢＳがＤＴＸと判断した場合、ＢＳはＵＥからの返送がないと判断し、再送処理を実施する。【００４３】
（ｅ）ＵＥがＤＴＸであるにも関わらず、ＢＳがＡＣＫと判断した場合、ＢＳは、新規送信を実施するため、データ欠落を生じてしまう。【００４４】
（ｆ）ＵＥがＤＴＸであるにも関わらず、ＢＳがＮＡＣＫと判断した場合は、ＢＳが、再送処理を実施してしまい、無駄な伝送が行なわれてしまう可能性がある。【００４５】
前記（ａ）〜（ｃ）の現象は、障害となってしまう。特に、（ｂ）の場合、データが欠落してしまうことから、大きな問題となる。なお、以降、（ａ）乃至（ｄ）をまとめてＡＣＫ／ＮＡＣＫ誤判定として記述する。（ｅ）及び（ｆ）の現象は、現状のＨＳＤＰＡシステムにおいて、ＡＣＫ／ＮＡＣＫ送信は、ＨＳ−ＤＳＣＨ送信タイミングに対して一定間隔で行なわれるため、生じない。ただし、ＡＣＫ／ＮＡＣＫ送信タイミングを一定としない場合には、（ｅ）及び（ｆ）の場合も、ＡＣＫ／ＮＡＣＫ誤判定の一つに含まれるものとする。【００４６】
上述の障害は、セル端や高速移動時におけるＡＣＫ／ＮＡＣＫ送信電力制御が適切に動作していないことが原因であることも判明している（前記非特許文献１２参照）。【００４７】
一方、エンハンスドＨＳＤＰＡシステムでは、プレ／ポスト信号をＡＣＫ／ＮＡＣＫに付加するから、付加しない場合に比して前記ＡＣＫ／ＮＡＣＫ誤判定の発生を低減することができるが、新たに、以下の２点が検討事項となる。【００４８】
（１）消費電力の増加
プレ／ポスト信号を付加しない本来の信号と比較して最大３倍の信号を送信するため、最大で３倍の送信電力が必要となる。ＵＥにおける消費電力の多くの部分を増幅器が占めているため、消費電力が増加する。また、そのために通話時間や待受時間が短縮するおそれがある。【００４９】
（２）上り干渉の増加
プレ／ポスト信号を付加しない本来の信号と比較して最大３倍の信号を送信するため、上り干渉が最大で単純に３倍となってしまう。よって、他のＵＥの伝送特性劣化が生じる。【００５０】
そこで、本発明の目的の一つは、ＡＣＫ／ＮＡＣＫ（受信結果確認情報）の伝送特性を改善することにある。なお、前記特許文献１及び２は、ＡＣＫ／ＮＡＣＫの伝送特性を改善する点について開示も示唆もしていない。
また、ＡＣＫ／ＮＡＣＫ誤判定の発生率を低減することも本発明の目的の一つである。
さらに、干渉電力を低く抑えることも本発明の目的の一つである。【００５１】
なお、前記目的に限らず、後述する発明を実施するための最良の形態に示す各構成により導かれる作用効果であって、従来の技術によっては得られない作用効果を奏することも本発明の他の目的の一つとして位置付けることができる。
【課題を解決するための手段】
【００５２】
前記目的を達成するために、本発明では、以下に示す「無線通信システムの通信制御方法および無線受信装置」を用いる。【００５３】
（１）即ち、本発明の無線通信システムの通信制御方法は、無線送信装置と、前記無線送信装置から受信した信号に誤りが有るか無いかを示す受信結果確認情報を前記無線送信装置へ送信する無線受信装置とをそなえた無線通信システムの通信制御方法であって、前記無線受信装置は、前記無線送信装置へ送信した第１の受信結果確認情報と、その後に前記無線送信装置から受信した信号とに基づいて、前記無線送信装置が前記第１の受信結果確認情報を誤って受信したか否かを判定し、その判定結果に応じて、前記無線送信装置へ送信する第２の受信結果確認情報の送信条件を制御する。【００５４】
（２）ここで、前記無線受信装置は、前記無線送信装置が前記第１の受信結果確認情報を誤って受信したと判定すると、前記第２の受信結果確認情報の送信電力を増加制御する、こととしてもよい。【００５５】
（３）また、前記無線受信装置は、前記無線送信装置が前記第１の受信結果確認情報を誤って受信したと判定すると、前記第２の受信結果確認情報の送信方法を、その伝送特性が改善される送信方法に変更する、こととしてもよい。【００５６】
（４）さらに、前記無線受信装置は、前記第２の受信結果確認情報の多値変調方式を多値数の小さい変調方式に変更する、こととしてもよい。【００５７】
（５）また、前記無線受信装置は、前記第２の受信結果確認情報の符号化率を低下する方向に制御する、こととしてもよい。【００５８】
（６）さらに、前記無線受信装置は、前記判定結果を前記無線送信装置へ通知する、こととしてもよい。【００５９】
（７）また、前記無線受信装置は、前記第２の受信結果確認情報の送信電力により他の無線受信装置による受信結果確認情報の送信に与える干渉に関する情報又は当該情報に基づく送信電力補正情報を前記無線送信装置から受信し、前記干渉に関する情報又は前記送信電力補正情報に基づいて、前記第２の受信結果確認情報の送信電力を制御する、こととしてもよい。【００６０】
（８）さらに、前記無線受信装置は、前記無線基地局から受信した信号を基に測定した無線回線特性情報、又は、当該無線回線特性情報を前記無線基地局に通知することにより前記無線基地局で求められ受信した送信電力補正情報に基づいて、前記第２の受信結果確認情報の送信電力を制御する、こととしてもよい。【００６１】
（９）また、前記無線受信装置は、前記第１の受信結果確認情報を送信した際の第１の無線回線特性情報と、前記第２の受信結果確認情報を送信する際の第２の無線回線特性情報とを比較し、その比較結果に基づいて、前記第２の受信結果確認情報の送信電力を制御する、こととしてもよい。【００６２】
（１０）さらに、前記無線受信装置は、前記比較結果が無線回線特性の改善を示す場合には前記第２の無線回線特性情報に基づいて前記送信電力を制御し、前記比較結果が無線回線特性の劣化を示す場合には前記第１の無線回線特性情報に基づいて前記送信電力を制御する、こととしてもよい。【００６３】
（１１）また、前記無線受信装置は、前記無線送信装置が前記第１の受信結果確認情報を誤って受信したと判定すると、その後に前記無線基地局から受信した信号のそれぞれに対する前記第２の受信結果確認情報の送信電力を制御する、こととしてもよい。【００６４】
（１２）さらに、前記無線受信装置は、前記無線送信装置が前記第１の受信結果確認情報を誤って受信したと判定すると、その後に前記無線基地局から受信した信号に誤りがある場合にのみ、当該信号に対する前記第２の受信結果確認情報の送信電力を制御する、こととしてもよい。【００６５】
（１３）また、前記無線受信装置は、前記無線送信装置が前記第１の受信結果確認情報を誤って受信したと判定すると、前記受信結果確認情報以外の情報であって前記無線送信装置へ送信すべき情報の送信電力も制御する、こととしてもよい。【００６６】
（１４）さらに、前記無線受信装置は、誤り無しを示す前記第１の受信結果確認情報を、前記無線送信装置が誤り有りを示す情報と誤って受信した、と判定した場合に、前記無線送信装置から再送されてきた信号の受信処理を停止する、こととしてもよい。【００６７】
（１５）また、前記無線受信装置は、誤り有りを示す前記第２の受信結果確認情報と、誤り無しを示す前記第２の受信結果確認情報とで個別に前記送信電力を制御する、こととしてもよい。【００６８】
（１６）さらに、前記無線受信装置は、前記送信電力が上限に達すると、前記第２の受信結果確認情報の送信方法を、その伝送特性が改善される送信方法に変更する、こととしてもよい。【００６９】
（１７）なお、前記無線送信装置は、無線基地局であり、前記無線受信装置は、無線端末である、こととしてもよい。【００７０】
（１８）逆に、前記無線送信装置は、無線端末であり、前記無線受信装置は、無線基地局であってもよい。【００７１】
（１９）また、本発明の無線通信システムの無線受信装置は、無線送信装置と、前記無線送信装置から受信した信号に誤りが有るか無いかを示す受信結果確認情報を前記無線送信装置へ送信する無線受信装置とをそなえた無線通信システムの前記無線受信装置であって、前記無線送信装置へ送信した第１の受信結果確認情報と、その後に前記無線送信装置から受信した信号とに基づいて、前記無線送信装置が前記第１の受信結果確認情報を誤って受信したか否かを判定する判定手段と、前記判定手段での判定結果に応じて、前記無線送信装置へ送信する第２の受信結果確認情報の送信条件を制御する制御手段と、をそなえる。【００７２】
（２０）ここで、前記制御手段は、前記判定手段にて、前記無線送信装置が前記第１の受信結果確認情報を誤って受信したと判定すると、前記第２の受信結果確認情報の送信電力を増加制御する、送信電力制御部を具備していてもよい。【００７３】
（２１）また、前記制御手段は、前記判定手段にて、前記無線送信装置が前記第１の受信結果確認情報を誤って受信したと判定すると、前記第２の受信結果確認情報の送信方法を、その伝送特性が改善される送信方法に変更する、送信方法制御部を具備していてもよい。【００７４】
（２２）さらに、前記送信方法制御部は、前記第２の受信結果確認情報の多値変調方式を多値数の小さい変調方式に変更してもよい。【００７５】
（２３）また、前記送信方法制御部は、前記第２の受信結果確認情報の符号化率を低下する方向に制御してもよい。【００７６】
（２４）さらに、前記制御手段は、前記判定手段による判定結果を前記無線送信装置へ通知する通知手段を具備していてもよい。【００７７】
（２５）また、前記送信電力制御部は、前記無線装置から受信した、前記第２の受信結果確認情報の送信電力により他の無線受信装置による受信結果確認情報の送信に与える干渉に関する情報又は当該情報に基づく送信電力補正情報に基づいて、前記第２の受信結果確認情報の送信電力を制御してもよい。【００７８】
（２６）さらに、前記送信電力制御部は、前記無線基地局から受信した信号を基に測定した無線回線特性情報、又は、当該無線回線特性情報を前記無線基地局に通知することにより前記無線基地局で求められ受信した送信電力補正情報に基づいて、前記第２の受信結果確認情報の送信電力を制御してもよい。【００７９】
（２７）また、前記送信電力制御部は、前記第１の受信結果確認情報を送信した際の第１の無線回線特性情報と、前記第２の受信結果確認情報を送信する際の第２の無線回線特性情報との比較結果に基づいて、前記第２の受信結果確認情報の送信電力を制御してもよい。【００８０】
（２８）さらに、前記送信電力制御部は、前記比較結果が無線回線特性の改善を示す場合には前記第２の無線回線特性情報に基づいて前記送信電力を制御し、前記比較結果が無線回線特性の劣化を示す場合には前記第１の無線回線特性情報に基づいて前記送信電力を制御してもよい。【００８１】
（２９）また、前記送信電力制御部は、前記判定手段にて、前記無線送信装置が前記第１の受信結果確認情報を誤って受信したと判定すると、その後に前記無線基地局から受信した信号のそれぞれに対する前記第２の受信結果確認情報の送信電力を制御してもよい。【００８２】
（３０）さらに、前記送信電力制御部は、前記判定手段にて、前記無線送信装置が前記第１の受信結果確認情報を誤って受信したと判定すると、その後に前記無線基地局から受信した信号に誤りがある場合にのみ、当該信号に対する前記第２の受信結果確認情報の送信電力を制御してもよい。【００８３】
（３１）また、前記送信電力制御部は、前記判定手段にて、前記無線送信装置が前記第１の受信結果確認情報を誤って受信したと判定すると、前記受信結果確認情報以外の他の情報を前記無線送信装置へ送信する際の送信電力も制御してよい。【００８４】
（３２）さらに、前記制御手段は、前記判定手段が、誤り無しを示す前記第１の受信結果確認情報を、前記無線送信装置が誤り有りを示す情報と誤って受信した、と判定した場合に、前記無線送信装置から再送されてきた信号の受信処理を停止する受信制御手段を具備していてもよい。【００８５】
（３３）また、前記送信電力制御部は、誤り有りを示す前記第２の受信結果確認情報と、誤り無しを示す前記第２の受信結果確認情報とで個別に前記送信電力を制御してもよい。【００８６】
（３４）さらに、前記制御手段は、前記送信電力が上限に達すると、前記第２の受信結果確認情報の送信方法を、その伝送特性が改善される送信方法に変更する、送信方法制御部を具備していてもよい。
【発明の効果】
【００８７】
本発明によれば、受信結果確認情報を無線送信装置へ送信する際の伝送特性を改善することができる。その結果、無線送信装置での受信結果確認情報の受信誤り（誤判定）の発生率を低減することができる。また、無線送信装置から無線受信装置へのスループットを改善することができる。
【図面の簡単な説明】
【００８８】
【図１】本発明の第１実施形態に係る無線基地局（ＢＳ）の構成を示すブロック図である。
【図２】本発明の第１実施形態に係る無線端末（ＵＥ）の構成を示すブロック図である。
【図３】第１実施形態に係るＡＣＫ／ＮＡＣＫ送信電力制御（補正）を説明するシーケンス図である。
【図４】本発明の第２実施形態に係る無線基地局（ＢＳ）の構成を示すブロック図である。
【図５】本発明の第２実施形態に係る無線端末（ＵＥ）の構成を示すブロック図である。
【図６】第２実施形態に係るＡＣＫ／ＮＡＣＫ送信電力制御（補正）を説明するシーケンス図である。
【図７】本発明の第３実施形態に係る無線基地局（ＢＳ）の構成を示すブロック図である。
【図８】本発明の第３実施形態に係る無線端末（ＵＥ）の構成を示すブロック図である。
【図９】第３実施形態に係るＡＣＫ／ＮＡＣＫ送信電力制御（補正）を説明するシーケンス図である。
【図１０】本発明の第４実施形態に係る無線基地局（ＢＳ）の構成を示すブロック図である。
【図１１】第４実施形態に係るＡＣＫ／ＮＡＣＫ送信電力制御（補正）を説明するシーケンス図である。
【図１２】本発明の第５実施形態に係る無線基地局（ＢＳ）の構成を示すブロック図である。
【図１３】第５実施形態に係るＡＣＫ／ＮＡＣＫ送信電力制御（補正）を説明するシーケンス図である。
【図１４】第５実施形態に係るＡＣＫ／ＮＡＣＫ送信電力制御（補正）を説明するフローチャートである。
【図１５】本発明の第６実施形態に係る無線端末（ＵＥ）の構成を示すブロック図である。
【図１６】第６実施形態に係るＡＣＫ／ＮＡＣＫ送信電力制御（補正）を説明するシーケンス図である。
【図１７】第６実施形態に係るＡＣＫ／ＮＡＣＫ送信電力制御（補正）を説明するフローチャートである。
【図１８】本発明の第７実施形態に係る無線端末（ＵＥ）の構成を示すブロック図である。
【図１９】第７実施形態に係るＡＣＫ／ＮＡＣＫ送信電力制御（補正）を説明するシーケンス図である。
【図２０】第７実施形態に係るＡＣＫ／ＮＡＣＫ送信電力制御（補正）を説明するフローチャートである。
【図２１】本発明の第８実施形態に係る無線端末（ＵＥ）の構成を示すブロック図である。
【図２２】図２１に示すＭＳの動作を説明するフローチャートである。
【図２３】本発明の第９実施形態に係る無線端末（ＵＥ）の構成を示すブロック図である。
【図２４】第９実施形態に係るＡＣＫ／ＮＡＣＫ送信電力制御（補正）を説明するシーケンス図である。
【図２５】第９実施形態に係るＡＣＫ／ＮＡＣＫ送信電力制御（補正）を説明するフローチャートである。
【図２６】本発明の第１０実施形態に係るＡＣＫ／ＮＡＣＫ送信電力制御（補正）を説明する図である。
【図２７】第１０実施形態に係るＡＣＫ／ＮＡＣＫ送信電力制御（補正）の別の態様を説明する図である。
【図２８】第１０実施形態に係るＡＣＫ／ＮＡＣＫ送信電力制御（補正）の別の態様を説明する図である。
【図２９】第１０実施形態に係るＡＣＫ／ＮＡＣＫ送信電力制御（補正）の別の態様を説明する図である。
【図３０】本発明の第１１実施形態に係る無線基地局（ＢＳ）の構成を示すブロック図である。
【図３１】第１１実施形態に係るＡＣＫ／ＮＡＣＫ送信電力制御（補正）を説明するシーケンス図である。
【図３２】第１１実施形態に係るＡＣＫ／ＮＡＣＫ送信電力制御（補正）を説明するフローチャートである。
【図３３】本発明の第１２実施形態に係るＡＣＫ／ＮＡＣＫ送信電力制御（補正）を説明する図である。
【図３４】第１２実施形態に係るＡＣＫ／ＮＡＣＫ送信電力制御（補正）の別の態様を説明する図である。
【図３５】本発明の第１４実施形態に係る無線端末（ＵＥ）の構成を示すブロック図である。
【図３６】ＨＳＵＰＡシステムの構成図である。
【図３７】本発明の第１５実施形態に係る無線基地局（ＢＳ）の構成を示すブロック図である。
【図３８】本発明の第１５実施形態に係る無線端末（ＵＥ）の構成を示すブロック図である。
【図３９】第１５実施形態に係るＡＣＫ／ＮＡＣＫ送信電力制御（補正）を説明するシーケンス図である。
【図４０】本発明の第１６実施形態に係る無線基地局（ＢＳ）の構成を示すブロック図である。
【図４１】本発明の第１８実施形態に係る無線基地局（ＢＳ）の構成を示すブロック図である。
【図４２】本発明の第１８実施形態に係る無線端末（ＵＥ）の構成を示すブロック図である。
【図４３】ＨＳＤＰＡシステムの構成図である。
【図４４】エンハンスドＨＳＤＰＡシステムにおけるＡＣＫ／ＮＡＣＫ信号のフォーマットを示す図である。
【符号の説明】
【００８９】
１  無線基地局（ＢＳ）
１０  送信バッファ
１１  符号化部
１２  変調部
１２ａ  拡散部
１３  送信無線部
１４  アンテナ
１５  受信無線部
１６  復調部
１６ａ  逆拡散部
１７  復号部
１８  ＡＣＫ／ＮＡＣＫ抽出部
１９  再送制御部
２０  スケジューラ
２１  制御信号生成部
２２  ＣＱＩ抽出部
２３  ＡＣＫ／ＮＡＣＫ誤判定信号抽出部
２４  上りパイロット電力算出部
２５  送信電力制御部
２６  干渉測定部
２７  ＣＱＩ記憶部
２８  上位再送要求信号生成部
２９  上りパイロット電力測定部
３０  ＡＣＫ／ＮＡＣＫ信号生成部
３１  制御信号抽出部
３２  ＡＣＫ／ＮＡＣＫ誤判定検出部
３３  送信電力制御部
３４  上りパイロット電力記憶部
５  無線端末（ＵＥ）
５１  アンテナ
５２  受信無線部
５３  復調部
５３ａ  逆拡散部
５４  復号部
５５  制御信号抽出部
５６  ＡＣＫ／ＮＡＣＫ誤判定検出部
５７  送信電力制御部
５８  ＡＣＫ／ＮＡＣＫ信号生成部
５８ａ  再送制御部
５８ｂ  誤り検出部
５８ｃ  ＡＣＫ／ＮＡＣＫ（Ｐｒｅ／Ｐｏｓｔ）信号生成部
５９  符号化部
６０  変調部
６０ａ  拡散部
６１  送信無線部
６２  ＣＱＩ測定部
６３  ＣＱＩ信号生成部
６４  ＡＣＫ／ＮＡＣＫエラー信号生成部
６５  ＣＱＩ記憶部
６６  ＡＣＫ／ＮＡＣＫ送信電力記憶部
【発明を実施するための最良の形態】
【００９０】
以下、図面を参照して本発明の実施の形態を説明する。ただし、本発明は、以下に示す実施形態に限定されず、本発明の趣旨を逸脱しない範囲で種々変形して実施できることはいうまでもない。例えば、以下に明示しない各実施形態の組み合わせを行なうことも可能である。【００９１】
〔１〕第１実施形態
図１は本発明の第１実施形態に係る無線基地局（ＢＳ）の構成を示すブロック図であり、図２は本発明の第１実施形態に係る無線端末（ＵＥ）の構成を示すブロック図で、図１に示すＢＳ１と図２に示すＵＥ５とで無線通信システムが構成される。【００９２】
なお、前記無線通信システムにおいて、ＢＳ１及びＵＥ２はそれぞれ複数存在する場合もある。また、前記無線通信システムは、ＨＳＤＰＡシステム、ＨＳＵＰＡシステム、ＨＳＤＰＡシステムとＨＳＵＰＡシステムとを統合したＨＳＰＡシステム、ＬＴＥシステムなどの各種移動通信システムのいずれでもよい。【００９３】
さらに、下り通信に着目すれば、ＢＳ１は無線送信装置、ＵＥ５は無線受信装置としてそれぞれ位置付けられる。逆に、上り通信に着目すれば、ＵＥ５が無線送信装置、ＢＳ１が無線受信装置としてそれぞれ位置付けられる（以下、同じ）。【００９４】
（ＢＳ１の説明）
図１に示すＢＳ１は、例えば、送信バッファ１０と、符号化部１１と、変調部１２と、送信無線部１３と、アンテナ１４と、受信無線部１５と、復調部１６と、復号部１７と、ＡＣＫ／ＮＡＣＫ抽出部１８と、再送制御部１９とをそなえる。【００９５】
ここで、送信バッファ１０は、ＵＥ５宛に送信すべきデータや制御信号をバッファするものであり、符号化部１１は、前記送信バッファ１０からのデータや制御信号を所定の符号化（誤り訂正符号化）方式で符号化するものである。【００９６】
変調部１２は、当該符号化部１１にて符号化された信号を所定の変調方式（例えば、ＱＰＳＫや１６ＱＡＭ等）で変調するものであり、送信無線部１３は、変調部１２で変調された信号に対して、ＤＡ変換や無線周波数への周波数変換（アップコンバート）、送信電力への電力増幅等の所定の送信無線処理を施すものである。【００９７】
アンテナ１４は、送信無線部１３で得られた無線信号をＵＥ５に向けて送信する一方、ＵＥ５から送信された無線信号を受信して受信無線部１５へ出力するものである。【００９８】
受信無線部１５は、アンテナ１４で受信された信号に対して、低雑音増幅、ベースバンド信号への周波数変換（ダウンコンバート）、ＡＤ変換などの所定の受信無線処理を施すものであり、復調部１６は、この受信無線処理後の受信信号を送信側（ＵＥ５）での変調方式に対応した復調方式で復調するものであり、復号部１７は、復調部１６で復調された受信信号を送信側（ＵＥ５）での符号化方式に対応した復号方式で復号するものである。【００９９】
ＡＣＫ／ＮＡＣＫ抽出部１８は、前記復号部１７による復号結果からＡＣＫ信号又はＮＡＣＫ信号を抽出（検出）するものである。【０１００】
再送制御部１９は、前記ＡＣＫ／ＮＡＣＫ抽出部１８からＡＣＫ信号を受信した場合にはＵＥ５宛の新規データをアンテナ１４から送信すべく符号化部１１に入力し、ＮＡＣＫ信号を受信した場合には送信バッファ１０に保持されている送信済みデータをアンテナ１４から再送すべく符号化部１１に入力するよう、送信バッファ１０を制御するものである。【０１０１】
（ＵＥ５の説明）
一方、図２に示すＵＥ５は、例えば、アンテナ５１と、受信無線部５２と、復調部５３と、復号部５４と、制御信号抽出部５５と、ＡＣＫ／ＮＡＣＫ誤判定検出部５６と、送信電力制御部５７と、ＡＣＫ／ＮＡＣＫ信号生成部５８と、再送制御部５８ａと、誤り検出部５８ｂと、符号化部５９と、変調部６０と、送信無線部６１とをそなえる。【０１０２】
ここで、アンテナ５１は、ＢＳ１から送信された無線信号を受信して受信無線部５２に出力する一方、送信無線部６１により得られた無線信号をＢＳ１に向けて送信するものである。【０１０３】
受信無線部５２は、アンテナ５１からの受信無線信号に対して、低雑音増幅、ベースバンド信号への周波数変換（ダウンコンバート）、ＡＤ変換などの所定の受信無線処理を施すものである。【０１０４】
復調部５３は、この受信無線処理後の受信信号を送信側（ＢＳ１）での変調方式に対応した復調方式で復調するものである。【０１０５】
復号部５４は、この復調部５３で復調された受信信号を送信側（ＢＳ１）での符号化方式に対応した復号方式で復号するものである。【０１０６】
制御信号抽出部５５は、復号部５４による復号結果から制御信号を抽出するものである。【０１０７】
誤り検出部５８ｂは、復号部５４にて復号された受信データのＣＲＣを確認（ＣＲＣ演算）することにより、受信データの誤りの有無を検出するものである。
【０１０８】
ＡＣＫ／ＮＡＣＫ信号生成部５８は、誤り検出部５８ｂによる検出結果（ＣＲＣ演算結果）が誤り無しであればＯＫと判断しＡＣＫを、誤り有りであればＮＧと判断しＮＡＣＫを生成するものである。【０１０９】
ＡＣＫ／ＮＡＣＫ誤判定検出部（判定手段）５６は、再送制御部５８ａと協働して、ＢＳ１へ送信したＡＣＫ／ＮＡＣＫ（第１の受信確認結果情報）と、その後にＢＳ１から受信した信号（下りデータ及び制御信号抽出部５５で抽出された制御信号を含む）とに基づいて、ＢＳ１が前記ＡＣＫ／ＮＡＣＫを誤って受信したか（ＡＣＫ／ＮＡＣＫ誤判定が生じたか）否かを検出（判定）するものである。【０１１０】
好ましくは、ＢＳ１へ送信したＡＣＫ／ＮＡＣＫの情報と、下り受信データに付加されている番号情報（プロセス番号）と、その下り受信データがＢＳ１からの新規送信によるものか再送によるものかを示す情報とに基づいて、前記ＡＣＫ／ＮＡＣＫ誤判定の有無を判定する。つまり、ＵＥ５がＢＳ１にＮＡＣＫ（ＡＣＫ）を送信したにも関わらず、ＢＳ１から受信した同じプロセス番号の下りデータが「新規送信」（「再送」）によるものであると、ＵＥ５は、ＢＳ１がＮＡＣＫ（ＡＣＫ）をＡＣＫ（ＮＡＣＫ）と誤判定したと判断する。【０１１１】
下り受信データが新規送信か再送かは、（１）前回受信した下りデータと今回受信した下りデータとを比較することによって判断することもできるし、（２）下りデータに付随して送信される新規送信か再送かを示す制御信号（ＮＤＩ：New Data Indicator）を基に判断することもできる。【０１１２】
前者（１）の場合には、ＵＥ５がある受信データに対してＢＳ１に送信したＡＣＫ／ＮＡＣＫの情報と、その受信データとを関連付けてメモリ等に記憶しておく。後者（２）の場合には、受信データの代わりに、ＢＳ１に送信したＡＣＫ／ＮＡＣＫの情報とプロセス番号とを関連付けてメモリ等に記憶しておく。前記メモリは、例えば再送制御部５８ａ内に具備してもよいし、再送制御部５８ａとは個別に設けてもよい（以降において同様）。【０１１３】
そして、ＡＣＫ／ＮＡＣＫ誤判定検出部５６は、前記メモリに記憶されたＡＣＫ／ＮＡＣＫの情報と、新規送信か再送かを示す情報（ＮＤＩ）と、プロセス番号との関係を確認し、ＢＳ１においてＵＥ５の送信したＡＣＫ／ＮＡＣＫが正確に判定されたか否かを確認する。【０１１４】
例えば、前記メモリにＡＣＫが記憶され、ＮＤＩが再送を示し、受信データ又はそのプロセス番号が前記メモリに記憶された受信データ又はプロセス番号と同じであった場合、ＵＥ５がＡＣＫを送信したにも関わらず、ＢＳ１はＮＡＣＫと判断して同じデータを再送してしまったと判断する。【０１１５】
逆に、前記メモリにＮＡＣＫが記憶され、ＮＤＩが新規送信を示し、受信データ又はそのプロセス番号が前記メモリに記憶された受信データ又はプロセス番号と同じであった場合、ＵＥ５がＮＡＣＫを送信したにも関わらず、ＢＳ１はＡＣＫと判断して新規データを送信してしまったと判断する。【０１１６】
このようにして、ＡＣＫ／ＮＡＣＫ誤判定検出部５６は、ＵＥ５が送信したＡＣＫ／ＮＡＣＫのＢＳ１でのＡＣＫ／ＮＡＣＫ誤判定を検出する。【０１１７】
再送制御部５８ａは、ＢＳ１に対するＡＣＫ／ＮＡＣＫ信号の送信（再送処理）を制御するものである。当該再送制御部５８ａは、ＡＣＫ／ＮＡＣＫ誤判定検出部５６にてＡＣＫ／ＮＡＣＫ誤判定が検出された場合に、ＡＣＫ／ＮＡＣＫ信号の送信電力を制御する情報（例えば、ＡＣＫ／ＮＡＣＫの送信電力値や送信電力補正値）を求める（算出する）機能を具備する。得られた制御情報は、送信電力制御部５７に与えられる。【０１１８】
ただし、当該機能は、送信電力制御部５７が具備することとしてもよい。また、再送制御部５８ａと送信電力制御部５７とは、機能的に単一の制御手段として構成してもよい（以降において同様）。【０１１９】
送信電力制御部５７は、再送制御部５８ａと協働し、ＡＣＫ／ＮＡＣＫ誤判定検出部５６にてＡＣＫ／ＮＡＣＫ誤判定が検出された場合に、送信無線部６１を制御してＢＳ１への送信条件の一つである送信電力を制御するものである。本例では、前記ＡＣＫ／ＮＡＣＫ誤判定が検出されると、ＡＣＫ／ＮＡＣＫの送信電力を増加する方向に制御する。なお、当該送信電力制御は、例えば、送信無線部６１の図示しない電力増幅器のゲインや信号振幅を調整することで実施する。【０１２０】
符号化部５９は、ＢＳ１への上り信号（ＢＳ１宛の送信データ、ＡＣＫ／ＮＡＣＫ信号等）を所定の符号化方式で符号化するものである。【０１２１】
変調部６０は、符号化部５９で符号化された上り信号を所定の変調方式（ＱＰＳＫや１６ＱＡＭ等）で変調するものである。【０１２２】
送信無線部６１は、前記変調後の上り信号に対して、ＤＡ変換や無線周波数への周波数変換（アップコンバート）、送信電力への電力増幅等の所定の送信無線処理を施すものである。【０１２３】
（動作説明）
以下、上述のごとく構成された無線通信システムの動作（ＡＣＫ／ＮＡＣＫ送信電力制御）について、図３に示すシーケンス図を参照しながら説明する。
送信側であるＢＳ１では、符号化部１１にて、ＵＥ５宛のＣＲＣが付加された送信データやＣＲＣが付加された制御信号及びパイロット信号（制御信号）が符号化され、その符号化結果が変調部１２にて変調された後、送信無線部１３にて前記所定の無線送信処理を施されて、アンテナ１４からＵＥ５に向けて送信される（ステップＳ１，Ｓ２）。【０１２４】
一方、受信側であるＵＥ５では、アンテナ５１で受信された信号が、受信無線部５２にて前記所定の受信無線処理を施されてベースバンド信号に変換された後、復調部５３にて復調され、復号部５４にて復号される。【０１２５】
その復号結果は、制御信号抽出部５５と誤り検出部５８ｂとに入力され、誤り検出部５８ｂは、復号結果のＣＲＣを確認し、受信データの誤りの有無を確認する（ステップＳ３）。その結果、受信データに誤りがなければ、ＡＣＫ／ＮＡＣＫ信号生成部５８は、ＡＣＫ信号を生成し、誤りがある場合にはＮＡＣＫ信号を生成する。【０１２６】
一方、制御信号抽出部５５では、前記復号結果から制御信号が抽出され、当該制御信号を基に送信電力制御部５７がＢＳ１へのＡＣＫ／ＮＡＣＫ信号の送信電力値Ｐt-1を算出（決定）する（ステップＳ４）。【０１２７】
そして、当該送信電力値Ｐt-1を基に送信無線部６１のアンプゲインや信号振幅が調整されることにより、ＡＣＫ／ＮＡＣＫ信号生成部５８にて生成されたＡＣＫ／ＮＡＣＫ信号の送信電力が制御される。【０１２８】
即ち、ＡＣＫ／ＮＡＣＫ信号生成部５８で生成されたＡＣＫ／ＮＡＣＫ信号は、符号化部５９にて符号化され、変調部６０にて変調された後、送信無線部６１にて前記所定の送信無線処理を施されて前記送信電力値Ｐt-1にて、アンテナ５１を介してＢＳ１に向けて送信される（ステップＳ５）。【０１２９】
ＢＳ１は、ＵＥ５が送信した前記ＡＣＫ／ＮＡＣＫ信号を、アンテナ１４にて受信し、受信無線部１５にて前記所定の受信無線処理した後、復調部１６にて復調し、復号部１７にて復号する（ステップＳ６）。【０１３０】
その復号結果は、ＡＣＫ／ＮＡＣＫ抽出部１８に入力され、当該ＡＣＫ／ＮＡＣＫ抽出部１８にてＡＣＫ／ＮＡＣＫ信号が抽出され、その抽出結果（ＡＣＫかＮＡＣＫか）が再送制御部１９に伝達される。【０１３１】
再送制御部１９は、前記抽出結果がＡＣＫであれば、送信バッファ１０から制御信号（パイロット信号）及び新規データを読み出して符号化部１１に入力することで、パイロット信号と新規データとをＵＥ５に向けて送信させる。ＮＡＣＫであれば、制御信号（パイロット信号）及び前回の送信データ（再送データ）を送信バッファ１０から読み出して符号化部１１に入力することで、パイロット信号と再送データとをＵＥ５に向けて送信させる（ステップＳ７，Ｓ８）。【０１３２】
さらに、ＵＥ５は、ＢＳ１から送信されたパイロット信号とデータ（新規又は再送データ）とをアンテナ５１にて受信し、受信無線部５２にて前記所定の受信無線処理を施してベースバンド信号に変換した後、復調部５３にて復調し、復号部５４にて復号する。その復号結果は、制御信号抽出部５５と誤り検出部５８ｂとに入力され、制御信号抽出部５５では、前記復号結果から制御信号（プロセス番号、ＮＤＩ等）を抽出してＡＣＫ／ＮＡＣＫ誤判定検出部５６に伝達する。【０１３３】
ＡＣＫ／ＮＡＣＫ誤判定検出部５６は、既述のとおり、前記メモリに記憶された、前回ＢＳ１へ送信したＡＣＫ／ＮＡＣＫの情報と、ＮＤＩと、データまたはプロセス番号との関係を確認し、ＢＳ１においてＡＣＫ／ＮＡＣＫが正確に判定されたか否かを確認する（ステップＳ９）。【０１３４】
例えば、前回ＢＳ１へ送信したのがＡＣＫで、ＢＳ１からの受信ＮＤＩが再送を示し、受信データ又はそのプロセス番号が前回の受信データ又はプロセス番号と同じであった場合、ＵＥ５がＡＣＫを送信したにも関わらず、ＢＳ１はＮＡＣＫと判断して同じデータを再送してしまったと判断する。【０１３５】
逆に、前回送信したのがＮＡＣＫで、受信ＮＤＩが新規送信を示し、受信データ又はそのプロセス番号が前回の受信データ又はプロセス番号と同じであった場合、ＵＥ５がＮＡＣＫを送信したにも関わらず、ＢＳ１はＡＣＫと判断して新規データを送信してしまったと判断する。【０１３６】
このようなＡＣＫ／ＮＡＣＫ誤判定が生じたと判断した場合、ＡＣＫ／ＮＡＣＫ誤判定検出部５６は、再送制御部５８ａに対して、ＡＣＫ／ＮＡＣＫ誤判定発生を通知する。この通知を受けた再送制御部５８ａは、前回のＡＣＫ／ＮＡＣＫ送信時（ステップＳ５）の送信電力値Ｐt-1を補正して今回のＡＣＫ／ＮＡＣＫ送信電力値Ｐtを求める（ステップＳ１０）。【０１３７】
例えば、ＡＣＫ／ＮＡＣＫ信号生成部５８で生成された今回のＡＣＫ／ＮＡＣＫの送信電力値Ｐtは、前回（新規送信時及び１回目の再送時）のＡＣＫ／ＮＡＣＫ送信電力値Ｐt-1よりも大きくする。このとき、好ましくは、送信電力増加による干渉の影響が許容される範囲で、かつ、ＡＣＫ／ＮＡＣＫ伝送特性が改善されるように、制御するのが好ましい。例えば、０．５ｄＢステップで増加させる。ただし、ＡＣＫ送信時とＮＡＣＫ送信時とで異なるステップ幅としてもよい。【０１３８】
また、ＡＣＫとＮＡＣＫのいずれかに応じて減少制御を行なうこともできる。例えば、ＮＡＣＫがＢＳ１でＡＣＫと誤判定された場合には、受信データ欠落が発生するから、これをできるだけ回避するなら、ＮＡＣＫの送信電力値を増加し、ＡＣＫの送信電力値は減少させる制御が可能である。逆に、ＡＣＫがＢＳ１でＮＡＣＫと誤判定された場合には、ＢＳ１から無駄な送信が行なわれることになるから、これをできるだけ回避するなら、ＡＣＫの送信電力値を増加し、ＮＡＣＫの送信電力値は減少させる制御が可能である。【０１３９】
さらに、このようなＡＣＫ／ＮＡＣＫ送信電力制御を行なった後、再度、ＡＣＫ／ＮＡＣＫ誤判定が検出された場合（ＡＣＫ／ＮＡＣＫ伝送特性が改善されない）には、第１９実施形態にて後述するごとく、前回の送信電力値の制御量（ステップ幅）よりも大きな制御量で今回の送信電力値を制御することもできる。【０１４０】
なお、ＡＣＫ／ＮＡＣＫ送信電力値は、上りデータチャネル（ＤＰＣＨ）の送信電力値に対するオフセット値（制御量）として表すことができる。この場合、送信電力制御部５７は、当該オフセット値を制御することで、ＡＣＫ／ＮＡＣＫ送信電力値（ＨＳ−ＤＰＣＣＨ送信電力値）を制御することが可能となる。また、前記上りＤＰＣＨの送信電力値を制御することで、間接的にＡＣＫ／ＮＡＣＫ送信電力値を制御することも可能である。もっとも、オフセット値を用いずに、ＡＣＫ／ＮＡＣＫの伝送に用いるＨＳ−ＤＰＣＣＨの送信電力値を直接的に制御することも可能である。これらの点は、以降の説明においても同様である。【０１４１】
前記オフセット値は、好ましくは、ＢＳ１において、複数のＵＥ５から、ある時間に送信されるパイロット信号や、ＡＣＫ／ＮＡＣＫ、ＤＰＣＨの伝送特性（例えばＣＩＲやＳＩＲ）などを用いて干渉を算出し、当該干渉が閾値以下となる（前記干渉の影響が許容される範囲の）オフセット値を算出し、各ＵＥ５に対して事前に通知する。【０１４２】
つまり、ＵＥ５でのＡＣＫ／ＮＡＣＫの送信電力制御は、ＵＥ５が算出した送信電力値や送信電力補正値に基づいて実施してもよいし、ＢＳ１が算出した送信電力値や送信電力補正値をＵＥ５が受信することにより実施してもよい（以降の説明においても同様）。【０１４３】
以上のようにして再送制御部５８ａは、ＡＣＫ／ＮＡＣＫ送信電力値Ｐtを求め、これを送信電力制御部５７に通知する。送信電力制御部５７は、通知されたＡＣＫ／ＮＡＣＫ送信電力値Ｐtを基に送信無線部６１のアンプゲインや信号振幅を調整することにより、ＡＣＫ／ＮＡＣＫ信号生成部５８にて生成された今回ＢＳ１へ送信（返信）すべきＡＣＫ／ＮＡＣＫ信号の送信電力を制御する。【０１４４】
即ち、ＡＣＫ／ＮＡＣＫ信号生成部５８で生成されたＡＣＫ／ＮＡＣＫ信号は、符号化部５９にて符号化され、変調部６０にて変調された後、送信無線部６１にて前記所定の送信無線処理を施されて前記送信電力値Ｐtにて、アンテナ５１を介してＢＳ１に向けて送信され（ステップＳ１１）、ＢＳ１で受信される（ステップＳ１２）。【０１４５】
なお、図１６に示す例では、１回目のデータ送信（実際には新規送信：ステップＳ２）後の、ＣＲＣによる誤り有無の確認（ステップＳ３）後、ＡＣＫ／ＮＡＣＫ送信電力を算出（ステップＳ４）しているが、両者（ステップＳ３とステップＳ４）の間でＡＣＫ／ＮＡＣＫ誤判定検出部５６による検出処理を実施してもよい。ただし、新規送信であるため、誤判定はないと判断される。【０１４６】
以上のように、本実施形態によれば、ＡＣＫ／ＮＡＣＫ誤判定が検出されると、ＡＣＫ／ＮＡＣＫの送信電力を制御するので、ＡＣＫ／ＮＡＣＫ伝送特性を改善してＡＣＫ／ＮＡＣＫ誤判定の発生率を低減することができ、これにより、スループットを改善することができる。【０１４７】
なお、上述した実施形態では、ＡＣＫ／ＮＡＣＫの送信条件の一つである送信電力を制御することでＡＣＫ／ＮＡＣＫ伝送特性の改善を図っているが、前記送信条件には、例えば、変調方式や符号化率などの送信方法が含まれることとして、変調方式の多値数を制御（小さく）したり、符号化率を制御（低下）したりすることで、ＡＣＫ／ＮＡＣＫ伝送特性の改善を図るようにしてもよい。この機能は、ＵＥ５の送信電力制御部５７と兼用としてもよいし、ＵＥ５に送信方法制御部として個別にそなえることとしてもよい。これらの点は、以下に述べる実施形態においても同様である。【０１４８】
また、以降の実施形態の説明において、ＡＣＫ／ＮＡＣＫ誤判定の例として、ＢＳ１がＡＣＫをＮＡＣＫと解釈した場合、逆に、ＮＡＣＫをＡＣＫと解釈した場合のいずれか一方にしか言及しない場合があったとしても、いずれか一方にしか対応できないことを意味するものではない。特に断らない限り、既述のＡＣＫ／ＮＡＣＫ誤判定のすべてに対応することができる。【０１４９】
〔２〕第２実施形態
（ＨＳＤＰＡシステムへの適用）
図４は本発明の第２実施形態に係る無線基地局（ＢＳ）の構成を示すブロック図であり、図５は本発明の第２実施形態に係る無線端末（ＵＥ）の構成を示すブロック図で、図４に示すＢＳ１と図５に示すＵＥ５とで無線通信システム、ここではＨＳＤＰＡシステムが構成される。なお、本例においても、ＢＳ１及びＵＥ２はそれぞれ複数存在する場合もある。【０１５０】
（ＢＳの説明）
図４に示すＢＳ１は、例えば、送信バッファ１０と、符号化部１１と、変調部１２と、拡散部１２ａと、送信無線部１３と、アンテナ１４と、受信無線部１５と、逆拡散部１６ａと、復調部１６と、復号部１７と、ＡＣＫ／ＮＡＣＫ抽出部１８と、再送制御部１９と、スケジューラ２０と、制御信号生成部２１と、ＣＱＩ抽出部２２と、上りパイロット電力算出部２４と、送信電力制御部２５とをそなえる。【０１５１】
ここで、送信バッファ１０は、ＵＥ５宛の送信データをバッファするものであり、符号化部１１は、ＵＥ５宛の送信データ及び制御信号生成部２１で生成された制御信号（パイロット信号、プロセス番号、ＮＤＩ、ＴＰＣ信号等）を所定の符号化（誤り訂正符号化）方式にて符号化するものである。なお、ここでの制御信号には、ＨＳ−ＤＳＣＨの送信に関する制御信号が含まれ、ＨＳ−ＳＣＣＨを用いて伝送される。また、パイロット信号には、下り共通パイロット信号と、下り個別パイロット信号とが含まれる。下り共通パイロット信号は、ＣＰＩＣＨで伝送され、下り個別パイロット信号は、ＤＰＣＨを用いて伝送される。【０１５２】
変調部１２は、この符号化部１２で符号化された信号を所定の変調方式（例えば、ＱＰＳＫや１６ＱＡＭ等）で変調するものである。【０１５３】
拡散部１２ａは、変調部１２で変調された信号を所定の拡散コードを用いて拡散するものである。【０１５４】
送信無線部１３は、この拡散部１２ａで拡散された信号に対して、ＤＡ変換や無線周波数への周波数変換（アップコンバート）、送信電力への電力増幅等の所定の送信無線処理を施すものである。【０１５５】
アンテナ１４は、送信無線部１３で得られた無線信号をＵＥ５に向けて送信する一方、ＵＥ５から送信された無線信号を受信して受信無線部１５へ出力するものである。【０１５６】
受信無線部１５は、アンテナ１４で受信された信号に対して、低雑音増幅、ベースバンド信号への周波数変換（ダウンコンバート）、ＡＤ変換などの所定の受信無線処理を施すものである。【０１５７】
逆拡散部１６ａは、前記受信無線処理を施された受信信号について前記所定の拡散コードのレプリカを用いて逆拡散するものである。【０１５８】
復調部１６は、前記逆拡散後の受信信号を送信側（ＵＥ５）での変調方式に対応した復調方式で復調するものである。【０１５９】
復号部１７は、この復調部１６で復調された受信信号を送信側（ＵＥ５）での符号化方式に対応した復号方式で復号するものである。【０１６０】
ＡＣＫ／ＮＡＣＫ抽出部１８は、復号部１７による復号結果から、ＵＥ５が送信したＡＣＫ／ＮＡＣＫ信号を抽出するものである。【０１６１】
再送制御部１９は、このＡＣＫ／ＮＡＣＫ抽出部１８による抽出結果（ＡＣＫかＮＡＣＫか）に応じてスケジューラ１９を制御して新規又は再送データの送信制御を行なうものである。【０１６２】
スケジューラ２０は、ＵＥ５宛の下り信号（送信データ、制御信号）の送信をスケジューリングするものである。即ち、再送制御部１９からの制御及びＣＱＩ抽出部２２で抽出されたＣＱＩに基づいて、制御信号生成部２１での制御信号の生成を制御するとともに、データの送信条件（データサイズ、変調方式、符号化方法、符号化率、プロセス番号等）を決定し、その決定に応じて、選択ＵＥ５宛データの送信バッファ１０からの読み出し、符号化部１１での符号化パラメータ（符号化方法、符号化率など）や変調部１２での変調方式を制御する。【０１６３】
制御信号生成部２１は、スケジューラ２０及び送信電力制御部２５からの制御の下、ＵＥ５宛の制御信号（パイロット信号、プロセス番号、ＮＤＩ、ＴＰＣ信号等）を生成するものである。【０１６４】
ＣＱＩ抽出部２２は、復号部１７による復号結果から、ＵＥ５が送信したＣＱＩを抽出するものである。抽出されたＣＱＩは、スケジューラ２０に伝達され、当該ＣＱＩに応じた前記符号化パラメータの制御が、スケジューラ２０によって実施される。【０１６５】
上りパイロット電力算出部２４は、逆拡散部１６ａによる逆拡散結果のパイロット信号成分（上りＤＰＣＨで伝送されるパイロット信号）の受信電力を測定（算出）するものである。得られた受信電力値は、送信電力制御部２５に伝達され、当該受信電力値に基づく下り送信電力制御が、送信電力制御部２５によって実施される。【０１６６】
送信電力制御部２５は、送信無線部１３におけるアンプゲインや信号振幅を制御することにより下り送信電力を制御するものである。例えば、上りパイロット電力算出部２４で得られた前記受信電力値を基準にした、ＲＮＣ等の上位装置からの送信電力制御信号に応じた下り送信電力制御を行なう。【０１６７】
（ＵＥの説明）
一方、図５に示すＵＥ５は、例えば、アンテナ５１と、受信無線部５２と、逆拡散部５３ａと、復調部５３と、復号部５４と、制御信号抽出部５５と、ＡＣＫ／ＮＡＣＫ誤判定検出部５６と、送信電力制御部５７と、ＡＣＫ／ＮＡＣＫ信号生成部５８と、再送制御部５８ａと、誤り検出部５８ｂと、符号化部５９と、変調部６０と、拡散部６０ａと、送信無線部６１と、ＣＱＩ測定部６２と、ＣＱＩ信号生成部６３とをそなえる。【０１６８】
ここで、アンテナ５１は、ＢＳ１から送信された無線信号（下り信号）を受信して受信無線部５２に出力する一方、送信無線部６１により得られた無線信号（上り信号）をＢＳ１に向けて送信するものである。【０１６９】
受信無線部５２は、アンテナ５１からの受信無線信号に対して、低雑音増幅、ベースバンド信号への周波数変換（ダウンコンバート）、ＡＤ変換などの所定の受信無線処理を施すものである。【０１７０】
逆拡散部５３ａは、受信無線部５２からの受信下り信号をＢＳ１側で用いた拡散コードのレプリカを用いて逆拡散するものである。【０１７１】
復調部５３は、この逆拡散後の受信信号を送信側（ＢＳ１）での変調方式に対応した復調方式で復調するものである。【０１７２】
復号部５４は、この復調部５３で復調された受信信号を送信側（ＢＳ１）での符号化方式に対応した復号方式で復号するものである。【０１７３】
制御信号抽出部５５は、復号部５４による復号結果から制御信号を抽出するものである。【０１７４】
誤り検出部５８ｂは、第１実施形態と同様にして、復号部５４にて復号された受信データのＣＲＣを確認（ＣＲＣ演算）することにより、受信データの誤りの有無を検出するものである。【０１７５】
ＡＣＫ／ＮＡＣＫ誤判定検出部５６は、前記の第１実施形態と同様の判定手法により、ＢＳ１でＡＣＫ／ＮＡＣＫの誤判定が生じたことを検出する機能を具備する。【０１７６】
送信電力制御部５７は、第１実施形態と同様に、再送制御部５８ａと協働し、前記ＡＣＫ／ＮＡＣＫ誤判定検出部５６での検出結果に基づいて送信無線部６１を制御してＢＳ１へのＡＣＫ／ＮＡＣＫの送信電力を制御するものである。なお、当該送信電力制御は、例えば、送信無線部６１の図示しない電力増幅器のゲインや信号振幅を調整することで実施する。【０１７７】
再送制御部５８ａは、ＢＳ１に対するＡＣＫ／ＮＡＣＫ信号の送信（再送処理）を制御するもので、第１実施形態と同様に、ＡＣＫ／ＮＡＣＫ誤判定検出部５６にてＡＣＫ／ＮＡＣＫ誤判定が検出された場合に、ＡＣＫ／ＮＡＣＫ信号の送信電力を制御する情報（例えば、ＡＣＫ／ＮＡＣＫの送信電力値や送信電力補正値）を求める（算出する）機能を具備する。【０１７８】
ＡＣＫ／ＮＡＣＫ信号生成部５８は、復号部５４による復号結果のＣＲＣを確認し、その結果が誤り無しであればＯＫと判断しＡＣＫを、誤り有りであればＮＧと判断しＮＡＣＫを生成するものである。【０１７９】
符号化部５９は、ＢＳ１への上り信号（ＢＳ１宛の送信データ、ＡＣＫ／ＮＡＣＫ等）を所定の符号化方式で符号化するものである。【０１８０】
変調部６０は、符号化部５９で符号化された上り信号を所定の変調方式（ＱＰＳＫや１６ＱＡＭ等）で変調するものである。【０１８１】
拡散部６０ａは、この符号化部５９からの上り符号化信号を所定の拡散コードで拡散するものである。【０１８２】
送信無線部６１は、前記変調後の上り信号に対して、ＤＡ変換や無線周波数への周波数変換（アップコンバート）、送信電力への電力増幅等の所定の送信無線処理を施すものである。【０１８３】
ＣＱＩ測定部６２は、逆拡散部５３ａによる逆拡散結果の下り共通パイロット信号（ＣＰＩＣＨ）成分を基に下り受信品質情報（ＣＱＩ）を測定するものである。【０１８４】
ＣＱＩ信号生成部６３は、このＣＱＩ測定部６２での測定結果からＢＳ１に報告すべきＣＱＩ値を生成するものである。【０１８５】
（動作説明）
以下、上述のごとく構成されたＨＳＤＰＡシステムの動作（ＡＣＫ／ＮＡＣＫ送信電力制御）について、図６に示すシーケンス図を用いて説明する。【０１８６】
ＨＳＤＰＡシステムでは、ＢＳ１（Node B）からＵＥ５に対してデータを伝送するための下りデータチャネルであるＨＳ−ＤＳＣＨ（High Speed - Downlink Shared CHannel）を用いて下り高速パケット伝送を行なう。あるＵＥ５に対してＨＳ−ＤＳＣＨを用いてパケット伝送を実施する場合を考える。【０１８７】
まず、ＢＳ１では、制御信号生成部２１にて共通パイロット信号（制御信号）を生成し、これを変調部１２で変調し、拡散部１２ａで所定の拡散コードを用いて拡散し、送信無線部１３で前記送信無線処理し送信電力を調整し、アンテナ１４からＵＥ５に向けて共通パイロットチャネルであるＣＰＩＣＨ（Common Pilot CHannel）の信号として送信する（ステップＳ２１）。なお、ＣＰＩＣＨの送信電力は一定である。【０１８８】
このＣＰＩＣＨ信号を受信したＵＥ５は、当該ＣＰＩＣＨ信号について、受信無線部５２でベースバンド信号へのダウンコンバート等を含む所定の受信無線処理を施し、逆拡散部５３ａにてＢＳ１側で用いた前記拡散コードのレプリカを用いて逆拡散する。その逆拡散結果を基に、ＣＱＩ測定部６２にて、ＣＰＩＣＨの信号電力が測定され、その測定結果に基づいて下り無線回線品質の指標であるＣＱＩが測定、算出される（ステップＳ２２）。【０１８９】
得られたＣＱＩは、ＣＱＩ信号生成部６３に伝達され、ＣＱＩ信号生成部６３にて、ＨＳＤＰＡにおける所定の上り信号フォーマットに従ったＣＱＩ信号が生成される。そして、当該ＣＱＩ信号は、符号化部５９にて符号化され、変調部６０にて変調され、拡散部６０ａにて拡散された後、送信無線部６１にて所定の無線送信処理を施されてアンテナ５１からＢＳ１に向けて送信される。その際、ＣＱＩ信号は、上り個別制御チャネルであるＨＳ−ＤＰＣＣＨ（High Speed-Dedicated Physical Control CHannel）を用いて送信される（ステップＳ２３）。【０１９０】
このＣＱＩ信号の送信電力は、ＨＳ−ＤＳＣＨとともに設定される上り個別チャネルであるＵＬ−ＤＰＣＨ（Dedicated Physical CHannel）の送信電力値に一定のオフセットを加えた電力値とすることができる。ＵＬ−ＤＰＣＨの送信電力値は、下り個別チャネルであるＤＬ−ＤＰＣＨ（またはＡ−ＤＰＣＨ）で伝送される送信電力制御信号であるＴＰＣ（Transmission Power Control）信号を用いて、上りＤＰＣＨのＳＩＲが一定となるよう制御された値である。【０１９１】
一方、ＢＳ１では、アンテナ１４を介してＨＳ−ＤＰＣＣＨの信号を受信し、受信無線部１５にてベースバンド信号へのダウンコンバート等を含む所定の受信無線処理を施し、逆拡散部１６ａにて逆拡散し、復調部１６にて復調し、復号部１７にて復号した後、ＣＱＩ抽出部２２でＣＱＩを抽出し、抽出したＣＱＩをスケジューラ２０へ伝達する（ステップＳ２４）。【０１９２】
スケジューラ２０には、ＢＳ１のサービスエリア（無線エリア）に位置する複数のＵＥ５からのＣＱＩが集約される。スケジューラ２０は、例えばＣＱＩ値の順に送信を行なうべき対象のＵＥ５を選択し、そのＵＥ５への送信方法（データサイズ、変調方式、符号化方法、プロセス番号等）を決定する。また、スケジューラ２０は、決定した情報（制御情報）に新規送信か再送かを示す指標（ＮＤＩ）を加え、制御信号生成部２１に制御信号を生成させる。また、スケジューラ２０は、送信データに対してプロセス番号を生成する。【０１９３】
ＨＳＤＰＡシステムでは、最大６チャンネルストップアンドウェイト方式のＨＡＲＱ（Hybrid ARQ）を行なっており、それぞれのＨＡＲＱに対してプロセス番号（最大８）を規定し、このプロセス番号を用いて再送するデータを特定（識別）することができる。【０１９４】
この制御信号は、符号化部１１にて符号化され、変調部１２にて変調され、拡散部１２ａにて拡散された後、送信無線部１３にてアップコンバートや送信電力調整等を含む前記所定の送信無線処理を施されて、アンテナ１４からＵＥ５に向けて伝送される（ステップＳ２５）。この制御信号の伝送には、下り共通制御チャネルであるＨＳ−ＳＣＣＨ（High Speed - Shared Control CHannel）が用いられる。この際のＨＳ−ＳＣＣＨの送信電力値は、例えば、下りＡ−ＤＰＣＨ送信電力値に対して一定のオフセットを与えた送信電力値とする。ただし、送信するＵＥ５に関わらず一定の送信電力値としてもよい。【０１９５】
続いて、ＢＳ１は、スケジューラ２０で選択したＵＥ５に対して、前記決定した送信方法に従って送信データを選択し、選択ＵＥ５宛の送信データを送信バッファ１０から符号化部１１へ読み出すとともに、この送信データに対して符号部１１でＣＲＣを付加し、符号化する。【０１９６】
符号化された送信データは、変調部１２にて変調され、拡散部１２ａにて拡散された後、送信無線部１３にて所定の送信無線処理を施された上で、アンテナ１４を介して、ＨＳ−ＤＳＣＨの信号としてＵＥ５に向けて送信される（ステップＳ２６）。この際のＨＳ−ＤＳＣＨ送信電力値は、例えば、下りＡ−ＤＰＣＨ送信電力値に対して一定の電力オフセット値とＣＱＩとによって決められた電力オフセット値を基にして算出した送信電力値とする。【０１９７】
一方、ＵＥ５は、アンテナ５１を介して、前記ＨＳ−ＳＣＣＨの信号を受信し、受信無線部５２にて所定の受信無線処理を施し、逆拡散部５３ａにて逆拡散し、復調部５３にて復調し、復号部５４にて復号して、制御信号抽出部５５にて制御信号を得る。ＵＥ５は、この制御信号に従い、受信系（復調方式、復号方式などの受信パラメータ）の設定を行なう。また、プロセス番号とＮＤＩとを抽出し、前記メモリ等に記憶する。【０１９８】
続いて、ＵＥ５は、ＨＳ−ＤＳＣＨの信号を受信し、受信無線部５２にて所定の受信無線処理を施し、ＨＳ−ＳＣＣＨで受信した制御情報を基に、逆拡散部５３ａにて逆拡散し、復調部５３で復調し、復号部５４で復号する。また、誤り検出部５８ｂにおいて、ヘッダを含んだデータに対して、付加されたＣＲＣを基に誤りの有無を確認する（ステップＳ２７）。【０１９９】
その結果、誤りがない場合はＡＣＫ／ＮＡＣＫ信号生成部５８にてＡＣＫ信号を生成し、誤りがある場合はＡＣＫ／ＮＡＣＫ信号生成部５８にてＮＡＣＫ信号を生成する。この結果は、プロセス番号及びＮＤＩと関連付けて前記メモリ等に記憶される（ステップＳ２８）。なお、ＨＳ−ＤＳＣＨを受信していない場合は、ＡＣＫ／ＮＡＣＫ信号は生成せず、送信も行なわない。ただし、信号がない場合の値を０として扱う。【０２００】
前記生成されたＡＣＫ／ＮＡＣＫ信号は、符号化部５９にて符号化され、変調部６０にて変調され、拡散部６０ａにて拡散された後、送信無線部６１にて送信電力調整を含む所定の送信無線処理を施された上で（ステップＳ２９）、アンテナ５１からＢＳ１に向けて送信される（ステップＳ３０）。その際、好ましくは、上りＤＰＣＨの送信電力値に対して、一定のオフセット値をもたせ、このオフセット値を反映した送信電力値にてＵＥ５からＢＳ１に対しＨＳ−ＤＰＣＣＨの伝送を行なう。【０２０１】
前記ＡＣＫ／ＮＡＣＫ信号を含むＨＳ−ＤＰＣＣＨ信号を受信したＢＳ１は、当該信号について、受信無線部１５にて所定の受信無線処理を施し、逆拡散部１６ａにて逆拡散し、復調部１６にて復調し、復号部１７にて復号する。その復号結果から、ＡＣＫ／ＮＡＣＫ抽出部１８にてＡＣＫ／ＮＡＣＫ信号が抽出され、スケジューラ２０に伝達される（ステップＳ３１）。【０２０２】
また、ＢＳ１は、前記ステップＳ２１と同様にして、ＣＰＩＣＨ信号をＵＥ５に向けて送信し（ステップＳ３２）、ＵＥ５は、前記ステップＳ２２，Ｓ２３と同様にして、当該ＣＰＩＣＨ信号に基づいてＣＱＩを測定し（ステップＳ３３）、その測定結果をＢＳ１に送信（報告）する（ステップＳ３４）。【０２０３】
ＢＳ１は、スケジューラ２０において、報告されたＣＱＩ値に基づいて前記ＡＣＫ／ＮＡＣＫ信号を受信したＵＥ５に対する送信を決定した場合（ステップＳ３５）、ＡＣＫ信号を受信していれば、新たなデータを選択し新規送信として、既述の送信信号処理を行ないＵＥ５に対して新規送信を行なう。ＮＡＣＫ信号を受信していれば、送信済みの同じデータについて既述の送信信号処理を行ない、ＵＥ５に対して再送を行なう（ステップＳ３８）。なお、かかるデータの新規送信及び再送に先立って、ＢＳ１は、前記ステップＳ２５と同様に、送信方法等の制御信号をＨＳ−ＳＣＣＨを用いてＵＥ５へ伝送する（ステップＳ３６）。【０２０４】
このＨＳ−ＳＣＣＨ信号を受信したＵＥ５は、既述の受信信号処理を実施する。その際、ＡＣＫ／ＮＡＣＫ誤判定検出部５６にて、前記再送制御部に記憶した前回受信時のプロセス番号及びＮＤＩと、今回のプロセス番号及びＮＤＩとを比較してＡＣＫ／ＮＡＣＫの誤判定の有無を確認する（ステップＳ３７，Ｓ３９，Ｓ４０）。【０２０５】
好ましくは、ＡＣＫ／ＮＡＣＫ誤判定検出部５６は、次表３に示すようなＡＣＫ／ＮＡＣＫ送信正誤表をテーブル形式のデータ等として図示しないメモリに保持し、当該正誤表に基づき、ＡＣＫ／ＮＡＣＫ誤判定の有無を検出する。【０２０６】
【表３】
2009034606.tif 000011
【０２０７】
即ち、この表３において「正」となった場合、ＵＥ５は、そのまま伝送を継続する。一方、「誤」となった場合は、ＢＳ１において、ＵＥ５からのＡＣＫ返信をＮＡＣＫとして受信したか、ＵＥ５からのＮＡＣＫ返信をＡＣＫとして受信したかのどちらかである。【０２０８】
そこで、前記表３において「誤」となる場合に対して、新たな送信電力制御を追加することによってＡＣＫ／ＮＡＣＫ伝送特性の改善を行なう。なお、表３において「正」となる場合には、例えば、下記の（１１）式に示すように、上りＤＰＣＨ送信電力値ＰUL-DPCHに対してオフセット電力値ＰHS-DPCCH_offsetを加えた電力値をＡＣＫ／ＮＡＣＫの送信電力値とする。【０２０９】
【数７】
2009034606.tif 000012
【０２１０】
ここで、オフセット電力値ＰHS-DPCCH_offsetは、次の（１２）式及び（１３）式により、ＡＣＫとＮＡＣＫとで個別に決めることができる。もっとも、ＡＣＫとＮＡＣＫとで共通の値にしてもよい。
【数８】
2009034606.tif 000013
【０２１１】
ＢＳ１（又はその上位装置であるＲＮＣ）において、前記誤判定が発生した場合の補正値（送信電力補正情報）ＰHS-DPCCH_cを生成し制御信号としてＢＳ１からＵＥ５に対して事前に通知する。この制御信号は、下りの制御チャネル、好ましくは、下りＡ−ＤＰＣＨや下りＤＰＣＨ、ＨＳ−ＳＣＣＨを使用して伝送することができる。【０２１２】
また、このＡＣＫ／ＮＡＣＫ送信電力補正値ＰHS-DPCCH_cは、例えば０．５ｄＢ固定とする。なお、−０．５ｄＢと負の値を設定してもよい。即ち、下記の（１４）式及び（１５）式、又は、下記の（１６）式及び（１７）式、又は、下記の（１８）式及び（１９）式、又は、下記の（２０）式及び（２１）式としてもよい。つまり、ＡＣＫとＮＡＣＫとで送信電力を個別に制御することができる。
【数９】
2009034606.tif 000014
【０２１３】
【数１０】
2009034606.tif 000015
【０２１４】
【数１１】
2009034606.tif 000016
【０２１５】
【数１２】
2009034606.tif 000017
【０２１６】
このＡＣＫ／ＮＡＣＫ送信電力補正値ＰHS-DPCCH_cを受信したＵＥ５（送信電力制御部５７）は、前記表３で「誤」とＡＣＫ／ＮＡＣＫ誤判定検出部５６が判断した場合、第１実施形態と同様に、ＡＣＫ／ＮＡＣＫ伝送時の送信電力値を補正（制御）する（ステップＳ４１）。その際、例えば、下記の（２２）式に示すように、上りＤＰＣＨ送信電力値ＰUL-DPCHと、オフセット送信電力値ＰHS-DPCCH_offsetと、ＡＣＫ／ＮＡＣＫ補正値ＰHS-DPCCH_cとを加算することで、ＡＣＫ／ＮＡＣＫ伝送時（ステップＳ４２）の送信電力値Ｐ'ACK/NACKを算出する。
【数１３】
2009034606.tif 000018
【０２１７】
以上により、ＢＳ１においてＡＣＫ／ＮＡＣＫ誤判定が生じた場合の、ＵＥ５からＢＳ１へ送信するＡＣＫ／ＮＡＣＫの伝送特性を改善することが可能となり、以降のＢＳ１でのＡＣＫ／ＮＡＣＫ誤判定の発生率を低減することが可能となる（ステップＳ４３）。したがって、下りデータの欠落や、ＢＳ１からＵＥ５への無駄な下り伝送を削減することが可能となり、下りスループットを改善することができる。【０２１８】
また、セル端や高速移動などの無線環境に変化がない場合において、ＡＣＫ／ＮＡＣＫ誤判定が繰り返し生じてしまうことも回避できる。【０２１９】
さらに、エンハンスドＨＳＤＰシステムにおけるようなプレ／ポスト信号をＡＣＫ／ＮＡＣＫに付加する必要がないため、ＡＣＫ／ＮＡＣＫ送信に必要な電力を低く抑えることが可能となり、低消費電力化が可能となる。【０２２０】
なお、図６に示す例では、ＡＣＫ／ＮＡＣＫ誤判定を、プロセス番号と、前回のＡＣＫ／ＮＡＣＫ信号と、ＮＤＩとを用いて実施しているが、プロセス番号と、前回のＡＣＫ／ＮＡＣＫ信号と、受信した下りデータの内容を比較した結果で新規送信か再送かを判断した結果とを用いて実施することも可能である。【０２２１】
再送であることを判断する方法としては、前回と今回の受信データを比較し、完全一致している場合に再送と判断してもよいし、閾値を設定し、受信データがその閾値以上一致していた場合に再送と判断してもよい。【０２２２】
また、上述した例では、ＢＳ１（又はその上位装置）において前記補正値ＰHS-DPCCH_cを生成することとしているが、ＵＥ５の例えば送信電力制御部５７において補正値ＰHS-DPCCH_cを生成してもよい。【０２２３】
〔３〕第３実施形態
（ＡＣＫ／ＮＡＣＫ誤判定通知）
図７は本発明の第３実施形態に係る無線基地局（ＢＳ）の構成を示すブロック図であり、図８は本発明の第３実施形態に係る無線端末（ＵＥ）の構成を示すブロック図で、図７に示すＢＳ１と図８に示すＵＥ５とで無線通信システム、ここではＨＳＤＰＡシステムが構成される。なお、本例においても、ＢＳ１及びＵＥ２はそれぞれ複数存在する場合もある。【０２２４】
（ＢＳの説明）
図７に示すＢＳ１は、第２実施形態で図４に示したＢＳ１におけるものとそれぞれ同一若しくは同様の、送信バッファ１０と、符号化部１１と、変調部１２と、拡散部１２ａと、送信無線部１３と、アンテナ１４と、受信無線部１５と、逆拡散部１６ａと、復調部１６と、復号部１７と、ＡＣＫ／ＮＡＣＫ抽出部１８と、再送制御部１９と、スケジューラ２０と、制御信号生成部２１と、ＣＱＩ抽出部２２と、上りパイロット電力算出部２４と、送信電力制御部２５とをそなえるほか、ＡＣＫ／ＮＡＣＫ誤判定信号（ＡＣＫ／ＮＡＣＫエラー信号）抽出部２３をそなえる。【０２２５】
ここで、ＡＣＫ／ＮＡＣＫ誤判定信号抽出部２３は、復号部１７による復号結果から、ＵＥ５から送信されてきたＡＣＫ／ＮＡＣＫエラー信号を抽出するものである。抽出したＡＣＫ／ＮＡＣＫエラー信号は、送信電力制御部２５に伝達され、当該ＡＣＫ／ＮＡＣＫエラー信号に応じた、ＵＥ５からのＡＣＫ／ＮＡＣＫ信号の送信電力制御（上り送信電力制御）が、送信電力制御部２５によって実施される。【０２２６】
（ＵＥの説明）
一方、図８に示すＵＥ５は、第２実施形態で図４に示したＢＳ１におけるものとそれぞれ同一若しくは同様の、アンテナ５１と、受信無線部５２と、逆拡散部５３ａと、復調部５３と、復号部５４と、制御信号抽出部５５と、ＡＣＫ／ＮＡＣＫ誤判定検出部５６と、送信電力制御部５７と、ＡＣＫ／ＮＡＣＫ信号生成部５８と、再送制御部５８ａと、誤り検出部５８ｂと、符号化部５９と、変調部６０と、拡散部６０ａと、送信無線部６１と、ＣＱＩ測定部６２と、ＣＱＩ信号生成部６３とをそなえるほか、ＡＣＫ／ＮＡＣＫエラー信号生成部６４をそなえる。【０２２７】
このＡＣＫ／ＮＡＣＫエラー信号生成部（通知手段）６４は、ＡＣＫ／ＮＡＣＫ誤判定検出部５６にて、第１及び第２実施形態で述べたように、ＢＳ１においてＡＣＫ／ＮＡＣＫ誤判定が生じたと判断された場合に、その旨（ＡＣＫ／ＮＡＣＫ誤判定の判定結果）をＢＳ１に通知する信号（ＡＣＫ／ＮＡＣＫエラー信号）を生成するものである。この信号は、単に誤判定の発生を通知する信号としてもよいが、好ましくは、既述の誤判定の内容（状態）を示す信号とする。例えば次表４に示すように４ビットの信号として定義することができる。【０２２８】
【表４】
2009034606.tif 000019
【０２２９】
なお、当該ＡＣＫ／ＮＡＣＫエラー信号は、符号化部５９にて符号化され、変調部６０にて変調され、拡散部６０ａにて拡散された後、送信無線部６１にて所定の送信無線処理を施されて、アンテナ５１からＢＳ１に向けて送信される。【０２３０】
（動作説明）
以下、上述のごとく構成されたＨＳＤＰＡシステムの動作（送信電力制御）について、図９に示すシーケンス図を参照しながら説明する。ただし、図９においてステップＳ２１〜Ｓ４１の処理は、前記第２実施形態で図６により説明したステップＳ２１〜Ｓ４１の処理と同一若しくは同様である。【０２３１】
そして、第１及び第２の実施形態にて述べたのと同様に、ＢＳ１においてＡＣＫ／ＮＡＣＫ誤判定が生じたとＵＥ５（ＡＣＫ／ＮＡＣＫ誤判定検出部５６）が判断した場合、ＵＥ５は、ＡＣＫ／ＮＡＣＫエラー信号生成部６４によりＡＣＫ／ＮＡＣＫエラー信号を生成してＢＳ１に送信する（ステップＳ４２ａ）。【０２３２】
即ち、ＡＣＫ／ＮＡＣＫエラー信号生成部６４は、前記表４に従ってＡＣＫ／ＮＡＣＫエラー信号（ACK_NACKerror）を生成し、これが、符号化部５９にて符号化され、変調部６０にて変調され、拡散部６０ａにて拡散された後、送信無線部６１にて所定の送信無線処理を施されて、アンテナ５１からＢＳ１へ送信される。【０２３３】
なお、当該ＡＣＫ／ＮＡＣＫエラー信号（ACK_NACKerror）は、ＨＳ−ＤＰＣＣＨ（上り個別制御チャネル）の信号としてＢＳ１へ送信してもよいし、上りＤＰＣＨ（上り個別チャネル）やＵＬ−ＳＣＣＨ（上り共有制御チャネル）、ＵＬ−ＣＣＣＨ（上り共通制御チャネル）、ＵＬ−ＳＣＨ（上り共通データチャネル）の信号として送信してもよい。また、ＡＣＫ／ＮＡＣＫ誤判定が生じたＨＳ−ＤＳＣＨデータ（下りデータチャネルで伝送されたデータ）を特定するために、そのプロセス番号を付加してＢＳ１へ送信してもよい。【０２３４】
また、当該ＡＣＫ／ＮＡＣＫエラー信号（ACK_NACKerror）の送信タイミングは、図９に示すように、補正後の送信電力値Ｐ'ACK/NACKでのＡＣＫ／ＮＡＣＫ信号の送信（ステップＳ４２）前でもよいし、当該ＡＣＫ／ＮＡＣＫ信号の送信後でもよい。【０２３５】
さらには、当該ＡＣＫ／ＮＡＣＫ送信は行なわずに、OLE_LINK3ＡＣＫ／ＮＡＣＫエラー信号（ACK_NACKerrorOLE_LINK3）のみを送信することとしてもよい。【０２３６】
一方、ＢＳ１は、ＵＥ５から前記ＡＣＫ／ＮＡＣＫエラー信号を受信すると、これがＡＣＫ／ＮＡＣＫ誤判定信号抽出部２３にて抽出されて、送信電力制御部２５に伝達される。送信電力制御部２５は、当該ＡＣＫ／ＮＡＣＫエラー信号の内容（前記表４による定義）に基づいて、再送または新規送信を実施する。【０２３７】
また、ＢＳ１は、第１及び第２実施形態と同様にして、上りＡＣＫ／ＮＡＣＫの送信電力制御を行なって、上りＡＣＫ／ＮＡＣＫ伝送特性の改善を行なう。例えば、第２実施形態と同様に、ＡＣＫ／ＮＡＣＫ送信電力補正値ＰHS-DPCCH_c（あるいは、ＡＣＫ／ＮＡＣＫ送信電力値ＰACK/NACK）をＵＥ５に通知する。【０２３８】
以上のように、本例では、第１及び第２実施形態で述べたようにＵＥ５にてＡＣＫ／ＮＡＣＫ誤判定が検出されると、当該ＵＥ５からＢＳ１に対してＡＣＫ／ＮＡＣＫエラー信号を通知するので、ＢＳ１は、ＡＣＫ／ＮＡＣＫを誤判定したことを認識することが可能となる。したがって、以降のＵＥ５宛の下りデータの欠落や無駄な下り伝送を削減することができる。また、上りＡＣＫ／ＮＡＣＫの送信電力制御を容易に行なうことができる。【０２３９】
なお、上述したＵＥ５における動作は、ＢＳ１に適用してもよい。即ち、ＵＥ５からＢＳ１への上りデータ送信に対する下りＡＣＫ／ＮＡＣＫ送信に対して前記ＡＣＫ／ＮＡＣＫ送信電力制御（補正）を実施してもよい。【０２４０】
〔４〕第４実施形態
（他ＵＥの上り信号を基にオフセット補正値をＵＥに通知）
図１０は本発明の第４実施形態に係る無線基地局（ＢＳ）の構成を示すブロック図で、この図１０に示すＢＳ１と、図５又は図８に示したＵＥ５とで無線通信システム（ＨＳＤＰＡシステム）が構成される。なお、本例においても、ＢＳ１及びＵＥ２はそれぞれ複数存在する場合もある。【０２４１】
図１０に示すＢＳ１は、第２実施形態で図４に示したＢＳ１におけるものとそれぞれ同一若しくは同様の、送信バッファ１０と、符号化部１１と、変調部１２と、拡散部１２ａと、送信無線部１３と、アンテナ１４と、受信無線部１５と、逆拡散部１６ａと、復調部１６と、復号部１７と、ＡＣＫ／ＮＡＣＫ抽出部１８と、再送制御部１９と、スケジューラ２０と、制御信号生成部２１と、ＣＱＩ抽出部２２と、上りパイロット電力算出部２４と、送信電力制御部２５とをそなえるほか、干渉測定部２６をそなえる。【０２４２】
なお、ＢＳ１の通信相手として図８に示した構成（ＡＣＫ／ＮＡＣＫエラー信号生成部６４）を具備するＵＥ５が含まれる場合には、図７に示したＡＣＫ／ＮＡＣＫ誤判定信号（ＡＣＫ／ＮＡＣＫエラー信号）抽出部２３もそなえられ、その機能、動作は第３実施形態にて既述の機能、動作と同一若しくは同様である。【０２４３】
ここで、干渉測定部２６は、逆拡散部１６ａによる逆拡散結果から、ＵＥ５からＢＳ１に伝送されたＡＣＫ／ＮＡＣＫ信号が、他のＵＥ５が送信したＡＣＫ／ＮＡＣＫ信号に対して及ぼす影響（干渉）を測定するものである。その測定結果は、送信電力制御部２５に伝達される。前記干渉は、上り信号、例えば、ある時間にＵＥ５から送信される上りパイロット信号や、上りＡＣＫ／ＮＡＣＫ、上りＤＰＣＨの伝送特性（ＣＩＲやＳＩＲ等）を用いて測定することが可能である。【０２４４】
そして、本例の送信電力制御部２５は、前記干渉測定部２６による測定結果を基に、前記ＡＣＫ／ＮＡＣＫ信号を受信したＵＥ５または全てのＵＥ５に対するＡＣＫ／ＮＡＣＫ送信電力補正値ＰHS-DPCCH_cを算出して、当該補正値ＰHS-DPCCH_cを含む下り制御信号を制御信号生成部２１に生成させる機能を具備する。なお、この制御信号も、下り制御チャネル、好ましくは、下りＡ−ＤＰＣＨや下りＤＰＣＨ、ＨＳ−ＳＣＣＨを使用して伝送することができる。【０２４５】
（動作説明）
以下、上述のごとく構成されたＨＳＤＰＡシステムの動作（ＡＣＫ／ＮＡＣＫ送信電力制御）について、図１１に示すシーケンス図を参照しながら説明する。ただし、図１１において、ステップＳ３１ａ，Ｓ３１ｂ，Ｓ３１ｃ，Ｓ４１ａ，Ｓ４３ａ，Ｓ４３ｂ，Ｓ４３ｃを除いたステップＳ２１〜Ｓ４３の処理は、特に断らない限り、第２実施形態で図６により説明したステップＳ２１〜Ｓ４１の処理と同一若しくは同様であるから、以下では、ステップＳ３１ａ，Ｓ３１ｂ，Ｓ３１ｃ，Ｓ４１ａ，Ｓ４３ａ，Ｓ４３ｂ，Ｓ４３ｃに着目した動作を中心に説明する。【０２４６】
本例のＢＳ１は、ＵＥ５から送信されたＡＣＫ／ＮＡＣＫ信号（あるいは、第３実施形態で述べたＡＣＫ／ＮＡＣＫエラー信号（ACK_NACKerror））を受信すると（ステップＳ３１，Ｓ４３）、上りＡＣＫ／ＮＡＣＫ信号のＳＩＲを干渉測定部２７にて測定する（ステップＳ３１ａ，Ｓ４３ａ）。【０２４７】
そして、ＢＳ１の送信電力制御部２５は、その結果を基に前記ＡＣＫ／ＮＡＣＫ信号を受信したＵＥ５または全てのＵＥ５に対するＡＣＫ／ＮＡＣＫ送信電力補正値ＰHS-DPCCH_cを算出する（ステップＳ３１ｂ，Ｓ４３ｂ）。【０２４８】
その算出方法としては、例えば、上りＡＣＫ／ＮＡＣＫ信号のＳＩＲに関して閾値ＳＩＲthを設定し、当該閾値ＳＩＲthを超えないようＡＣＫ／ＮＡＣＫ送信電力補正値ＰHS-DPCCH_cを決定することが考えられる。【０２４９】
また、例えば、ＡＣＫ／ＮＡＣＫ送信電力補正値ＰHS-DPCCH_cの初期値を０．５ｄＢとし、制御を繰り返し、閾値ＳＩＲthを超えない範囲でＡＣＫ／ＮＡＣＫ送信電力補正値ＰHS-DPCCH_cが最大値をとるように制御を行なってもよい。【０２５０】
さらには、ＡＣＫとＮＡＣＫとで個別にオフセット電力値ＰHS-DPCCH_offsetを設定する場合には、上りＡＣＫ／ＮＡＣＫ信号のＳＩＲに関して２つの閾値ＳＩＲth_upと閾値ＳＩＲth_downとを設定し、前記（５）式及び（６）式におけるΔACK及びΔNACKの制御を行ない、それぞれの閾値に近づくよう制御を繰り返してもよい。【０２５１】
ＢＳ１は、その後、上述のごとく求めたＡＣＫ／ＮＡＣＫ送信電力補正値ＰHS-DPCCH_cを含む下り制御信号を、制御信号生成部２１に生成させて、符号化部１１、変調部１２、拡散部１２ａ、送信無線部１３、アンテナ１４を通じて、当該ＵＥ５または全てのＵＥ５に対して送信（通知）する（ステップＳ３１ｃ，Ｓ４３ｃ）。【０２５２】
ＵＥ５は、既述のとおりのＡＣＫ／ＮＡＣＫ誤判定の有無を確認すると、ＢＳ１から通知された前記ＡＣＫ／ＮＡＣＫ送信電力補正値ＰHS-DPCCH_cを用いて、ＡＣＫ／ＮＡＣＫ送信電力制御を行なう（ステップＳ４１ａ）。【０２５３】
例えば、ＵＥ５（ＡＣＫ／ＮＡＣＫ誤判定検出部５６）においてＡＣＫ／ＮＡＣＫ誤判定を検出した場合、送信電力制御部５７が、ＢＳ１から通知されたOLE_LINK1前記ＡＣＫ／ＮＡＣＫ送信電力補正値ＰHS-DPCCH_cOLE_LINK1を、ＡＣＫ／ＮＡＣＫ送信電力値ＰACK/NACKに反映させて補正し、ＡＣＫ／ＮＡＣＫ送信電力値Ｐ′ACK/NACKとして、ＵＥ５からＢＳ１に対して、ＡＣＫ／ＮＡＣＫ信号を送信する（ステップＳ４３）。【０２５４】
つまり、本例では、ＵＥ５から送信されたＡＣＫ／ＮＡＣＫ信号が、他ＵＥ５からＢＳ１への送信に対して及ぼす干渉の影響を考慮したＡＣＫ／ＮＡＣＫ送信電力補正値ＰHS-DPCCH_cをＢＳ１にて算出し、当該補正値ＰHS-DPCCH_cをＢＳ１からＵＥ５に通知することで、ＵＥ５は、この補正値ＰHS-DPCCH_cを用いてＡＣＫ／ＮＡＣＫ送信電力制御を行なうのである。【０２５５】
したがって、本例においても、上りＡＣＫ／ＮＡＣＫの伝送特性を改善することが可能となり、以降のＢＳ１でのＡＣＫ／ＮＡＣＫ誤判定の発生率を低減することができる。これにより、ＵＥ５宛の下りデータ欠落や無駄な下り伝送を削減することが可能となり、下りスループットを改善することができる。【０２５６】
また、エンハンスドＨＳＤＰＡシステムにおけるようなプレ／ポスト信号をＡＣＫ／ＮＡＣＫに付加する必要がないため、送信電力を低く抑えることが可能となり、低消費電力化が可能となる。【０２５７】
さらに、ＡＣＫ／ＮＡＣＫ送信による上り干渉を低減することが可能となる。この結果、他の上り通信の伝送特性を改善することが可能となる。【０２５８】
なお、本例では、ＡＣＫ／ＮＡＣＫ送信電力補正値ＰHS-DPCCH_cをＢＳ１において算出してＵＥ５に通知しているが、例えば、ＢＳ１からは干渉測定部２６による測定結果をＵＥ５に通知し、ＵＥ５（例えば、送信電力制御部５７）において、当該通知された測定結果に基づきＡＣＫ／ＮＡＣＫ送信電力補正値ＰHS-DPCCH_cを算出するようにしてもよい【０２５９】
〔５〕第５実施形態
（ＢＳにおけるＣＱＩを利用した制御）
図１２は本発明の第５実施形態に係る無線基地局（ＢＳ）の構成を示すブロック図で、この図１２に示すＢＳ１と、図５又は図８に示したＵＥ５とで無線通信システム（ＨＳＤＰＡシステム）が構成される。なお、本例においても、ＢＳ１及びＵＥ５はそれぞれ複数存在する場合もある。【０２６０】
図１２に示すＢＳ１は、第２実施形態で図４に示したＢＳ１におけるものとそれぞれ同一若しくは同様の、送信バッファ１０と、符号化部１１と、変調部１２と、拡散部１２ａと、送信無線部１３と、アンテナ１４と、受信無線部１５と、逆拡散部１６ａと、復調部１６と、復号部１７と、ＡＣＫ／ＮＡＣＫ抽出部１８と、再送制御部１９と、スケジューラ２０と、制御信号生成部２１と、ＣＱＩ抽出部２２と、上りパイロット電力算出部２４と、送信電力制御部２５とをそなえるほか、ＣＱＩ記憶部２７をそなえる。【０２６１】
なお、本例においても、ＢＳ１の通信相手として図８に示した構成（ＡＣＫ／ＮＡＣＫエラー信号生成部６４）を具備するＵＥ５が含まれる場合には、図７に示したＡＣＫ／ＮＡＣＫ誤判定信号（ＡＣＫ／ＮＡＣＫエラー信号）抽出部２３もそなえられ、その機能、動作は第３実施形態にて既述の機能、動作と同一若しくは同様である。【０２６２】
ここで、ＣＱＩ記憶部２７は、ＣＱＩ抽出部２２にて抽出されたＣＱＩ、即ち、ＵＥ５への下り送信（例えば、ＨＳ−ＤＳＣＨ送信）時（新規及び再送）に、スケジューラ２０での送信対象のＵＥ５の選択基準として使用されるＣＱＩを記憶するものである。その記憶内容は、送信電力制御部２５によって適宜参照される（読み出される）。【０２６３】
そして、本例の送信電力制御部２５は、ＣＱＩ記憶部２７に記憶された、複数回の下り送信にそれぞれ用いたＣＱＩの差分ＣＱＩdiffを基に伝搬環境の変動を算出し、その差分ＣＱＩdiffに応じたＡＣＫ／ＮＡＣＫ送信電力補正値を求めて、下り制御信号としてＵＥ５に送信する機能を具備する。なお、当該制御信号は、制御信号生成部２１にて生成され、下りの制御チャネル、好ましくは、下りＡ−ＤＰＣＨや下りＤＰＣＨ、ＨＳ−ＳＣＣＨを使用して伝送することができる。【０２６４】
（動作説明）
以下、上述のごとく構成されたＨＳＤＰＡシステムの動作（ＡＣＫ／ＮＡＣＫ送信電力制御）について、図１３に示すシーケンス図及び図１４に示すフローチャートを参照しながら説明する。ただし、図１３において、ステップＳ２３ａ，Ｓ３４ａ，Ｓ３４ｂ，Ｓ３４ｃを除いたステップＳ２１〜Ｓ４３の処理は、特に断らない限り、第２実施形態で図６により説明したステップＳ２１〜Ｓ４１の処理と同一若しくは同様である。また、ステップＳ４１ａの処理は、図１１により説明した処理と同一若しくは同様である。以下では、ステップＳ２３ａ，Ｓ３４ａ，Ｓ３４ｂ，Ｓ３４ｃに着目した動作を中心に説明する。【０２６５】
即ち、ＵＥ５は、既述のとおり、ＢＳ１から受信された下りパイロット信号を基にＣＱＩを測定してＢＳ１へ送信するが（図１３のステップＳ２２，Ｓ２３，Ｓ３３，Ｓ３４）、ＢＳ１では、当該ＣＱＩがＣＱＩ抽出部２２にて抽出されて、ＣＱＩ記憶部２７に逐次記憶される（ステップＳ２３ａ，Ｓ３４ａ）。なお、図１３においては、ＵＥ５が１回目に送信したＣＱＩをＣＱＩ１、２回目に送信したＣＱＩをＣＱＩ２としている。【０２６６】
そして、ＢＳ１では、送信電力制御部２５にて、これらのＣＱＩ１とＣＱＩ２との差分ＣＱＩdiffを求め、当該差分ＣＱＩdiffに応じたＡＣＫ／ＮＡＣＫ送信電力補正値ＰHS-DPCCH_c2（＝δ）を求め（ステップＳ３４ｂ）、これを下り制御信号にてＵＥ５に送信する（ステップＳ３４ｃ）。【０２６７】
なお、図１３では、この制御信号の送信をスケジューリング（ステップＳ３５）の前に実施しているが、スケジューリングの後としてもよい。好ましくは、下りデータ送信（ＨＳ−ＤＳＣＨ）に対する上りＡＣＫ／ＮＡＣＫ送信（ステップＳ４２）前までに、当該制御信号の送信を行なえばよい。【０２６８】
ここで、ＢＳ１での当該ＡＣＫ／ＮＡＣＫ送信電力補正方法について、図１４に示すフローチャートを用いて説明する。なお、ここでは、ＡＣＫ／ＮＡＣＫ誤判定の有無に関わらず、ＢＳ１においてＡＣＫ／ＮＡＣＫ送信電力補正値ＰHS-DPCCH_c2を算出し、ＵＥ５へ通知する場合を想定する。【０２６９】
ＢＳ１には、送信電力制御部２５において、ＣＱＩの差分ＣＱＩdiffに関する閾値ＣＱＩdiff_thが図示しないメモリ等に予め設定される（ステップＳ５１）。【０２７０】
その後、送信電力制御部２５は、ＣＱＩ記憶部２７から、前回のＨＳ−ＤＳＣＨ送信に用いた下りＣＱＩ１と、その次のＨＳ−ＤＳＣＨ送信に用いた下りＣＱＩ２とを読み出し（ステップＳ５２，Ｓ５３）、下記の（２３）式により、これらの差分ＣＱＩdiffを求める（ステップＳ５４）。なお、この差分ＣＱＩdiffが大きいほど、伝搬環境の変動が大きいと判断することができる。
【数１４】
2009034606.tif 000020
【０２７１】
そこで、送信電力制御部２５は、前記差分ＣＱＩdiffと前記閾値ＣＱＩdiff_thとを比較して、差分ＣＱＩdiffが閾値ＣＱＩdiff_thを超えている（ＣＱＩdiff＞ＣＱＩdiff_th）か否かを確認し（ステップＳ５５）、超えていれば、伝搬環境の変動（劣化）が大きいため、通常の上りＤＰＣＨ電力制御をベースとしたＨＳ−ＤＰＣＣＨ送信電力値では、ＡＣＫ／ＮＡＣＫ誤判定が生じると判断して、差分ＣＱＩdiffに対応したＡＣＫ／ＮＡＣＫ送信電力補正値ＰHS-DPCCH_c2をδとする（ステップＳ５５のＹＥＳルートからステップＳ５６）。【０２７２】
一方、差分ＣＱＩdiffが閾値ＣＱＩdiff_th以下である（ＣＱＩdiff≦ＣＱＩdiff_th）場合、送信電力制御部２５は、伝搬環境の変動（劣化）が小さいため、通常の上りＤＰＣＨ電力制御をベースとしたＨＳ−ＤＰＣＣＨ送信電力値でも、ＡＣＫ／ＮＡＣＫ誤判定は生じないと判断して、差分ＣＱＩdiffに対応したＡＣＫ／ＮＡＣＫ送信電力補正値ＰHS-DPCCH_c2を好ましくは０とする（ステップＳ５５のＮＯルートからステップＳ５７）。【０２７３】
そして、送信電力制御部２５は、得られたＡＣＫ／ＮＡＣＫ送信電力補正値ＰHS-DPCCH_c2を制御信号にてＵＥ５に通知する（ステップＳ５８）。なお、ＡＣＫ／ＮＡＣＫ送信電力値Ｐ″ACK/NACKを通知する場合は、下記の（２４）式や（２５式）により、ＡＣＫ／ＮＡＣＫ送信電力値Ｐ″ACK/NACKを求める（ステップＳ５８）。
【数１５】
2009034606.tif 000021
【０２７４】
即ち、得られたＡＣＫ／ＮＡＣＫ送信電力補正値ＰHS-DPCCH_c2をＡＣＫ／ＮＡＣＫ補正値ＰHS-DPCCH_cの一部として設定してもよいし、別なものとして設定してもよい。【０２７５】
そして、図１３に示すように、ＢＳ１は、スケジューラ２０にて、集約した各ＵＥ５からのＣＱＩを基に、下り送信を行なう対象のＵＥ５を選択（スケジューリング）し（ステップＳ３５）、送信対象ＵＥ５への下り送信を開始する（ステップＳ３６，Ｓ３８）。【０２７６】
ＵＥ５は、既述の実施形態と同様にＡＣＫ／ＮＡＣＫ誤判定を検出すると（ステップＳ３７，Ｓ３９，Ｓ４０）、上述のごとくＢＳ１から通知されたＡＣＫ／ＮＡＣＫ送信電力補正値ＰHS-DPCCH_c2（あるいは、送信電力値Ｐ″ACK/NACK）を基に、ＡＣＫ／ＮＡＣＫの送信電力値を補正して、ＢＳ１へのＡＣＫ／ＮＡＣＫ送信を行なう（ステップＳ４１，Ｓ４２）。【０２７７】
つまり、本例では、上りＡＣＫ／ＮＡＣＫの伝送誤りが生じた場合、ＢＳ１において、ＵＥ５から通知された無線回線特性情報（ＣＱＩ）を基に伝搬環境の変動を判断し、その変動に応じた、上りＡＣＫ／ＮＡＣＫを伝送する際の送信電力補正値を算出し、これをＵＥ５に通知し、この通知を受けたＵＥ５が、当該補正値を基に上りＡＣＫ／ＮＡＣＫ送信の送信電力を制御する。【０２７８】
したがって、第４実施形態と同様の効果ないし利点が得られるほか、ＡＣＫ／ＮＡＣＫ誤判定の発生率をさらに低減して、ＡＣＫ／ＮＡＣＫ伝送特性を改善することができる。【０２７９】
〔６〕第６実施形態
（ＵＥにおけるＣＱＩを利用した制御）
図１５は本発明の第６実施形態に係る無線端末（ＵＥ）の構成を示すブロック図で、この図１５に示すＵＥ５と、図４又は図７又は図１０に示したＢＳ１とで無線通信システム（ＨＳＤＰＡシステム）が構成される。なお、本例においても、ＢＳ１及びＵＥ５はそれぞれ複数存在する場合もある。【０２８０】
図１５に示すＵＥ５は、第２実施形態で図５に示したＵＥ５におけるものとそれぞれ同一若しくは同様の、アンテナ５１と、受信無線部５２と、逆拡散部５３ａと、復調部５３と、復号部５４と、制御信号抽出部５５と、ＡＣＫ／ＮＡＣＫ誤判定検出部５６と、送信電力制御部５７と、ＡＣＫ／ＮＡＣＫ信号生成部５８と、再送制御部５８ａと、誤り検出部５８ｂと、符号化部５９と、変調部６０と、拡散部６０ａと、送信無線部６１と、ＣＱＩ測定部６２と、ＣＱＩ信号生成部６３とをそなえるほか、ＣＱＩ記憶部６５をそなえる。【０２８１】
ここで、ＣＱＩ記憶部６５は、ＣＱＩ測定部６２で測定されたＣＱＩを記憶するものである。その記憶内容は、送信電力制御部５７によって、適宜参照される（読み出される）。【０２８２】
そして、本例の送信電力制御部５７は、このＣＱＩ記憶部６５に記憶された、複数のＣＱＩ、好ましくは、ＡＣＫ／ＮＡＣＫ誤判定検出部５６でのＡＣＫ／ＮＡＣＫ誤判定の検出前後のタイミングでのＣＱＩに基づいて、ＡＣＫ／ＮＡＣＫ送信電力制御を行なう。例えば、ＡＣＫ／ＮＡＣＫ送信直前に測定したＣＱＩ１と、ＡＣＫ／ＮＡＣＫ誤判定がＡＣＫ／ＮＡＣＫ誤判定検出部５６にて検出された直後のＡＣＫ／ＮＡＣＫ送信直前のＣＱＩ２とに基づいて、ＡＣＫ／ＮＡＣＫ送信電力制御を行なうことが可能である。【０２８３】
つまり、第５実施形態ではＢＳ１においてＵＥ５から通知されたＣＱＩを基にＢＳ１が上りＡＣＫ／ＮＡＣＫの送信電力制御を行なったのに対し、本例では、ＵＥ５において測定したＣＱＩを基にＵＥ５が上りＡＣＫ／ＮＡＣＫの送信電力制御を行なう。【０２８４】
（動作説明）
以下、上述のごとく構成されたＨＳＤＰＡシステムの動作（ＡＣＫ／ＮＡＣＫ送信電力制御）について、図１６に示すシーケンス図及び図１７に示すフローチャートを参照しながら説明する。ただし、図１６において、ステップＳ２３ｂ，Ｓ３４ｄを除いたステップＳ２１〜Ｓ４３の処理は、特に断らない限り、第２実施形態で図６により説明したステップＳ２１〜Ｓ４１の処理と同一若しくは同様である。また、ステップＳ４１ａの処理は、図１１により説明した処理と同一若しくは同様である。以下では、ステップＳ２３ｂ，Ｓ３４ｄに着目した動作を中心に説明する。【０２８５】
即ち、ＵＥ５は、既述のとおり、ＢＳ１から受信された下りパイロット信号を基にＣＱＩを測定してＢＳ１へ送信するが（図１６のステップＳ２２，Ｓ２３，Ｓ３３，Ｓ３４）、当該ＣＱＩをＣＱＩ記憶部６５にそれぞれ記憶しておく（ステップＳ２３ｂ，Ｓ３４ｄ）。なお、本例（図１６）においても、ＵＥ５が１回目に送信したＣＱＩをＣＱＩ１、２回目に送信したＣＱＩをＣＱＩ２としている。【０２８６】
そして、ＢＳ１は、スケジューラ２０にて、集約した各ＵＥ５からのＣＱＩを基に、下り送信を行なう対象のＵＥ５を選択（スケジューリング）し（ステップＳ３５）、送信対象ＵＥ５への下り送信を開始し（ステップＳ３６，Ｓ３８）、ＵＥ５は、既述の実施形態と同様にＡＣＫ／ＮＡＣＫ誤判定を検出すると（ステップＳ３７，Ｓ３９，Ｓ４０）、ＡＣＫ／ＮＡＣＫ送信電力補正値ＰHS-DPCCH_c3（あるいは、送信電力値）を算出して、補正したＡＣＫ／ＮＡＣＫの送信電力値にて、ＢＳ１へのＡＣＫ／ＮＡＣＫ送信を行なう（ステップＳ４１，Ｓ４２）。【０２８７】
ここで、ＵＥ５での当該ＡＣＫ／ＮＡＣＫ送信電力補正方法について、図１７に示すフローチャートを用いて説明する。【０２８８】
ＵＥ５には、送信電力制御部５７（再送制御部５８ａでもよい）において、ＣＱＩの差分ＣＱＩdiffに関する閾値ＣＱＩdiff_thが図示しないメモリ等に予め設定される（ステップＳ６１）。【０２８９】
その後、送信電力制御部５７（あるいは再送制御部５８ａ）は、ＣＱＩ記憶部６５から、ＡＣＫ／ＮＡＣＫ送信直前に測定したＣＱＩ１と、ＡＣＫ／ＮＡＣＫ誤判定がＡＣＫ／ＮＡＣＫ誤判定検出部５６にて検出された直後のＡＣＫ／ＮＡＣＫ送信直前のＣＱＩ２とを読み出し（ステップＳ６２，Ｓ６３）、これらの差分ＣＱＩdiffを求める（ステップＳ６４）。なお、本例においても、この差分ＣＱＩdiffが大きいほど、伝搬環境の変動が大きいと判断することができる。【０２９０】
そこで、送信電力制御部５７（あるいは再送制御部５８ａ）は、前記差分ＣＱＩdiffと前記閾値ＣＱＩd iff_thとを比較して、差分ＣＱＩdiffが閾値ＣＱＩdiff_thを超えている（ＣＱＩdiff＞ＣＱＩdiff_th）か否かを確認し（ステップＳ６５）、超えていれば、伝搬環境の変動（劣化）が大きいため、通常の上りＤＰＣＨ電力制御をベースとしたＨＳ−ＤＰＣＣＨ送信電力値では、ＡＣＫ／ＮＡＣＫ誤判定が生じると判断して、差分ＣＱＩdiffに対応したＡＣＫ／ＮＡＣＫ送信電力補正値ＰHS-DPCCH_c3をδとして算出する（ステップＳ６５のＹＥＳルートからステップＳ６６）。【０２９１】
一方、差分ＣＱＩdi ffが閾値ＣＱＩdiff_th以下である（ＣＱＩdiff≦ＣＱＩdiff_th）場合、送信電力制御部５７は、伝搬環境の変動（劣化）が小さいため、通常の上りＤＰＣＨ電力制御をベースとしたＨＳ−ＤＰＣＣＨ送信電力値でも、ＡＣＫ／ＮＡＣＫ誤判定は生じないと判断して、差分ＣＱＩdiffに対応したＡＣＫ／ＮＡＣＫ送信電力補正値ＰHS-DPCCH_c3を０とする（ステップＳ６５のＮＯルートからステップＳ６７）。【０２９２】
そして、送信電力制御部５７は、得られたＡＣＫ／ＮＡＣＫ送信電力補正値ＰHS-DPCCH_c3を基に、下記の（２６）式や（２７式）により、ＡＣＫ／ＮＡＣＫ送信電力値Ｐ″ACK/NACKを求める（ステップＳ６８）。
【数１６】
2009034606.tif 000022
【０２９３】
即ち、得られたＡＣＫ／ＮＡＣＫ送信電力補正値ＰHS-DPCCH_c3をＡＣＫ／ＮＡＣＫ補正値ＰHS-DPCCH_cの一部として設定してもよいし、別なものとして設定してもよい。【０２９４】
以上のように、本例では、受信側であるＵＥ５がＡＣＫ／ＮＡＣＫ送信を行なった際の無線回線特性情報（ＣＱＩ）を記憶しておき、送信側であるＢＳ１におけるＡＣＫ／ＮＡＣＫ伝送誤りを検知した場合、記憶した以前のＣＱＩと現状のＣＱＩとを比較し、その比較結果を基にＢＳ１へのＡＣＫ／ＮＡＣＫを伝送する際の送信電力補正値を算出し、これを用いてＡＣＫ／ＮＡＣＫ送信を行なう。【０２９５】
つまり、ＡＣＫ／ＮＡＣＫの伝送誤りが生じた場合、受信側であるＵＥ５において測定したＣＱＩ（無線回線特性）を基にＡＣＫ／ＮＡＣＫを伝送する際の送信電力を制御する。したがって、第４実施形態と同様の効果ないし利点が得られるほか、この場合、ＵＥ５においてＡＣＫ／ＮＡＣＫ送信の直前に測定、算出したＣＱＩを用いる、即ち、第５実施形態に比して、ＡＣＫ／ＮＡＣＫ送信に対して時間的により近いＣＱＩを用いるため、第５実施形態に比して、ＡＣＫ／ＮＡＣＫ送信電力制御の制度を向上することができる。【０２９６】
〔７〕第７実施形態
（ＵＥにおけるＡＣＫ／ＮＡＣＫ送信電力値差分を用いた補正）
図１８は本発明の第７実施形態に係る無線端末（ＵＥ）の構成を示すブロック図で、この図１８に示すＵＥ５と、図４又は図７又は図１０に示したＢＳ１とで無線通信システム（ＨＳＤＰＡシステム）が構成される。なお、本例においても、ＢＳ１及びＵＥ５はそれぞれ複数存在する場合もある。【０２９７】
図１８に示すＵＥ５は、第２実施形態で図５に示したＵＥ５におけるものとそれぞれ同一若しくは同様の、アンテナ５１と、受信無線部５２と、逆拡散部５３ａと、復調部５３と、復号部５４と、制御信号抽出部５５と、ＡＣＫ／ＮＡＣＫ誤判定検出部５６と、送信電力制御部５７と、ＡＣＫ／ＮＡＣＫ信号生成部５８と、再送制御部５８ａと、誤り検出部５８ｂと、符号化部５９と、変調部６０と、拡散部６０ａと、送信無線部６１と、ＣＱＩ測定部６２と、ＣＱＩ信号生成部６３とをそなえるほか、ＡＣＫ／ＮＡＣＫ送信電力記憶部６６をそなえる。【０２９８】
ここで、このＡＣＫ／ＮＡＣＫ送信電力記憶部６６は、ＢＳ１へのＡＣＫ／ＮＡＣＫ送信毎に、その時のＡＣＫ／ＮＡＣＫ送信電力値を記憶するものである。その記憶内容は、送信電力制御部５７によって、適宜、参照される（読み出される）。【０２９９】
そして、本例の送信電力制御部５７は、ＡＣＫ／ＮＡＣＫの送信に際して、ＡＣＫ／ＮＡＣＫ送信電力値の差分に基づいてＡＣＫ／ＮＡＣＫ送信電力値の補正を行ない、送信電力制御を行なう機能を具備する。つまり、前記の第５及び第６実施形態では、ＣＱＩの差分を基に伝搬環境の変動を判断していたのに対し、本例では、ＡＣＫ／ＮＡＣＫ送信電力値の差分を基に伝搬環境の変動を判断する。なお、当該機能は、再送制御部５８ａに具備してもよい。【０３００】
（動作説明）
以下、上述のごとく構成されたＨＳＤＰＡシステムの動作（ＡＣＫ／ＮＡＣＫ送信電力制御）について、図１９に示すシーケンス図及び図２０に示すフローチャートを参照しながら説明する。ただし、図１９において、ステップＳ２９ａを除いたステップＳ２１〜Ｓ４３の処理は、特に断らない限り、第２実施形態で図６により説明したステップＳ２１〜Ｓ４１の処理と同一若しくは同様である。また、ステップＳ４１ａの処理は、図１１により説明した処理と同一若しくは同様である。【０３０１】
即ち、図１９に示すように、ＨＳ−ＤＳＣＨ信号を受信し（ステップＳ２６）、ＡＣＫ／ＮＡＣＫを送信（ステップＳ３０）したＵＥ５（送信電力制御部５７）は、そのＡＣＫ／ＮＡＣＫ送信電力値ＰACK/NACKをＡＣＫ／ＮＡＣＫ送信電力記憶部６６に記憶する（ステップＳ２９ａ）。【０３０２】
その後、ＵＥ５（送信電力制御部５７あるいは再送制御部５８ａ）は、次のＨＳ−ＤＳＣＨ信号の受信（ステップＳ３８）に対するＡＣＫ／ＮＡＣＫ送信（ステップＳ４２）に際して、図２０に示すように、前回のＡＣＫ／ＮＡＣＫ送信電力値ＰACK/NACKをＡＣＫ／ＮＡＣＫ送信電力記憶部６６から読み出し、ＰACK/NACK_beforeとする（ステップＳ７１）。【０３０３】
ここで、ＡＣＫ／ＮＡＣＫ誤判定検出部５６にてＡＣＫ／ＮＡＣＫ誤判定が検出された場合、送信電力制御部５７（あるいは再送制御部５８ａ）は、ＡＣＫ／ＮＡＣＫ誤判定が判明したデータに対して通常の算出方法で算出した（補正しない）ＡＣＫ／ＮＡＣＫ送信電力値をＰACK/NACK_afterとする（ステップＳ７２）。なお、通常の算出方法とは、例えば、上りＤＰＣＨ送信電力値に対して、オフセット送信電力値を加算することである。【０３０４】
そして、送信電力制御部５７は、下記の（２８）式に示すように、当該ＡＣＫ／ＮＡＣＫ送信電力値ＰACK/NACK_afterと、ＡＣＫ／ＮＡＣＫ誤判定を生じさせたＡＣＫ／ＮＡＣＫ送信電力値ＰACK/NACK_beforeとの差分ＰACK/NACK_diffを算出する（ステップＳ７３）。
【数１７】
2009034606.tif 000023
【０３０５】
送信電力制御部５７は、さらに、得られた当該差分ＰACK/NACK_diffと、この差分ＰACK/NACK_diffに関する閾値ＰACK/NACK_diff_thとを比較して、算出した差分ＰACK/NACK_diffが閾値ＰACK/NACK_diff_thを超えている（ＰACK/NACK_diff＞ＰACK/NACK_diff_th）か否かを確認する（ステップＳ７４）。なお、閾値ＰACK/NACK_diff_thは、例えば、送信電力制御部５７の図示しないメモリ等に予め設定、記憶されているものとする。【０３０６】
その結果、超えていれば、送信電力制御部５７は、伝搬環境の変動（劣化）が大きいと判断し、通常の上りＤＰＣＨ電力制御をベースとしたＨＳ−ＤＰＣＣＨ送信電力値では、ＡＣＫ／ＮＡＣＫ誤判定が生じると判断して、算出した差分ＰACK/NACK_diffに対応したＡＣＫ／ＮＡＣＫ送信電力補正値ＰHS-DPCCH_c4をδとして算出する（ステップＳ７４のＹＥＳルートからステップＳ７５）。【０３０７】
一方、算出した差分ＰACK/NACK_diffが閾値ＰACK/NACK_diff_th以下（ＰACK/NACK_diff≦ＰACK/NACK_diff_th）であれば、送信電力制御部５７は、ＡＣＫ／ＮＡＣＫ送信電力補正値ＰHS-DPCCH_c4を０とする（ステップＳ７４のＮＯルートからステップＳ７６）。【０３０８】
送信電力制御部５７は、このようにして求めたＡＣＫ／ＮＡＣＫ送信電力補正値ＰHS-DPCCH_c4を用いて、下記の（２９）式に示すように、ＡＣＫ／ＮＡＣＫ送信電力値Ｐ'''ACK/NACKを算出する（ステップＳ７７）。このＡＣＫ／ＮＡＣＫ送信電力値Ｐ'''ACK/NACKは、ＡＣＫ／ＮＡＣＫ送信電力記憶部６６に記憶される。【０３０９】
【数１８】
2009034606.tif 000024
【０３１０】
なお、下記の（３０）式に示すように、第５実施形態と同様、ＡＣＫ／ＮＡＣＫ送信電力補正値ＰHS-DPCCH_c4をＡＣＫ／ＮＡＣＫ補正値ＰHS-DPCCH_cの一部として設定してもよい。【０３１１】
【数１９】
2009034606.tif 000025
また、別なものとして下記の（３１）式で設定してもよい。
【数２０】
2009034606.tif 000026
更に、第５実施形態に本実施形態を適用し、下記の（３２）式で設定してもよい。
【数２１】
2009034606.tif 000027
【０３１２】
以上のように、本実施形態においても、ＡＣＫ／ＮＡＣＫ送信電力制御（補正）を実施することによって、ＡＣＫ／ＮＡＣＫ伝送特性が改善され、第４実施形態と同様の効果ないし利点が得られる。【０３１３】
なお、本例のＡＣＫ／ＮＡＣＫ送信電力制御（補正）は、ＵＥ５からＡＣＫ／ＮＡＣＫ送信電力値をＢＳ１に伝送（通知）して、ＢＳ１側で実施することも可能である。【０３１４】
また、上述した例では、ＡＣＫ／ＮＡＣＫ誤判定が検出された場合に、ＡＣＫ／ＮＡＣＫ送信電力補正を実施しているが、ＡＣＫ／ＮＡＣＫ誤判定の有無に関わらず、前記ＡＣＫ／ＮＡＣＫ送信電力補正を実施してもよい。【０３１５】
〔８〕第８実施形態
（ＵＥにおける受信信号処理の削減）
図２１は本発明の第８実施形態に係る無線端末（ＵＥ）の構成を示すブロック図で、この図２１に示すＵＥ５と、図４又は図７又は図１０又は図１２に示したＢＳ１とで無線通信システム（ＨＳＤＰＡシステム）が構成される。なお、本例においても、ＢＳ１及びＵＥ５はそれぞれ複数存在する場合もある。【０３１６】
図２１に示すＵＥ５は、第２実施形態で図５に示したＵＥ５におけるものとそれぞれ同一若しくは同様の、アンテナ５１と、受信無線部５２と、逆拡散部５３ａと、復調部５３と、復号部５４と、制御信号抽出部５５と、ＡＣＫ／ＮＡＣＫ誤判定検出部５６と、送信電力制御部５７と、ＡＣＫ／ＮＡＣＫ信号生成部５８と、再送制御部５８ａと、誤り検出部５８ｂと、符号化部５９と、変調部６０と、拡散部６０ａと、送信無線部６１と、ＣＱＩ測定部６２と、ＣＱＩ信号生成部６３とをそなえるほか、受信制御部６７をそなえる。【０３１７】
ここで、この受信制御部６７は、ＢＳ１からの下り信号の受信処理を制御するものである。例えば、ＡＣＫ／ＮＡＣＫ誤判定検出部５６の検出結果から、ＢＳ１に対してＡＣＫを送信したにも関わらずＢＳ１から再送が行なわれると判断した場合に、下りデータ（ＨＳ−ＤＳＣＨ）の受信を行なわない、あるいは、下りデータの逆拡散、復調又は復号を行なわないように受信制御を行なう。なお、当該受信制御部６７は、既述の各実施形態におけるＵＥ５に適用することもできる。【０３１８】
（動作説明）
以下、上述のごとく構成されたＵＥ５の動作（受信処理削減）について、図２２に示すフローチャートを参照しながら説明する。【０３１９】
即ち、ＵＥ５は、第１乃至第７実施形態で説明したように、ＡＣＫ／ＮＡＣＫ送信後の次の下りデータ受信に先立ってＨＳ−ＳＣＣＨを受信し（図６，図９，図１１，図１３，図１６又は図１９のステップＳ３６）、ＡＣＫ／ＮＡＣＫ誤判定検出部５６にて、プロセス番号（Ｐｎ）とＮＤＩとを確認した結果（ステップＳ８１，Ｓ８２）、ＢＳ１にＡＣＫを送信したにも関わらず当該ＢＳ１から再送が行なわれると判断した場合、ＢＳ１においてＡＣＫを誤ってＮＡＣＫと解釈したものと判断する（ステップＳ８３のＹＥＳルート）。【０３２０】
すると、ＵＥ５は、受信制御部７６によって、例えば、ＨＳ−ＳＣＣＨ信号のみを受信し、ＨＳ−ＤＳＣＨ信号を受信しない、即ち、下りデータ伝送のための下り制御信号は受信するが、下りデータは受信しないように、下り受信処理を制御する。あるいは、下りデータ（ＨＳ−ＤＳＣＨ信号）を受信するが、逆拡散、復調又は復号を行なわないようにする。例えば、逆拡散部５３ａ、復調部５３、復号部５４を制御し、これらの動作を停止するか、または電源を停止する（ステップＳ８４）。また、既に下りデータを誤りなしに受信できたことから、再びＡＣＫを送信する。【０３２１】
一方、ＢＳ１においてＵＥ５からのＡＣＫを正しく受信し、ＵＥ５に対して新規データ送信が行なわれた場合、つまり、ＡＣＫ／ＮＡＣＫ誤判定が検出されない場合（ステップＳ８４のＮＯルート）、ＵＥ５（受信制御部６７）は、通常の受信処理を実施する（ステップＳ８５）。【０３２２】
以降、ＵＥ５は、送信電力制御部５７（あるいは再送制御部５８ａ）により、第１乃至第７実施形態で説明したＡＣＫ／ＮＡＣＫ送信電力補正を行ない、ＢＳ１に対してＡＣＫ／ＮＡＣＫを送信する。【０３２３】
以上のように、本例によれば、ＵＥ５がＢＳ１にＡＣＫを送信したにも関わらずＢＳ１から無駄な再送が行なわれてしまう場合に、無駄な受信信号処理を削減することができるから、ＵＥ５の消費電力を削減することが可能となる。【０３２４】
なお、かかる受信信号処理の削減動作は、ＢＳ１での処理、即ち、上りデータの受信処理に適用することも可能である。【０３２５】
〔９〕第９実施形態
（ＣＱＩ及びＡＣＫ／ＮＡＣＫ送信電力制御値を用いた制御）
図２３は本発明の第９実施形態に係る無線端末（ＵＥ）の構成を示すブロック図で、この図２３に示すＵＥ５と、図４又は図７又は図１０に示したＢＳ１とで無線通信システム（ＨＳＤＰＡシステム）が構成される。なお、本例においても、ＢＳ１及びＵＥ５はそれぞれ複数存在する場合もある。【０３２６】
この図２３に示すＵＥ５は、第２実施形態で図５に示したＵＥ５におけるものとそれぞれ同一若しくは同様の、アンテナ５１と、受信無線部５２と、逆拡散部５３ａと、復調部５３と、復号部５４と、制御信号抽出部５５と、ＡＣＫ／ＮＡＣＫ誤判定検出部５６と、送信電力制御部５７と、ＡＣＫ／ＮＡＣＫ信号生成部５８と、再送制御部５８ａと、誤り検出部５８ｂと、符号化部５９と、変調部６０と、拡散部６０ａと、送信無線部６１と、ＣＱＩ測定部６２と、ＣＱＩ信号生成部６３とをそなえるほか、第６実施形態（図１５）で説明したＣＱＩ記憶部６５と、第７実施形態（図１８）で説明したＡＣＫ／ＮＡＣＫ送信電力記憶部６６とをそなえる。【０３２７】
つまり、本例のＵＥ５は、ＵＥ５で記憶したＣＱＩ及びＡＣＫ／ＮＡＣＫ送信電力値の双方に基づいて伝搬環境の変動を判断して、ＡＣＫ／ＮＡＣＫ送信電力の制御を行なう。【０３２８】
（動作説明）
以下、その動作（ＡＣＫ／ＮＡＣＫ送信電力制御）について、図２４に示すシーケンス図及び図２５に示すフローチャートを参照しながら説明する。ただし、図２４において、ステップＳ２３ｂ，Ｓ２９ａ，Ｓ３４ｂを除いたステップＳ２１〜Ｓ４３の処理は、特に断らない限り、第２実施形態で図６により説明したステップＳ２１〜Ｓ４１の処理と同一若しくは同様である。また、ステップＳ４１ａの処理は、図１１により説明した処理と同一若しくは同様である。さらに、ステップＳ２３ｂ，Ｓ３４ｄでの処理は、第６実施形態で図１６のステップＳ２３ｂ，Ｓ３４ｄで説明した処理と同一若しくは同様の処理であり、ステップＳ２９ａでの処理は、第７実施形態で図１９のステップＳ２９ａで説明した処理と同一若しくは同様の処理である。【０３２９】
即ち、図２４に示すように、ＵＥ５は、既述のとおり、ＢＳ１から受信された下りパイロット信号を基にＣＱＩを測定してＢＳ１へ送信するが（ステップＳ２２，Ｓ２３，Ｓ３３，Ｓ３４）、当該ＣＱＩをＣＱＩ記憶部６５にそれぞれ記憶しておく（ステップＳ２３ｂ，Ｓ３４ｄ）。なお、本例（図２４）においても、ＵＥ５が１回目に送信したＣＱＩをＣＱＩ１、２回目に送信したＣＱＩをＣＱＩ２とする。【０３３０】
その後、ＵＥ５は、ＢＳ１からＨＳ−ＤＳＣＨ信号を受信し（ステップＳ２６）、これに対するＡＣＫ／ＮＡＣＫを送信するが（ステップＳ３０）、ＵＥ５（送信電力制御部５７あるいは再送制御部５８ａ）は、そのＡＣＫ／ＮＡＣＫ送信電力値ＰACK/NACKをＡＣＫ／ＮＡＣＫ送信電力記憶部６６に記憶する（ステップＳ２９ａ）。【０３３１】
ＢＳ１は、スケジューラ２０にて、集約した各ＵＥ５からのＣＱＩを基に、下り送信を行なう対象のＵＥ５を選択（スケジューリング）し（ステップＳ３５）、送信対象ＵＥ５への下り送信を開始し（ステップＳ３６，Ｓ３８）、ＵＥ５は、既述の実施形態と同様にＡＣＫ／ＮＡＣＫ誤判定を検出すると（ステップＳ３７，Ｓ３９，Ｓ４０）、ＣＱＩ差分ＣＱＩdiffとＡＣＫ／ＮＡＣＫ送信電力値差分ＰACK/NACK_diffとに基づいて、ＡＣＫ／ＮＡＣＫ送信電力補正値ＰHS-DPCCH_c4（あるいは、送信電力値）を算出して、補正したＡＣＫ／ＮＡＣＫの送信電力値にて、ＢＳ１へのＡＣＫ／ＮＡＣＫ送信を行なう（ステップＳ４１，Ｓ４２）。【０３３２】
ここで、ＵＥ５での当該ＡＣＫ／ＮＡＣＫ送信電力補正方法について、図２５に示すフローチャートを用いて説明する。なお、ＵＥ５には、ＣＱＩ差分ＣＱＩdiffに関する閾値ＣＱＩdiff_thと、ＡＣＫ／ＮＡＣＫ送信電力値差分ＰACK/NACK_diffに関する閾値ＰACK/NACK_diff_thとが、例えば、送信電力制御部５７（あるいは再送制御部５８ａ）の図示しないメモリ等に予め設定、記憶されている。【０３３３】
この図２５に示すように、ＵＥ５の送信電力制御部５７（あるいは再送制御部５８ａ）は、ＨＳ−ＤＳＣＨ信号の受信に対するＡＣＫ／ＮＡＣＫ送信（図２４のステップＳ３８，Ｓ４２）に先立って、ＣＱＩ記憶部６５から、ＡＣＫ／ＮＡＣＫ送信直前に測定したＣＱＩ１と、ＡＣＫ／ＮＡＣＫ誤判定がＡＣＫ／ＮＡＣＫ誤判定検出部５６にて検出された直後のＡＣＫ／ＮＡＣＫ送信直前のＣＱＩ２とを読み出す（ステップＳ９１，Ｓ９２）。【０３３４】
また、送信電力制御部５７は、前回のＡＣＫ／ＮＡＣＫ送信電力値ＰACK/NACKをＡＣＫ／ＮＡＣＫ送信電力記憶部６６から読み出し、ＰACK/NACK_beforeとする（ステップＳ９３）。なお、これらのＣＱＩ１，ＣＱＩ２及びＡＣＫ／ＮＡＣＫ送信電力値ＰAC K/NACKの読み出しの順序は不問である。【０３３５】
ここで、ＡＣＫ／ＮＡＣＫ誤判定検出部５６にてＡＣＫ／ＮＡＣＫ誤判定が検出された場合、送信電力制御部５７は、ＣＱＩ１を基に通常の算出方法でＡＣＫ／ＮＡＣＫ送信電力値ＰACK/NACK_beforeを算出するとともに、ＣＱＩ２を基に通常の算出方法でＡＣＫ／ＮＡＣＫ送信電力値ＰACK/NACK_afterを算出する（ステップＳ９４）。【０３３６】
そして、送信電力制御部５７は、これらのＡＣＫ／ＮＡＣＫ送信電力値ＰACK/NACK_afterとＡＣＫ／ＮＡＣＫ誤判定を生じさせたＡＣＫ／ＮＡＣＫ送信電力値ＰACK/NACK_beforeとの差分ＰACK/NACK_diffを下記の（３３）式により算出する（ステップＳ９５）。
【数２２】
2009034606.tif 000028
【０３３７】
続いて、送信電力制御部５７は、ＣＱＩ１とＣＱＩ２とを比較し（ステップＳ９６）、ＣＱＩ１がＣＱＩ２以上であれば（ステップＳ９６でＹＥＳであれば）、ＣＱＩ２を基に算出したＡＣＫ／ＮＡＣＫ送信電力値ＰACK/NACK_afterを仮のＡＣＫ／ＮＡＣＫ送信電力値ＰACK/NACK_tempとし（ステップＳ９７）、そうでなければ（ステップＳ９６でＮＯであれば）、ＣＱＩ１を基に算出したＡＣＫ／ＮＡＣＫ送信電力値ＰACK/NACK_beforeを仮のＡＣＫ／ＮＡＣＫ送信電力値ＰACK/NACK_tempとする（ステップＳ９８）。【０３３８】
そして、送信電力制御部５７は、前記差分ＰACK/NACK_diffが前記閾値ＰACK/NACK_diff_thを超えているか否かを確認し（ステップＳ９９）、超えていれば、伝搬環境の変動（劣化）が大きいと判断し、通常の上りＤＰＣＨ電力制御をベースとしたＨＳ−ＤＰＣＣＨ送信電力値では、ＡＣＫ／ＮＡＣＫ誤判定が生じると判断して、算出した差分ＰACK/NACK_diffに対応したＡＣＫ／ＮＡＣＫ送信電力補正値ＰHS-DPCCH_c5をδとして算出する（ステップＳ９９のＹＥＳルートからステップＳ１００）。【０３３９】
一方、算出した差分ＰACK/NACK_diffが閾値ＰACK/NACK_diff_th以下（ＰACK/NACK_diff≦ＰACK/NACK_diff_th）であれば、送信電力制御部５７は、ＡＣＫ／ＮＡＣＫ送信電力補正値ＰHS-DPCCH_c5を０とする（ステップＳ９９のＮＯルートからステップＳ１０１）。【０３４０】
その上で、送信電力制御部５７は、下記の（３４）式に示すように、前記仮のＡＣＫ／ＮＡＣＫ送信電力値ＰACK/NACK_tempに、前記ＡＣＫ／ＮＡＣＫ送信電力補正値ＰHS-DPCCH_c5を加えて、補正後のＡＣＫ／ＮＡＣＫ送信電力値Ｐ''''ACK/NACKを算出する（ステップＳ１０２、図２４のステップＳ４１）。
【数２３】
2009034606.tif 000029
【０３４１】
なお、このＡＣＫ／ＮＡＣＫ送信電力値Ｐ''''ACK/NACKは、次回の送信電力補正に備えてＡＣＫ／ＮＡＣＫ送信電力記憶部６６に記憶される。【０３４２】
そして、ＵＥ５は、このＡＣＫ／ＮＡＣＫ送信電力値Ｐ''''ACK/NACKにてＢＳ１へのＡＣＫ／ＮＡＣＫ送信を行なう（図２４のステップＳ４２）。【０３４３】
つまり、本例のＵＥ５は、記憶した以前の無線回線特性情報（ＣＱＩ１）と現状の無線回線特性情報（ＣＱＩ２）とを比較し、無線回線特性が改善している場合には、現在の無線回線特性情報（ＣＱＩ２）を基にし、劣化している場合には記憶された以前の無線回線特性情報（ＣＱＩ１）を基にして、ＡＣＫ／ＮＡＣＫ送信電力値を算出し、当該電力値にてＡＣＫ／ＮＡＣＫ送信を行なうのである。【０３４４】
したがって、ＡＣＫ／ＮＡＣＫ伝送特性を改善することができ、第４実施形態と同様の効果ないし利点が得られる。【０３４５】
なお、上述した動作についても、ＢＳ１での処理、即ち、上りデータに対する下りＡＣＫ／ＮＡＣＫ伝送に適用することが可能である。【０３４６】
〔１０〕第１０実施形態
（誤判定検出後のＡＣＫ／ＮＡＣＫ送信電力補正の継続）
既述の第１乃至第９実施形態では、プロセス番号が同じであることと、ＡＣＫ／ＮＡＣＫ誤判定が生じていることとを基にしてＡＣＫ／ＮＡＣＫ送信電力制御（補正）を実施しているため、同じプロセス番号の下りデータについて同じＡＣＫ／ＮＡＣＫ送信電力補正を実施することが前提となっている。【０３４７】
例えば図２６に示すように、プロセス番号＝１の下りデータに着目すると、ＵＥ５は、２回目のＡＣＫ／ＮＡＣＫ送信電力補正を実施する場合、１回目の送信電力補正＃１を基に送信電力補正＃１′を実施する。なお、ここでの送信電力補正には、既述の実施形態で述べた補正方法のいずれを適用してもよい。ただし、１回目の送信電力補正＃１をそのまま利用することも可能である。【０３４８】
また、同じプロセス番号であっても、ＡＣＫ／ＮＡＣＫ誤判定が生じない場合は、ＡＣＫ／ＮＡＣＫ送信電力補正を実施しないことを前提としている（例えば図２６のプロセス番号＝３，４の下りデータに対するＡＣＫ／ＮＡＣＫ送信の場合）。【０３４９】
これに対し、本実施形態では、異なるプロセス番号の下りデータや、同じプロセス番号でＡＣＫ／ＮＡＣＫ誤判定が生じていない場合の下りデータに対してＡＣＫ／ＮＡＣＫ送信電力補正を実施する。【０３５０】
例えば図２７は、同じプロセス番号（＝１）の下りデータについてＡＣＫ／ＮＡＣＫ誤判定が生じ、ＡＣＫ／ＮＡＣＫ送信電力補正を実施する場合を示している。以後、ＵＥ５（送信電力制御部５７）は、同じプロセス番号の下りデータに対するＡＣＫ／ＮＡＣＫ送信において、ＡＣＫ／ＮＡＣＫ誤判定の有無に関わらず、１回目の送信電力補正＃１を用いて送信を行なう。【０３５１】
また、ＵＥ５（送信電力制御部５７あるいは再送制御部５８ａ）は、例えば図２８に示すように、あるプロセス番号Ｍ１（図２８ではＭ１＝１）に対して、１回目のＡＣＫ／ＮＡＣＫ送信電力補正＃１を実施した場合、同じプロセス番号Ｍ１の送信が生じるまで、ＡＣＫ／ＮＡＣＫ送信電力補正値を保持し、ＡＣＫ／ＮＡＣＫ誤判定が生じた場合、このＡＣＫ／ＮＡＣＫ送信電力補正値を用いてＡＣＫ／ＮＡＣＫ送信電力補正＃１′を実施し、以後、同様に処理を実施することも可能である。【０３５２】
更には、ＵＥ５（送信電力制御部５７あるいは再送制御部５８ａ）は、例えば図２９に示すように、あるプロセス番号Ｍ１（図２９ではＭ１＝１）の下りデータについて１回目のＡＣＫ／ＮＡＣＫ送信電力補正＃１を実施した後、異なるプロセス番号Ｍ２（図２９ではＭ２＝４）の下りデータについてもＡＣＫ／ＮＡＣＫ誤判定が生じて、ＡＣＫ／ＮＡＣＫ送信電力補正を実施することになった場合、１回目のOLE_LINK4ＡＣＫ／ＮＡＣＫ送信電力補正OLE_LINK4＃１を基にプロセス番号Ｍ２の下りデータについてＡＣＫ／ＮＡＣＫ送信電力補正＃２を実施し、以後、同様の処理を繰り返すこともできる。【０３５３】
つまり、ＵＥ５は、ＡＣＫ／ＮＡＣＫ誤判定を検知しＡＣＫ／ＮＡＣＫ送信電力を補正した場合、以降の別な下りデータに対するＡＣＫ／ＮＡＣＫ送信に対しても送信電力を補正することができる。また、ＡＣＫ／ＮＡＣＫ誤判定を検知した下りデータに対するＡＣＫ／ＮＡＣＫ送信に対してだけ送信電力を補正することもできる。【０３５４】
以上のように、異なるプロセス番号の下りデータや、同じプロセス番号でＡＣＫ／ＮＡＣＫ誤判定が生じていない場合の下りデータに対して、第１乃至第９実施形態で述べたＡＣＫ／ＮＡＣＫ送信電力補正を適用することで、より多くのＡＣＫ／ＮＡＣＫの伝送特性を改善することができる。したがって、ＡＣＫ／ＮＡＣＫ誤判定の発生率をさらに低減して、さらなるスループット向上を図ることが可能となる。【０３５５】
なお、本例の動作についても、ＢＳ１での処理、即ち、上りデータに対する下りＡＣＫ／ＮＡＣＫ送信に適用することも可能である。【０３５６】
〔１１〕第１１実施形態
（ＮＡＣＫをＡＣＫと誤った場合の対応（欠落データの再送要求））
図３０は本発明の第１１実施形態に係る無線基地局（ＢＳ）の構成を示すブロック図で、この図３０に示すＢＳ１と、例えば図８に示したＵＥ５とで無線通信システム（ＨＳＤＰＡシステム）が構成される。なお、本例においても、ＢＳ１及びＵＥ５はそれぞれ複数存在する場合もある。【０３５７】
図３０に示すＢＳ１は、例えば、第２実施形態で図４に示したＢＳ１におけるものとそれぞれ同一若しくは同様の、送信バッファ１０と、符号化部１１と、変調部１２と、拡散部１２ａと、送信無線部１３と、アンテナ１４と、受信無線部１５と、逆拡散部１６ａと、復調部１６と、復号部１７と、ＡＣＫ／ＮＡＣＫ抽出部１８と、再送制御部１９と、スケジューラ２０と、制御信号生成部２１と、ＣＱＩ抽出部２２と、上りパイロット電力算出部２４と、送信電力制御部２５と、第３実施形態で図７により前述したものと同一若しくは同様のＡＣＫ／ＮＡＣＫ誤判定信号抽出部２３とをそなえるほか、上位再送要求信号生成部２８をそなえる。【０３５８】
ここで、この上位再送要求信号生成部２８は、ＡＣＫ／ＮＡＣＫ誤判定信号抽出部２３で抽出された既述のＡＣＫ／ＮＡＣＫエラー信号（ACK_NACKerror）（前記の表４参照）を基に、ＵＥ５からのＮＡＣＫをＢＳ１においてＡＣＫと誤判定したと判断した場合に、対象となった下りデータを保持している上位装置（例えば、ＲＮＣやゲートウェイノード等）、あるいはこれに相当する上位機能（例えば、ＢＳ１に内蔵された無線制御部）に対して、誤判定に対応する下りデータまたはそれを含む下りデータの再送を再送要求制御信号にて要求するものである。【０３５９】
これは、ＵＥ５からＢＳ１へＮＡＣＫを送信したにも関わらずＢＳ１でＡＣＫと誤判定した場合に生じる下りデータの欠落に対する対策である。【０３６０】
ＵＥ５から送信したＮＡＣＫをＢＳ１がＡＣＫと誤判定すると、ＢＳ１は再送を行なわずに新規データの送信を行なうため、本来再送すべき下りデータが再送されず欠落してしまう。これは、ＢＳ１は、ＡＣＫの受信により、対象となった下りデータの伝送が完了したと判断して、ＢＳ１内の送信バッファ１０に記憶した下りデータを消去してしまうからである。【０３６１】
その対策として、例えば、ＢＳ１において欠落したデータの判定を行なうことも考えられるが、その場合、欠落データ（例えば、ＭＡＣ−ＰＤＵ（Medium Access Control-Protocol Data Unit））を含んで構成されたデータ単位（ＲＬＣ−ＰＤＵ（Radio Link Control-Protocol Data Unit）やＰＤＣＰ−ＰＤＵ（Packet Data Convergence-Protocol Protocol Data Unit）などで、例えば４つのＭＡＣ−ＰＤＵでＲＬＣ−ＰＤＵが構成され、かつ、４つのＲＬＣ−ＰＤＵでＰＤＣＰ−ＰＤＵが構成される）に対して、構成されるデータを揃える段階になって初めてデータ欠落の判定が可能となり、その後に再送を行なうことになるため、欠落データの再送処理時間が長くなる。【０３６２】
そこで、本例では、ＡＣＫ／ＮＡＣＫエラー信号（ACK_NACKerror）を基にＵＥ５からのＮＡＣＫをＢＳ１がＡＣＫと誤判定したと判断した場合に、上位再送要求信号生成部２８により、早期に、誤判定の対象となった下りデータを保持している上位装置や機能に対応する下りデータまたはそれを含む下りデータの再送を要求できるようにしている。【０３６３】
以下、本例のＨＳＤＰＡシステムの動作（欠落データの再送要求処理）について、図３１に示すシーケンス図及び図３２に示すフローチャートを参照しながら説明する。ただし、以下の説明において、前記の上位装置又は上位機能は、説明の便宜上、図３１中に示すように「上位装置６」と総称する。また、図３１において、ＢＳ１とＵＥ５との間のシーケンス（ステップＳ２１〜Ｓ４３）は、特に断らない限り、第２実施形態で図６により説明したシーケンスと同一若しくは同様であるから、以下では、主に、ＢＳ１と上位装置６との間のシーケンスに着目した動作について説明する。【０３６４】
図３１に示すように、ＢＳ１は、ＵＥ５がＮＡＣＫを送信（ステップＳ３０）したにも関わらずＡＣＫと誤判定して新規送信を行なった（ステップＳ３８）ことにより、ステップＳ４２でＵＥ５から送信されたＡＣＫ／ＮＡＣＫエラー信号（ACK_NACKerror）を受信する（図３２のステップＳ１１１）。【０３６５】
このＡＣＫ／ＮＡＣＫエラー信号は、ＡＣＫ／ＮＡＣＫ誤判定信号抽出部２３にて抽出され、送信電力制御部２５と上位再送要求信号生成部２８とに伝達される。【０３６６】
上位再送要求信号生成部２８は、当該ＡＣＫ／ＮＡＣＫエラー信号の内容を前記表４に基づいて確認し、ＢＳ１がＮＡＣＫをＡＣＫと誤判定したか（つまり、ＡＣＫ／ＮＡＣＫエラー信号が“１１００”か）否かを確認する（図３１のステップＳ１２１、図３２のステップＳ１１２）。【０３６７】
その結果、誤判定したと判断した場合、上位再送要求信号生成部２８は、誤判定の対象となった下りデータを保持している上位装置６に対して、誤判定に対応するデータまたはそれを含むデータの再送を要求する（図３１のステップＳ１２２、図３２のステップＳ１１２のＹＥＳルートからステップＳ１１３）。【０３６８】
即ち、上述のように構成されるデータを揃える段階になってからデータ欠落を判定するのではなく、ＮＡＣＫをＡＣＫと誤判定したことを検出した場合は、直ちに上位装置６に対して再送要求を行なう。なお、ＮＡＣＫをＡＣＫと誤判定していない場合は、上位装置６に対する再送要求は行なわない（図３２のステップＳ１１２のＮＯルート）。【０３６９】
また、ＵＥ５からＡＣＫ／ＮＡＣＫを受信していれば（図３１のステップＳ１２３，Ｓ１２４）、新規送信あるいは再送として誤ってＵＥ５に送信した下りデータを後の再送に備えて記憶しておく（図３２のステップＳ１１４，Ｓ１１５）。【０３７０】
上位装置６は、ＢＳ１から再送要求を受信すると、ＢＳ１に対して欠落データまたは欠落データを含んで構成されるデータ単位の送信を実施する（図３１のステップＳ１２６、図３２のステップＳ１１７）。好ましくは、当該再送は最優先で行なう。また、これと併せて、例えば、対象となった再送データの伝送の優先度を最も高くし、最優先とするなどの制御を実施することも可能である。【０３７１】
なお、図３１において、この間、ＵＥ５は、ＢＳ１からのパイロット信号を基にしたＣＱＩ測定、送信を行なう（ステップＳ１２５，Ｓ１２７，Ｓ１２８）。【０３７２】
さて、ＢＳ１は、上位装置６から再送された前記下りデータを受信すると（図３２のステップＳ１１６）、スケジューラ２０にて、当該下りデータについてのスケジューリングを行ない（図３１のステップＳ１２９）、下り制御チャネル（ＨＳ−ＳＣＣＨ）の送信（図３１のステップＳ１３０）後、当該下りデータを下りデータチャネル（ＨＳ−ＤＳＣＨ）にて対象ＵＥ５に送信する（図３１のステップＳ１３２）。【０３７３】
その際、スケジューラ２０は、好ましくは、上位装置６からの再送データを最優先として扱い、対象ＵＥ５宛の下りデータ送信を優先的に選択する。また、当該下りデータについて、ＵＥ５からＮＡＣＫが受信されなくなるまで、再送を繰り返し実施する（図３１のステップＳ１１８の「ＮＡＣＫ」ルート）。【０３７４】
なお、前記ＨＳ−ＳＣＣＨを受信したＵＥ５（ＡＣＫ／ＮＡＣＫ誤判定検出部５６）は、既述のステップＳ３７と同様に、ＡＣＫ／ＮＡＣＫ誤判定検出のためにＮＤＩの確認を行なう（図３１のステップＳ１３１）。【０３７５】
また、図３２に示すステップＳ１１３，Ｓ１１４，Ｓ１１５，Ｓ１１６の順序は、ステップＳ１１３の後にステップＳ１１６が実施され、ステップＳ１１４の後にステップＳ１１４の後にステップＳ１１５が実施される関係が保たれる限り、不問である。【０３７６】
以上のように、本例によれば、欠落したＵＥ５宛の下りデータを補完するための時間（再送処理時間）を短縮することが可能となる。また、この結果、下りデータ伝送（ＨＳ−ＤＳＣＨ伝送）のスループットを改善することができる。【０３７７】
〔１２〕第１２実施形態
（ＡＣＫ／ＮＡＣＫ送信電力補正の継続）
既述の第１乃至第１０実施形態では、ＡＣＫ／ＮＡＣＫ誤判定が生じた場合のＡＣＫ／ＮＡＣＫ送信電力制御について説明した。本実施形態では、ＡＣＫ／ＮＡＣＫ誤判定が生じないように、ＡＣＫ／ＮＡＣＫ送信電力を制御することについて説明する。【０３７８】
即ち、既述の第１乃至第１０実施形態では、プロセス番号とＮＤＩとに基づいてＡＣＫ／ＮＡＣＫ誤判定が生じたか否かを判断したが、ＡＣＫ／ＮＡＣＫ誤判定が生じたか否かの判定は行なわずに、ＡＣＫ／ＮＡＣＫ送信電力制御を行なうことも可能である。【０３７９】
例えば、前記第７実施形態のように、最初のＡＣＫ／ＮＡＣＫ送信電力値と、２回目のＡＣＫ／ＮＡＣＫ送信電力値とから、ＡＣＫ／ＮＡＣＫ送信電力補正値を算出し、これを基に、以降のＡＣＫ／ＮＡＣＫ送信電力制御を実施する。【０３８０】
つまり、回線接続後の最初のＡＣＫ／ＮＡＣＫ伝送以降は、既述の第１乃至第１０実施形態のＡＣＫ／ＮＡＣＫ送信電力制御を、ＡＣＫ／ＮＡＣＫ誤判定の有無に関わらず、継続して実施することが可能である。【０３８１】
以下、具体例について、図３３及び図３４を用いて説明する。
（具体例１）
図３３に示すように、ＢＳ１とＵＥ５との間の無線回線が確立し、最初の下りデータ伝送がプロセス番号＝１で実施されたとする。その際、ＵＥ５（送信電力制御部５７）は、ＡＣＫ／ＮＡＣＫ送信電力補正＃１を実施する。このとき、ＡＣＫ／ＮＡＣＫ誤判定の有無は問わない。【０３８２】
続いて、ＵＥ５（送信電力制御部５７あるいは再送制御部５８ａ）は、プロセス番号＝２の下りデータ伝送に対するＡＣＫ／ＮＡＣＫ送信について、直前のプロセス番号＝１のＡＣＫ／ＮＡＣＫ送信電力補正＃１を基に、ＡＣＫ／ＮＡＣＫ送信電力補正＃２を実施する。【０３８３】
以後、ＵＥ５（送信電力制御部５７あるいは再送制御部５８ａ）は、同様にして、プロセス番号＝ｘの下りデータ伝送に対するＡＣＫ／ＮＡＣＫ送信について、プロセス番号＝ｘ−１の下りデータ伝送に対するＡＣＫ／ＮＡＣＫ送信電力補正＃ｘ−１を基に、ＡＣＫ／ＮＡＣＫ送信電力補正＃ｘを実施する。【０３８４】
なお、初回のＡＣＫ／ＮＡＣＫ送信電力補正＃１については、所定の初期値を用いて実施することも可能である。また、初回の下りデータ伝送に対するＡＣＫ／ＮＡＣＫ送信に対しては、ＡＣＫ／ＮＡＣＫ送信電力補正＃１を実施しないこととすることも可能である。【０３８５】
（具体例２）
また、例えば図３４に示すように、初回のＡＣＫ／ＮＡＣＫ送信電力補正＃１については、ＡＣＫ／ＮＡＣＫ誤判定の有無に関わらず、所定の初期値を用いてＡＣＫ／ＮＡＣＫ送信電力補正を実施し、以後、ＡＣＫ／ＮＡＣＫ誤判定が生じたプロセス番号（例えば、プロセス番号＝２，４）の下りデータ伝送に対して、前回のＡＣＫ／ＮＡＣＫ送信電力補正＃Ｘ−１を基に、ＡＣＫ／ＮＡＣＫ送信電力補正＃Ｘを実施することも可能である。ＡＣＫ／ＮＡＣＫ誤判定が生じなかったプロセス番号（例えば、プロセス番号＝３）の下りデータ伝送に対しては、前回のＡＣＫ／ＮＡＣＫ送信電力補正＃ｘを維持する。【０３８６】
以上により、ＡＣＫ／ＮＡＣＫの伝送特性を改善することができ、ＡＣＫ／ＮＡＣＫ誤判定の発生率を低減することができる。また、下りスループットを向上することができる。【０３８７】
〔１３〕第１３実施形態
（ＣＱＩの送信電力制御）
前記の第１乃至第９実施形態で説明したＨＳＤＰＡシステムでは、ＵＥ５からＢＳ１への上りＡＣＫ／ＮＡＣＫ送信に、上り無線チャネルである上り個別制御チャネル（ＨＳ−ＤＰＣＣＨ）が用いられる。このＨＳ−ＤＰＣＣＨは、上りＡＣＫ／ＮＡＣＫ送信だけでなく、下り無線回線品質の指標であるＣＱＩをＵＥ５からＢＳ１へ報告するのにも用いられる。【０３８８】
したがって、第１乃至第９実施形態で説明した送信電力制御（補正）は、ＵＥ５からＢＳ１へのＣＱＩ送信に適用することができる。【０３８９】
即ち、第１乃至第９実施形態で説明したように、ＡＣＫ／ＮＡＣＫ誤判定が生じ、ＡＣＫ／ＮＡＣＫ送信電力制御が実施された場合、同じＨＳ−ＤＰＣＣＨを用いて伝送されるＣＱＩの伝送特性も劣化していると判断できる。【０３９０】
そこで、ＡＣＫ／ＮＡＣＫ誤判定が生じた場合（ＡＣＫ／ＮＡＣＫ誤判定検出部５６にてＡＣＫ／ＮＡＣＫ誤判定が検出された場合）、ＵＥ５（送信電力制御部５７あるいは再送制御部５８ａ）は、第１乃至第９実施形態における送信電力補正を、ＢＳ１へのＣＱＩ送信に際しても実施する。【０３９１】
つまり、ＵＥ５は、ＡＣＫ／ＮＡＣＫ誤判定を検知した場合、ＡＣＫ／ＮＡＣＫ送信電力を補正するとともに、ＢＳ１へ送信する他の情報（ＣＱＩ）の送信電力を補正する。【０３９２】
これにより、ＡＣＫ／ＮＡＣＫのみならず、ＣＱＩの伝送特性をも改善することが可能となる。【０３９３】
また、ＢＳ１では、スケジューラ２０によるスケジューリング処理において、対象となるＵＥ５が選択される可能性が高まる。選択の可能性が高くなることから、下りデータ伝送のスループットが改善される。【０３９４】
なお、第１乃至第９実施形態で説明した送信電力補正は、上述したごとくＡＣＫ／ＮＡＣＫ送信及びＣＱＩ送信の双方に適用してもよいし、いずれか一方に選択的に適用してもよい。即ち、ＣＱＩ送信についてのみ適用してもよい。【０３９５】
換言すれば、上り個別制御チャネルであるＨＳ−ＤＰＣＣＨを用いてＢＳ１へ送信される情報であれば、第１乃至第９実施形態で説明した送信電力補正を適用することが可能である。【０３９６】
〔１４〕第１４実施形態
（エンハンスドＨＳＤＰＡシステムへの適用）
エンハンスドＨＳＤＰＡシステム（前記非特許文献５，６，７，８参照）では、図４４により前述したように、ＡＣＫ／ＮＡＣＫ信号の前後にプレ／ポスト信号が挿入される。かかるエンハンスドＨＳＤＰＡシステムに対しても、既述の第１乃至第１２実施形態を適用することが可能である。【０３９７】
図３５は本発明の第１４実施形態に係る無線端末（ＵＥ）の構成を示すブロック図で、この図３５に示すＵＥ５と、例えば、図４又は図７又は図１０又は図１２又は図３０に示した構成と同様の構成を具備するＢＳ１とで無線通信システム（エンハンスドＨＳＤＰＡシステム）が構成される。なお、本例においても、ＢＳ１及びＵＥ５はそれぞれ複数存在する場合もある。【０３９８】
この図２３に示すＵＥ５は、第２実施形態で図５に示したＵＥ５におけるものとそれぞれ同一若しくは同様の、アンテナ５１と、受信無線部５２と、逆拡散部５３ａと、復調部５３と、復号部５４と、制御信号抽出部５５と、ＡＣＫ／ＮＡＣＫ誤判定検出部５６と、送信電力制御部５７と、符号化部５９と、変調部６０と、拡散部６０ａと、送信無線部６１と、ＣＱＩ測定部６２と、ＣＱＩ信号生成部６３とをそなえるとともに、既述のＡＣＫ／ＮＡＣＫ信号生成部５８に代えて、ＡＣＫ／ＮＡＣＫ（Ｐｒｅ／Ｐｏｓｔ）信号生成部５８ｃをそなえる。【０３９９】
ここで、ＡＣＫ／ＮＡＣＫ（Ｐｒｅ／Ｐｏｓｔ）信号生成部５８ｃは、誤り検出部５８ｂによるＣＲＣの確認結果（ＣＲＣ演算結果）が、誤り無しであればＯＫと判断しＡＣＫ信号を、誤り有りであればＮＧと判断してＮＡＣＫ信号を生成するとともに、図４４に示したように、当該ＡＣＫ／ＮＡＣＫ信号の前にＰｒｅ信号、後にＰｏｓｔ信号を挿入（付加）する機能を具備する。【０４００】
したがって、ＵＥ５は、当該ＡＣＫ／ＮＡＣＫ（Ｐｒｅ／Ｐｏｓｔ）信号生成部５８ｃにより、ＢＳ１から受信された下りデータに対して、前後にＰｒｅ／Ｐｏｓｔ信号を付加したＡＣＫ／ＮＡＣＫ信号をＢＳ１に送信する。【０４０１】
一方、ＢＳ１では、ＡＣＫ／ＮＡＣＫ抽出部１８にて、前記ＡＣＫ／ＮＡＣＫ信号とＰｒｅ／Ｐｏｓｔ信号とを抽出し、再送制御部１９にて、これらの信号に基づき、例えば前記表２に示したＡＣＫ／ＮＡＣＫの判断を行なう。【０４０２】
つまり、ＡＣＫ／ＮＡＣＫ信号に対するＰｒｅ／Ｐｏｓｔ信号の付加は、第１乃至第１２実施形態で述べたＡＣＫ／ＮＡＣＫ送信電力補正動作に対して影響がない。【０４０３】
したがって、ＡＣＫ／ＮＡＣＫの判定精度を向上することができ、既述のＡＣＫ／ＮＡＣＫ送信電力補正によるＡＣＫ／ＮＡＣＫの伝送特性改善と相俟って、ＡＣＫ／ＮＡＣＫ誤判定の発生率を低減することができる。【０４０４】
〔１５〕第１５実施形態
（ＨＳＵＰＡシステムへの適用例１）
ＨＳＵＰＡシステムは、上り高速パケット通信を実現する。即ち、上り（ＵＬ）ＤＰＣＨをパケット化しかつ高速化したＥ−ＤＰＣＨ（Enhanced - Dedicated Physical CHannel）を新たに設けることで高速伝送を実現する（例えば、前記非特許文献５，６，７，８参照）。【０４０５】
図３６に、ＨＳＵＰＡシステムの構成例を示す。この図３６に示すように、ＨＳＵＰＡシステムにおけるＢＳ１からＵＥ５への下り無線チャネルには、共通パイロットチャネル（ＣＰＩＣＨ），下り（ＤＬ）ＤＰＣＨ，Ｅ−ＨＩＣＨ（E-DCH - Hybrid ARQ Indicator CHannel），Ｅ−ＲＧＣＨ（E-DCH Relative Grant Channel），Ｅ−ＡＧＣＨ（E-DCH Absolute Grant Channel）があり、上り無線チャネルには、上り（ＵＬ）ＤＰＣＨ，Ｅ−ＤＰＣＨがある。【０４０６】
なお、Ｅ−ＨＩＣＨは、上りデータ伝送に対する下り個別制御信号の伝送に用いられるチャネルであり、このＥ−ＨＩＣＨを用いて上りデータに対する下りＡＣＫ／ＮＡＣＫ信号が伝送される。Ｅ−ＲＧＣＨは、ＵＥ５に割り当てられる上り無線リソース（伝送速度や送信電力）の相対値（ＵＰ／ＤＯＷＮ）を通知するのに用いられるチャネルであり、Ｅ−ＡＧＣＨは、ＵＥ５に対して割り当てる上り無線リソースの絶対値を通知するのに用いられるチャネルである。【０４０７】
前記の第１乃至第１４実施形態においては、下りデータ伝送に対する上りＡＣＫ／ＮＡＣＫ信号（上り個別制御信号）の送信電力補正について説明したが、ここでは、上りデータ伝送に対する下り個別制御信号の送信電力補正について、図３６に示すようなＨＳＵＰＡシステムを例として説明する。【０４０８】
図３７は本発明の第１５実施形態に係る無線基地局（ＢＳ）の構成を示すブロック図であり、図３８は本発明の第１５実施形態に係る無線端末（ＵＥ）の構成を示すブロック図で、これらの図３７及び図３８に示すＢＳ１とＵＥ５とで前記ＨＳＵＰＡシステムが構成される。なお、本例においても、ＢＳ１及びＵＥ５はそれぞれ複数存在する場合もある。【０４０９】
（ＢＳの説明）
図３７に示すＢＳ１は、例えば、第２実施形態で図４に示したＢＳ１におけるものとそれぞれ同一若しくは同様の、送信バッファ１０と、符号化部１１と、変調部１２と、拡散部１２ａと、送信無線部１３と、アンテナ１４と、受信無線部１５と、逆拡散部１６ａと、復調部１６と、復号部１７と、スケジューラ２０と、制御信号生成部２１とをそなえるほか、上りパイロット電力測定部２９と、ＡＣＫ／ＮＡＣＫ信号生成部３０と、制御信号抽出部３１と、ＡＣＫ／ＮＡＣＫ誤判定検出部３２と、送信電力制御部３３とをそなえる。【０４１０】
ここで、上りパイロット電力測定部２９は、逆拡散部１６ａでの逆拡散結果から、上り個別チャネル（ＤＰＣＨ）で伝送されるパイロット信号成分の受信電力を測定するもので、その測定結果を基に上りの無線回線品質の指標である上りＣＱＩを求める機能を具備する。なお、得られたＣＱＩは、スケジューラ２０での上りデータ伝送の対象ＵＥ５を選択する基準として用いられる。【０４１１】
ＡＣＫ／ＮＡＣＫ信号生成部３０は、ＵＥ５から受信した上りデータを復号部１７で復号した結果のＣＲＣを確認し、その結果（ＣＲＣ演算結果）が、誤り無しであればＯＫと判断してＡＣＫ信号を、誤り有りであればＮＧと判断してＮＡＣＫ信号を生成するものである。生成したＡＣＫ／ＮＡＣＫ信号は、符号化部１１、変調部１２、拡散部１２ａ、送信無線部１３でそれぞれ所定の処理を施された上で、アンテナ１４からＥ−ＨＩＣＨにてＵＥ５に向けて送信される。【０４１２】
制御信号抽出部３１は、復号部１７による復号結果から上り制御信号を抽出するものであり、ＡＣＫ／ＮＡＣＫ誤判定検出部３２は、ＵＥ５へ送信したＡＣＫ／ＮＡＣＫの情報と、ＵＥ５から受信した上り信号（上りデータ及び制御信号抽出部３１で抽出された制御信号を含む）とに基づいて、ＢＳ１がＵＥ５へ送信したＡＣＫ又はＮＡＣＫをＵＥ５がＮＡＣＫ又はＡＣＫと誤判定したか否かを判定（検出）するものである。【０４１３】
このＡＣＫ／ＮＡＣＫ誤判定の検出には、上りデータ（Ｅ−ＤＰＣＨ）に付随してＵＥ５から送信されるＲＳＮ（Retransmission Sequence Number）（制御信号）を用いることができる。即ち、ＲＳＮは、再送処理回数をカウントする情報であるから、例えば、ＢＳ１がＡＣＫを送信したにも関わらず受信データのＲＳＮが増加していればＮＡＣＫと誤判定したと判断することができ、ＢＳ１がＮＡＣＫを送信したにも関わらず受信データのＲＳＮが初期値（例えば０）になっているか増加していなければＡＣＫと誤判定したと判断することができる。【０４１４】
送信電力制御部３３は、既述のＵＥ５における送信電力制御部５７（あるいは再送制御部５８ａ）と同等の機能を具備し、ＡＣＫ／ＮＡＣＫ誤判定検出部３２でＡＣＫ／ＮＡＣＫ誤判定の発生が検出されると、ＵＥ５への下りＡＣＫ／ＮＡＣＫが伝送されるＥ−ＨＩＣＨの送信電力を制御（補正）するものである。その際、好ましくは、既述の実施形態において上りのＡＣＫ／ＮＡＣＫ送信で実施した補正方法と同等の補正方法を適用する。【０４１５】
（ＵＥの説明）
一方、図３８に示すＵＥ５は、例えば、第２実施形態で図４に示したＢＳ１におけるものとそれぞれ同一若しくは同様の、アンテナ５１と、受信無線部５２と、逆拡散部５３ａと、復調部５３と、復号部５４と、制御信号抽出部５５と、送信電力制御部５７と、符号化部５９と、変調部６０と、拡散部６０ａと、送信無線部６１とをそなえるほか、ＡＣＫ／ＮＡＣＫ抽出部６７と、送信／再送制御部６８とをそなえる。【０４１６】
ここで、ＡＣＫ／ＮＡＣＫ抽出部６７は、復号部５４での復号結果から、ＢＳ１からＥ−ＨＩＣＨにて受信した下りＡＣＫ／ＮＡＣＫを抽出するものであり、送信／再送制御部６８は、このＡＣＫ／ＮＡＣＫ抽出部６７で抽出されたＡＣＫ／ＮＡＣＫに応じて、ＢＳ１に対する上り送信を制御するもので、ＡＣＫが受信、抽出されれば新規の上りデータの送信を実施し、ＮＡＣＫが受信、抽出されれば送信済みの上りデータの再送を実施する。なお、図３８において、上りデータは、再送に備えて送信バッファ１０にバッファされている。【０４１７】
（動作説明）
以下、上述のごとく構成されたＨＳＵＰＡシステムの動作（下りＡＣＫ／ＮＡＣＫ送信電力制御）について、図３９に示すシーケンス図を用いて説明する。
図３９に示すように、ＵＥ５は、上りパイロット信号を上りＤＰＣＨにて定期的あるいは不定期に繰り返しＢＳ１へ送信する（ステップＳ１４１，Ｓ１５０）。【０４１８】
ＢＳ１は、当該上りパイロット信号を受信すると、上りパイロット電力測定部２９にてその受信電力を求め、当該受信電力を基に上りＣＱＩを求める。この上りＣＱＩは、スケジューラ２０に伝達され、スケジューラ２０は、当該上りＣＱＩを用いて、上り送信の許可を与えるＵＥ５を選択するとともに、そのＵＥ５についての上り送信タイミングや送信方法（符号化率、変調方式など）を決定する（ステップＳ１４２，Ｓ１５１）。選択されたＵＥ５、上り送信タイミング、送信方法等の情報（スケジューリング情報）は、制御信号生成部２１に伝達される。【０４１９】
制御信号生成部２１は、スケジューラ２０から受信した前記スケジューリング情報を含む制御信号を生成する。当該制御信号は、符号化部１１、変調部１２、拡散部１２ａ、送信無線部１３にてそれぞれ所定の処理を施された上で、アンテナ１４から下り個別制御信号（例えば、Ｅ−ＤＰＣＣＨやＥ−ＡＧＣＨの信号）としてＵＥ５へ送信される（ステップＳ１４３，Ｓ１５２）。【０４２０】
ＵＥ５は、前記下り個別制御信号を制御信号抽出部５５にて抽出し、その制御信号に基づいてＢＳ１に対する上りデータ伝送を実施する。即ち、前記制御信号で指定された上り送信タイミング、送信方法にて上りデータをＥ−ＤＰＣＨにてＢＳ１へ送信する（ステップＳ１４４，Ｓ１５３）。【０４２１】
１回目のＥ−ＤＰＣＨ信号をＵＥ５から受信したＢＳ１は、ＡＣＫ／ＮＡＣＫ信号生成部３０にて、受信した上りデータのＣＲＣ、ＲＳＮを確認し、誤りの有無を判定し、誤りが無ければＡＣＫを生成し、誤りが有ればＮＡＣＫを生成し、それぞれＥ−ＨＩＣＨにてＵＥ５へ送信する（ステップＳ１４５，Ｓ１４６，Ｓ１４８）。【０４２２】
ここで、Ｅ−ＨＩＣＨの送信電力制御は、前記非特許文献８において、ＵＥ５から伝送される制御信号かＢＳ１が実施する電力制御によって実施されることが記述されているだけで、具体的な方法までは規定されていない。【０４２３】
そこで、例えば、ＨＳＤＰＡにおけるＨＳ−ＤＰＣＣＨの送信電力制御と同様に、ＡＣＫ／ＮＡＣＫ送信電力値ＰACK/NACKは、下りＤＰＣＨ送信電力値ＰDL_DPCHとＥ−ＨＩＣＨ送信電力オフセット値ＰE-HICH_offsetとで算出されるものとし（ステップＳ１４７）、次の（３５）式とする。これは、前述の非特許文献８の記述を満たすものである。
【数２４】
2009034606.tif 000030
【０４２４】
また、前記オフセット値ＰE-HICH_offsetは、第２実施形態と同様、例えば下記の（３６）式及び（３７）式に示すように、０．５（ｄＢ）固定としてよい。ただし、ＡＣＫとＮＡＣＫとで異なるオフセット値ＰE-HICH_offsetを設定してもよい。
【数２５】
2009034606.tif 000031
【０４２５】
そして、ＵＥ５は、ＢＳ１からＥ−ＨＩＣＨにてＡＣＫを受信すれば、送信／再送制御部６８により、新規の上りデータ伝送を、ＮＡＣＫを受信すれば送信済みの対象上りデータの再送を、それぞれＥ−ＤＰＣＨにて実施する（ステップＳ１４８，Ｓ１４９，Ｓ１５３）。ただし、当該Ｅ−ＤＰＣＨの送信は、ＵＥ５が、Ｅ−ＡＧＣＨにて前記制御信号（上り送信許可）を受信することで可能となる（ステップＳ１５２）。【０４２６】
ＢＳ１は、前記Ｅ−ＤＰＣＨの信号を受信すると、制御信号抽出部３１にてＲＳＮを抽出し、ＡＣＫ／ＮＡＣＫ誤判定検出部３２に通知する。ＡＣＫ／ＮＡＣＫ誤判定検出部３２は、前回ＵＥ５へ送信したＡＣＫ／ＮＡＣＫの情報と前記ＲＳＮとを基に、ＡＣＫ／ＮＡＣＫ誤判定の有無、即ち、ＢＳ１が送信したＡＣＫ又はＮＡＣＫをＵＥ５がＮＡＣＫ又はＡＣＫと誤判定したか否かを確認する（ステップＳ１５４，Ｓ１５５）。【０４２７】
その結果、ＡＣＫ／ＮＡＣＫ誤判定が検出されれば、ＢＳ１は、送信電力制御部３３により、ＡＣＫ／ＮＡＣＫの送信電力を補正（制御）する（ステップＳ１５６）。その際、例えば、下記の（３８）式に示すように、下りＤＰＣＨ送信電力値ＰUL-DPCHと、オフセット値ＰE-HICH_offsetと、ＡＣＫ／ＮＡＣＫ送信電力補正値ＰE-HICH_cとを加算することで、下りＡＣＫ／ＮＡＣＫ伝送（ステップＳ１５７）の送信電力値Ｐ''ACK/NACKを算出する（ステップＳ１５６）。
【数２６】
2009034606.tif 000032
【０４２８】
ここで、前記補正値ＰE-HICH_cは、例えば下記の（３９）式，（４０）式に示すように、０．５（ｄＢ）固定としてよい。ただし、第２実施形態と同様に、−０．５（ｄＢ）と負の値を設定してもよい。
【数２７】
2009034606.tif 000033
【０４２９】
以上により、ＵＥ５がＢＳ１から受信したＡＣＫをＮＡＣＫ、あるいは、ＮＡＣＫをＡＣＫと誤ったと判断した後の、ＢＳ１からＵＥ５へのＡＣＫ／ＮＡＣＫ返送において、その伝送特性を改善することが可能となり、ＢＳ１が送信したＡＣＫをＮＡＣＫ、あるいは、ＮＡＣＫをＡＣＫと誤判定する確率を低減することが可能となる（ステップＳ１５８）。これにより、無駄な下り伝送を削減することが可能となり、スループットを改善することができる。【０４３０】
また、既述のＰｒｅ／Ｐｏｓｔ信号を付加する必要がないため、送信に必要な電力を低く抑えることが可能となり、低消費電力化が可能となる。【０４３１】
なお、本例のＨＳＵＰＡシステムに、前記の第３及び／又は第４実施形態を適用することも可能である。即ち、ＡＣＫ／ＮＡＣＫ誤判定を検出したＢＳ１からＵＥ５へＡＣＫ／ＮＡＣＫエラー信号を送信してもよいし、他ＢＳ１の下り信号を基にオフセット補正値をＢＳ１に通知することも可能である。【０４３２】
また、他の実施形態の送信電力制御（補正）を上りデータ伝送に対する下り個別制御信号に適用することも可能である。【０４３３】
〔１６〕第１６実施形態
（ＨＳＵＰＡシステムへの適用例２）
図４０は本発明の第１６実施形態に係る無線基地局（ＢＳ）の構成を示すブロック図である。この図４０に示すＢＳ１と、例えば図３８に示したＵＥ５とで、ＨＳＵＰＡシステムが構成される。なお、本例においても、ＢＳ１及びＵＥ５はそれぞれ複数存在する場合もある。【０４３４】
図４０に示すＢＳ１は、図３７に示したＢＳ１の構成に比して、上りパイロット電力記憶部３４をさらにそなえる点が異なる。【０４３５】
ここで、この上りパイロット電力記憶部３４は、上りパイロット電力測定部２９で測定された上りパイロット電力値を記憶するものである。その記憶内容は、スケジューラ２０によって適宜参照（読み出し）可能であり、スケジューラ２０での受信対象のＵＥ５の選択基準として使用される。【０４３６】
そして、本例の送信電力制御部３３は、スケジューラ２０と連携して、上りパイロット電力記憶部３４に記憶された、複数回の上りＤＰＣＨ受信時の上りパイロット電力値の差分（上りパイロット電力差分）を基に伝搬環境の変動を算出し、その差分に応じた下りＡＣＫ／ＮＡＣＫ送信電力制御（補正）を行なう機能を具備する。【０４３７】
例えば、前記上りパイロット電力差分が所定の閾値を超えていれば、伝搬環境の変動（劣化）が大きいため、送信電力制御部３３は、通常のＥ−ＨＩＣＨ送信電力制御では、ＡＣＫ／ＮＡＣＫ誤判定が生じると判断して、上りパイロット電力差分に対応した下りＡＣＫ／ＮＡＣＫ（Ｅ−ＨＩＣＨ）送信電力制御（補正）を実施する。【０４３８】
逆に、前記上りパイロット電力差分が所定の閾値以下であれば、送信電力制御部３３は、伝搬環境の変動（劣化）が小さいため、通常のＥ−ＨＩＣＨ送信電力制御でも、ＡＣＫ／ＮＡＣＫ誤判定は生じないと判断して、ＡＣＫ／ＮＡＣＫ（Ｅ−ＨＩＣＨ）送信電力値をそれまでの電力値に維持する。【０４３９】
このように、本実施形態によれば、下りＡＣＫ／ＮＡＣＫの伝送誤りが生じた場合、ＢＳ１において上りパイロット電力を基に伝搬環境の変動を判断し、その変動に応じて下りＡＣＫ／ＮＡＣＫ伝送の送信電力を制御（補正）する。【０４４０】
したがって、前記第１５実施形態と同様の効果ないし利点が得られるほか、ＡＣＫ／ＮＡＣＫ伝送特性をさらに改善して、ＡＣＫ／ＮＡＣＫ誤判定の発生率を低減することができる。【０４４１】
〔１７〕第１７実施形態
（ＨＳＰＡシステムへの適用例）
ＨＳＰＡシステムとは、端的にいうと前記のＨＳＤＰＡシステムとＨＳＵＰＡシステムとを統合したシステムに相当する。よって、上りＡＣＫ／ＮＡＣＫ送信及び下りＡＣＫ／ＮＡＣＫ送信に対して、既述の第１乃至第１３実施形態を適用することが可能である。【０４４２】
なお、ＨＳＤＰＡシステムにおけるＢＳ（ＵＥ）の構成は、それぞれ、各システムにおけるＢＳ（ＭＳ）の機能を組み合わせた構成に相当する。また、上りＡＣＫ／ＮＡＣＫ送信電力制御（補正）に着目した処理シーケンスは、第２実施形態（図６）と同様であり、下りＡＣＫ／ＮＡＣＫ送信電力制御（補正）に着目した処理シーケンスは第１５実施形態（図３９）と同様である。したがって、それぞれのシステムで述べた効果ないし利点が得られる。【０４４３】
ただし、ＨＳＰＡシステムでは、上りＣＱＩ及び下りＣＱＩがＢＳ１に集約されるから、上りＡＣＫ／ＮＡＣＫ送信電力制御に上りＣＱＩを用いることができる。したがって、下りＣＱＩを用いる場合よりも上り伝搬環境を精度良く推定することができるから、第５実施形態で説明した下りＣＱＩを用いた上りＡＣＫ／ＮＡＣＫ送信電力制御に比して、より高精度の電力制御が可能となる。【０４４４】
なお、上りＣＱＩ及び下りＣＱＩの双方（例えば、平均）を用いて、上り及び下りのＡＣＫ／ＮＡＣＫ送信電力のいずれか一方又は双方を制御することも可能である。【０４４５】
〔１８〕第１８実施形態
（ＬＴＥシステムへの適用例）
ＬＴＥシステムは、次世代移動通信システムとして３ＧＰＰにおいて検討が行なわれているシステムであり、前記のＨＳＤＰＡシステムやＨＳＵＰＡシステムと同様に、パケット伝送を実施し、パケット伝送に対してＡＣＫ／ＮＡＣＫ伝送を実施する（前記非特許文献９，１０，１１参照）。【０４４６】
ここで、ＬＴＥシステムでは、ＨＳＤＰＡシステム及びＨＳＵＰＡシステムに比して、多重方式が異なる。即ち、ＨＳＤＰＡシステム及びＨＳＵＰＡシステムではＣＤＭＡ方式を採用するのに対し、ＬＴＥシステムでは、上りはＯＦＤＭＡ（又はＯＦＤＭ）方式、下りはＳＣ（Single Carrier）−ＦＤＭＡを採用する。そのため、ＬＴＥシステムでは、ＣＤＭＡ方式における拡散処理、逆拡散処理は不要であり、ＦＦＴ処理及びＩＦＦＴ処理を用いる。【０４４７】
以下、既述のＡＣＫ／ＮＡＣＫ送信電力制御（補正）（例えば、第２実施形態）を、かかるＬＴＥシステムに適用する例について説明する。【０４４８】
図４１に、本発明の第１８実施形態に係るＬＴＥシステムにおける無線基地局（ＢＳ）の構成例、図４２に、本発明の第１８実施形態に係るＬＴＥシステムにおける無線端末（ＵＥ）の構成例をそれぞれ示す。【０４４９】
（ＢＳの説明）
図４１に示すＢＳ１は、例えば、送信バッファ１０と、符号化部１１と、変調部１２と、シリアル／パラレル（Ｓ／Ｐ）変換器１２ｂと、ＩＦＦＴ（Inverse Fast Fourier Transformer）１２ｃと、パラレル／シリアル（Ｐ／Ｓ）変換器１２ｄと、ガードインターバル（ＧＩ）挿入部１２ｅと、送信無線部１３と、アンテナ１４と、受信無線部１５と、ＧＩ除去部１６ｂと、Ｓ／Ｐ変換器１６ｃと、ＦＦＴ（Fast Fourier Transformer）１６ｄと、Ｐ／Ｓ変換器１６ｅと、復調部１６と、復号部１７と、ＡＣＫ／ＮＡＣＫ抽出部１８と、再送制御部１９と、スケジューラ２０と、制御信号生成部２１と、ＣＱＩ抽出部２２と、上りパイロット電力算出部２４と、送信電力制御部２５とをそなえる。【０４５０】
ここで、ＬＴＥシステムにおけるＢＳ１として特徴的な機能に着目して説明すると、送信系において、Ｓ／Ｐ変換器１２ｂは、符号化部１１で符号化され、変調部１２で変調された信号（下り信号）をサブキャリア数に応じた並列データ（シンボル）にシリアル／パラレル変換するものである。前記並列データ（サブキャリア信号）は、所定ポイント数（５１２等）のＩＦＦＴ１２ｃに入力されてマッピングされることで、周波数領域の配置が行なわれる。【０４５１】
ＩＦＦＴ１２ｃは、前記サブキャリア信号をＩＦＦＴ処理することによって、周波数領域の信号から時間領域の信号に変換するものである。【０４５２】
Ｐ／Ｓ変換器１２ｄは、ＩＦＦＴ１２ｃの出力をパラレル／シリアル変換して時系列に出力するものである。【０４５３】
ＧＩ挿入部１２ｅは、Ｐ／Ｓ変換器１２ｄの出力に対して、所定のシンボル（ＯＦＤＭシンボル）単位にガードインターバル（サイクリックプレフィクス）を挿入（付加）するものである。例えば、ＩＦＦＴ処理後の各ＯＦＤＭシンボルの一部を巡回的にコピーし、各ＯＦＤＭシンボルの先頭にサイクリックプレフィクス（ＣＰ）として挿入（付加）する。このＣＰは、シンボル間干渉を低減するガード区間としての役割をもつ。【０４５４】
一方、受信系において、ＧＩ除去部１６ｂは、受信無線部１５で処理された上り信号から、ＵＥ５側で送信信号（シンボル）に対して上記と同様にして挿入（付加）されたＧＩ（ＣＰ）を除去して、受信シンボルの有効信号成分（所定ポイント数のＦＦＴ対象のサンプル数）を抽出するものである。なお、有効信号成分の抽出区間（ＦＦＴウィンドウ）の開始タイミングは、受信信号と上りパイロット信号のレプリカ（パイロットレプリカ）との相関に基づいて検出することができる。【０４５５】
Ｓ／Ｐ変換器１６ｃは、ＧＩ除去部１６ｂからの前記有効信号成分を、ＦＦＴ１６ｄでのＦＦＴポイント数の並列データにシリアル／パラレル変換するものである。【０４５６】
ＦＦＴ１６ｄは、前記並列データに対して前記ＦＦＴポイント数のＦＦＴ処理を施して時間領域から周波数領域への信号に変換することにより、サブキャリア信号成分毎の受信信号を得るものである。【０４５７】
Ｐ／Ｓ変換器１６ｅは、このＦＦＴ１６ｄにより得られたサブキャリア信号をパラレル／シリアル変換して時系列に出力するものである。なお、その出力信号は、復調部１６と上りパイロット電力算出部２４とに入力される。【０４５８】
以上の構成により、ＢＳ１は、ＯＦＤＭＡ方式に準拠した下り信号の送信及び上り信号の受信を正しく行なうことができ、ＵＥ５が送信した上りＡＣＫ／ＮＡＣＫをＡＣＫ／ＮＡＣＫ抽出部１８にて抽出して、そのＡＣＫ／ＮＡＣＫに応じた再送制御を再送制御部１９により実施することができる。【０４５９】
（ＵＥの説明）
一方、図４２に示すＵＥ５は、例えば、アンテナ５１と、受信無線部５２と、ＧＩ除去部５３ｂと、Ｓ／Ｐ変換器５３ｃと、ＦＦＴ５３ｄと、Ｐ／Ｓ変換器５３ｅと、復調部５３と、復号部５４と、制御信号抽出部５５と、ＡＣＫ／ＮＡＣＫ誤判定検出部５６と、送信電力制御部５７と、ＡＣＫ／ＮＡＣＫ信号生成部５８と、再送制御部５８ａと、誤り検出部５８ｂと、符号化部５９と、変調部６０と、Ｓ／Ｐ変換器６０ｂと、ＩＦＦＴ６０ｃと、Ｐ／Ｓ変換器６０ｄと、送信無線部６１と、ＣＱＩ測定部６２と、ＣＱＩ信号生成部６３とをそなえる。【０４６０】
ここで、ＢＳ１と同様に、ＬＴＥシステムにおけるＵＥ１として特徴的な機能に着目して説明すると、受信系において、ＧＩ除去部５３ｂは、ＢＳ１側のＧＩ除去部１６ｂと同様に、受信無線部５２で処理された下り信号から、ＢＳ１（ＧＩ挿入部１２ｅ）において挿入されたＧＩを除去して、有効信号成分を抽出するものである。ＵＥ５での前記有効信号成分の抽出区間（ＦＦＴウィンドウ）の開始タイミングは、受信信号と下りパイロットレプリカとの相関に基づいて検出することができる。【０４６１】
Ｓ／Ｐ変換器５３ｃは、ＢＳ１側のＳ／Ｐ変換器１６ｃと同様に、ＧＩ除去部５３ｂからの前記有効信号成分を、ＦＦＴ５３ｄでのＦＦＴポイント数の並列データにシリアル／パラレル変換するものである。【０４６２】
ＦＦＴ５３ｄは、ＢＳ１側のＦＦＴ１６ｄと同様に、前記並列データに対して前記ＦＦＴポイント数のＦＦＴ処理を施して時間領域から周波数領域への信号に変換することにより、サブキャリア信号成分毎の受信信号を得るものである。【０４６３】
Ｐ／Ｓ変換器５３ｅは、ＢＳ１側のＰ／Ｓ変換器１６ｅと同様に、ＦＦＴ１６ｄにより得られたサブキャリア信号をパラレル／シリアル変換して時系列に出力するものである。なお、その出力信号は、復調部５３とＣＱＩ測定部６２とに入力される。【０４６４】
一方、送信系において、Ｓ／Ｐ変換器６０ｂは、符号化部５９で符号化され、変調部６０で変調された信号（上り信号）を、ＢＳ１側のＳ／Ｐ変換器１２ｂと同様に、サブキャリア数に応じた並列データ（シンボル）にシリアル／パラレル変換するものである。ＵＥ５においても、前記並列データ（サブキャリア信号）は、所定ポイント数（５１２等）のＩＦＦＴ５３ｃに入力されてマッピングされることで、周波数領域の配置が行なわれる。【０４６５】
ＩＦＦＴ６０ｃは、ＢＳ１側のＩＦＦＴ１２ｃと同様に、前記サブキャリア信号をＩＦＦＴ処理することによって、周波数領域の信号から時間領域の信号に変換するものである。【０４６６】
Ｐ／Ｓ変換器６０ｄは、ＢＳ１側のＰ／Ｓ変換器１２ｄと同様に、ＩＦＦＴ６０ｃの出力をパラレル／シリアル変換して時系列に出力するものである。【０４６７】
ＧＩ挿入部６０ｅは、ＢＳ１側のＧＩ挿入部１２ｅと同様に、Ｐ／Ｓ変換器６０ｄの出力に対して、所定のシンボル（ＯＦＤＭシンボル）単位にガードインターバル（サイクリックプレフィクス）を挿入（付加）するものである。【０４６８】
以上の構成により、ＵＥ５は、ＯＦＤＭＡ方式に準拠した上り信号の送信及び下り信号の受信を正しく行なうことができ、下り受信データに対するＢＳ１へのＡＣＫ／ＮＡＣＫ返信、ＣＱＩの測定、報告、ＢＳ１から受信した制御信号に応じた処理などを適切に実施することができる。【０４６９】
加えて、ＡＣＫ／ＮＡＣＫ誤判定検出部５６にてＡＣＫ／ＮＡＣＫ誤判定が検出された場合に、既述の実施形態と同様にして上りＡＣＫ／ＮＡＣＫ送信電力の制御（補正）を送信電力制御部５７によって実施することができる。その処理シーケンスについては、例えば、第２実施形態（図６）と同様である。また、下りＡＣＫ／ＮＡＣＫ伝送についてもＨＳＵＰＡシステムの場合と同様にして適用可能である。【０４７０】
ＬＴＥシステムでは、前記多重方式の相違により、ＨＳＤＰＡシステムに比べて、他セル干渉が大きくなることが懸念される。そのため、上りＡＣＫ／ＮＡＣＫ伝送特性が、ＨＳＤＰＡシステムよりも劣化する可能性があり、ＡＣＫ／ＮＡＣＫ誤判定の発生率が増加する可能性がある。したがって、前記ＡＣＫ／ＮＡＣＫ送信電力制御（補正）をＬＴＥシステムにおいて実施することは有用である。【０４７１】
また、ＬＴＥシステムでは、ＨＳＤＰＡシステム及びＨＳＵＰＡシステムにおけるような個別チャネルがない。既述の実施形態のように、個別チャネルの送信電力制御値を基にＡＣＫ／ＮＡＣＫ送信電力値を制御することを前提とすると、ＬＴＥシステムでは同等の制御を行なえない可能性がある。【０４７２】
しかし、既述の個別ＤＰＣＨを用いた電力制御は、ＤＰＣＨを構成するＤＰＣＣＨを用いて行なうため、少なくともＤＰＣＣＨに相当するチャネルが存在すれば問題ない。ＤＰＣＨが仮に存在しない場合でも、これに相当するチャネル、例えば、３ＧＰＰにおいて検討中のＣＣＣＨ（Common Control CHannel）を用いて同様の電力制御が可能である。【０４７３】
なお、ＬＴＥシステムにおいても、上り及び下りともパケット伝送であるから、既述のＨＳＰＡシステムへの適用と同様に、ＣＱＩを用いたＡＣＫ／ＮＡＣＫ送信電力制御の精度改善を図ることも可能である。【０４７４】
つまり、上りＡＣＫ／ＮＡＣＫ送信及び下りＡＣＫ／ＮＡＣＫ送信に対して、第１乃至第１６実施形態を適用することができ、それぞれと同様の効果ないし利点を得ることが可能である。【０４７５】
〔１９〕第１９実施形態
（ＡＣＫ／ＮＡＣＫ送信電力オフセットステップ可変）
第１実施形態にて前述したとおり、ＡＣＫ／ＮＡＣＫ送信電力制御を行なった後、再度、ＡＣＫ／ＮＡＣＫ誤判定が検出された場合（ＡＣＫ／ＮＡＣＫ伝送特性が改善されない）には、送信電力制御部２５，５７は、前回の送信電力値の制御量（ステップ幅）よりも大きな制御量で今回の送信電力値を制御することが可能である。【０４７６】
例えば、ＡＣＫ／ＮＡＣＫ送信電力補正値（ステップ幅）を当初は０．５ｄＢとし、補正後のＡＣＫ／ＮＡＣＫ送信電力にてＡＣＫ／ＮＡＣＫを送信しても、再度ＡＣＫ／ＮＡＣＫ誤判定が生じた場合、ステップ幅を０．５ｄＢ増加して１．０ｄＢとしてＡＣＫ／ＮＡＣＫを送信する。以降、正しく受信されるまでＡＣＫ／ＮＡＣＫ送信電力補正値を補正する。【０４７７】
つまり、ＡＣＫ／ＮＡＣＫ送信電力補正値の初期値を０．５ｄＢとして、以降、ＡＣＫ／ＮＡＣＫ誤判定が生じる毎に、ＡＣＫ／ＮＡＣＫ送信電力補正値を０．５ｄＢステップで可変（更新）する。【０４７８】
〔２０〕第２０実施形態
（ＡＣＫ／ＮＡＣＫ送信電力上限通知）
既述の実施形態において、ＵＥ５のＡＣＫ／ＮＡＣＫ送信電力値が上限に達してしまった場合は、その旨をＵＥ５からＢＳ１に対して通知する。この機能は、例えば、図８に示すＡＣＫ／ＮＡＣエラー信号生成部６４の機能と兼用にしてもよいし、個別の通知信号生成部をＵＥ５にそなえることで実現してもよい。【０４７９】
この通知を受けたＢＳ１は、ＡＣＫ／ＮＡＣＫ伝送に用いる変調方式や符号化方法等の送信方法を、伝送特性が改善される送信方法に変更し、その送信方法に関する情報を制御信号にてＵＥ５に通知する。例えば、変調方式をより多値数の小さい方式（１６ＱＡＭからＱＰＳＫ等）に変更したり、符号化率を下げて（１／３から１／６等）誤り訂正符号の冗長度を上げたりすることで、ＡＣＫ／ＮＡＣＫの伝送特性を改善することができる。【０４８０】
ＢＳ１での当該送信方法の変更は、例えば既述のスケジューラ２０にて行なうことができる。また、ＵＥ５からの前記通知は、例えば、図７に示すＡＣＫ／ＮＡＣＫ誤判定信号抽出部２３にて抽出してもよいし、個別の通知信号抽出部をＢＳ１にそなえて抽出することとしてもよい。【０４８１】
そして、ＵＥ５は、ＢＳ１から受信した前記制御信号を制御信号抽出部５５にて抽出し、その内容に従い、ＡＣＫ／ＮＡＣＫの送信方法を変更して、ＢＳ１にＡＣＫ／ＮＡＣＫを送信する。このＵＥ５での送信方法の変更は、符号化部５９や変調部６０の動作を制御することで実現できる。これらの動作を制御するのは、送信電力制御部５７でもよいし、個別の制御部でもよい。【０４８２】
以上により、ＵＥ５のＡＣＫ／ＮＡＣＫ送信電力値が上限に達した場合であっても、上りＡＣＫ／ＮＡＣＫの伝送特性を改善することができ、ＢＳ１でのＡＣＫ／ＮＡＣＫ誤判定の発生率を低減することができる。【０４８３】
なお、ＡＣＫ／ＮＡＣＫ送信電力値が下限に達した場合、その旨をＵＥ５からＢＳ１へ通知して、上記とは逆の送信方法の変更を実施してもよい。【０４８４】
〔２１〕第２１実施形態
（ＮＡＣＫをＡＣＫと誤判定した場合のＵＥの処理）
第１乃至第１３実施形態において、ＢＳ１がＵＥ５の送信したＮＡＣＫをＡＣＫと誤判定し、ＢＳ１からＵＥ５に対して新規データの送信を行ない、ＢＳ１においてＮＡＣＫをＡＣＫと誤判定したとＵＥ５が検出した場合、ＵＥ５は、前記ＮＡＣＫに対する下りデータの再送を受けていないから、受信した前記新規データに誤りがあるかないかに関わらず、ＢＳ１に対してＮＡＣＫを返送する。【０４８５】
つまり、ＵＥ５がＮＡＣＫを送信したにも関わらず、ＢＳ１がＡＣＫと誤って受信してしまった場合、ＵＥ５は、ＢＳ１に対して対象となった下りデータの再送を要求する。【０４８６】
あるいは、ＵＥ５は、受信した前記新規データに対しては何も返送しないこととしてもよい。その場合、ＢＳ１は、ＵＥ５から一定時間何もＵＥ５から返送されないことからＮＡＣＫと判断する。【０４８７】
以上により、ＮＡＣＫをＡＣＫと誤判定した場合のデータ欠落を防止することができる。【０４８８】
また、ＵＥ５は、受信した前記新規データの誤りの有無を判定し、当該新規データに対するＡＣＫ又はＮＡＣＫをＢＳ１に返送するとともに、前回の下りデータに対するＮＡＣＫを送信することとしてもよい。【０４８９】
その際、好ましくは、今回の新規データに対するＡＣＫ／ＮＡＣＫと、前回の下りデータに対するＮＡＣＫとを区別するための識別信号を付加する。また、今回の新規データに対するＡＣＫ／ＮＡＣＫと、前回の下りデータに対するＮＡＣＫとは、時分割多重や、周波数分割多重、符号分割多重して送信してもよい。【０４９０】
これにより、ＮＡＣＫをＡＣＫと誤判定した場合のデータ欠落を防止することができるとともに、ＢＳ１及びＵＥ５は、新規データに対する処理を進めることができる。【０４９１】
なお、上りデータに対するＢＳ１からＵＥ５への下りＡＣＫ／ＮＡＣＫ伝送に関しても、上記と同様の制御が可能である。
【図１】
2009034606.tif 000034
【図２】
2009034606.tif 000035
【図３】
2009034606.tif 000036
【図４】
2009034606.tif 000037
【図５】
2009034606.tif 000038
【図６】
2009034606.tif 000039
【図７】
2009034606.tif 000040
【図８】
2009034606.tif 000041
【図９】
2009034606.tif 000042
【図１０】
2009034606.tif 000043
【図１１】
2009034606.tif 000044
【図１２】
2009034606.tif 000045
【図１３】
2009034606.tif 000046
【図１４】
2009034606.tif 000047
【図１５】
2009034606.tif 000048
【図１６】
2009034606.tif 000049
【図１７】
2009034606.tif 000050
【図１８】
2009034606.tif 000051
【図１９】
2009034606.tif 000052
【図２０】
2009034606.tif 000053
【図２１】
2009034606.tif 000054
【図２２】
2009034606.tif 000055
【図２３】
2009034606.tif 000056
【図２４】
2009034606.tif 000057
【図２５】
2009034606.tif 000058
【図２６】
2009034606.tif 000059
【図２７】
2009034606.tif 000060
【図２８】
2009034606.tif 000061
【図２９】
2009034606.tif 000062
【図３０】
2009034606.tif 000063
【図３１】
2009034606.tif 000064
【図３２】
2009034606.tif 000065
【図３３】
2009034606.tif 000066
【図３４】
2009034606.tif 000067
【図３５】
2009034606.tif 000068
【図３６】
2009034606.tif 000069
【図３７】
2009034606.tif 000070
【図３８】
2009034606.tif 000071
【図３９】
2009034606.tif 000072
【図４０】
2009034606.tif 000073
【図４１】
2009034606.tif 000074
【図４２】
2009034606.tif 000075
【図４３】
2009034606.tif 000076
【図４４】
2009034606.tif 000077
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
無線送信装置と、前記無線送信装置から受信した信号に誤りが有るか無いかを示す受信結果確認情報を前記無線送信装置へ送信する無線受信装置とをそなえた無線通信システムの通信制御方法であって、
前記無線受信装置は、
前記無線送信装置へ送信した第１の受信結果確認情報と、その後に前記無線送信装置から受信した信号とに基づいて、前記無線送信装置が前記第１の受信結果確認情報を誤って受信したか否かを判定し、
その判定結果に応じて、前記無線送信装置へ送信する第２の受信結果確認情報の送信条件を制御する、
ことを特徴とする、無線通信システムの通信制御方法。
【請求項２】
無線送信装置と、前記無線送信装置から受信した信号に誤りが有るか無いかを示す受信結果確認情報を前記無線送信装置へ送信する無線受信装置とをそなえた無線通信システムの前記無線受信装置であって、
前記無線送信装置へ送信した第１の受信結果確認情報と、その後に前記無線送信装置から受信した信号とに基づいて、前記無線送信装置が前記第１の受信結果確認情報を誤って受信したか否かを判定する判定手段と、
前記判定手段での判定結果に応じて、前記無線送信装置へ送信する第２の受信結果確認情報の送信条件を制御する制御手段と、
をそなえたことを特徴とする、無線通信システムの無線受信装置。
【請求項３】
前記制御手段は、
前記判定手段にて、前記無線送信装置が前記第１の受信結果確認情報を誤って受信したと判定すると、前記第２の受信結果確認情報の送信電力を増加制御する、送信電力制御部を具備することを特徴とする、請求項２記載の無線通信システムにおける無線受信装置。
【請求項４】
前記制御手段は、
前記判定手段による判定結果を前記無線送信装置へ通知する通知手段を具備することを特徴とする、請求項２記載の無線通信システムの無線受信装置。
【請求項５】
前記送信電力制御部は、
前記無線装置から受信した、前記第２の受信結果確認情報の送信電力により他の無線受信装置による受信結果確認情報の送信に与える干渉に関する情報又は当該情報に基づく送信電力補正情報に基づいて、前記第２の受信結果確認情報の送信電力を制御する、
ことを特徴とする、請求項３記載の無線通信システムの無線受信装置。
【請求項６】
前記送信電力制御部は、
前記無線基地局から受信した信号を基に測定した無線回線特性情報、又は、当該無線回線特性情報を前記無線基地局に通知することにより前記無線基地局で求められ受信した送信電力補正情報に基づいて、前記第２の受信結果確認情報の送信電力を制御する、
ことを特徴とする、請求項３記載の無線通信システムの無線受信装置。
【請求項７】
前記送信電力制御部は、
前記第１の受信結果確認情報を送信した際の第１の無線回線特性情報と、前記第２の受信結果確認情報を送信する際の第２の無線回線特性情報との比較結果に基づいて、前記第２の受信結果確認情報の送信電力を制御する、
ことを特徴とする、請求項６記載の無線通信システムの無線受信装置。
【請求項８】
前記送信電力制御部は、
前記比較結果が無線回線特性の改善を示す場合には前記第２の無線回線特性情報に基づいて前記送信電力を制御し、
前記比較結果が無線回線特性の劣化を示す場合には前記第１の無線回線特性情報に基づいて前記送信電力を制御する、
ことを特徴とする、請求項７記載の無線通信システムの無線受信装置。
【請求項９】
前記送信電力制御部は、
前記判定手段にて、前記無線送信装置が前記第１の受信結果確認情報を誤って受信したと判定すると、その後に前記無線基地局から受信した信号のそれぞれに対する前記第２の受信結果確認情報の送信電力を制御する、
ことを特徴とする、請求項３記載の無線通信システムの無線受信装置。
【請求項１０】
前記送信電力制御部は、
前記判定手段にて、前記無線送信装置が前記第１の受信結果確認情報を誤って受信したと判定すると、その後に前記無線基地局から受信した信号に誤りがある場合にのみ、当該信号に対する前記第２の受信結果確認情報の送信電力を制御する、
ことを特徴とする、請求項３記載の無線通信システムの無線受信装置。
【手続補正２】
【補正対象書類名】明細書
【補正対象項目名】０４９１
【補正方法】変更
【補正の内容】
【０４９１】
なお、上りデータに対するＢＳ１からＵＥ５への下りＡＣＫ／ＮＡＣＫ伝送に関しても、上記と同様の制御が可能である。
以上の実施形態に関し、さらに以下の付記を開示する。
〔２２〕付記
（付記１）
無線送信装置と、前記無線送信装置から受信した信号に誤りが有るか無いかを示す受信結果確認情報を前記無線送信装置へ送信する無線受信装置とをそなえた無線通信システムの通信制御方法であって、
前記無線受信装置は、
前記無線送信装置へ送信した第１の受信結果確認情報と、その後に前記無線送信装置から受信した信号とに基づいて、前記無線送信装置が前記第１の受信結果確認情報を誤って受信したか否かを判定し、
その判定結果に応じて、前記無線送信装置へ送信する第２の受信結果確認情報の送信条件を制御する、
ことを特徴とする、無線通信システムの通信制御方法。
（付記２）
前記無線受信装置は、
前記無線送信装置が前記第１の受信結果確認情報を誤って受信したと判定すると、
前記第２の受信結果確認情報の送信電力を増加制御する、
ことを特徴とする、付記１記載の無線通信システムの通信制御方法。
（付記３）
前記無線受信装置は、
前記無線送信装置が前記第１の受信結果確認情報を誤って受信したと判定すると、
前記第２の受信結果確認情報の送信方法を、その伝送特性が改善される送信方法に変更する、
ことを特徴とする、付記１記載の無線通信システムの通信制御方法。
（付記４）
前記無線受信装置は、
前記第２の受信結果確認情報の多値変調方式を多値数の小さい変調方式に変更する、
ことを特徴とする、付記３記載の無線通信システムの制御方法。
（付記５）
前記無線受信装置は、
前記第２の受信結果確認情報の符号化率を低下する方向に制御する、
ことを特徴とする、付記３記載の無線通信システムの制御方法。
（付記６）
前記無線受信装置は、
前記判定結果を前記無線送信装置へ通知する、
ことを特徴とする、付記１記載の無線通信システムの通信制御方法。
（付記７）
前記無線受信装置は、
前記第２の受信結果確認情報の送信電力により他の無線受信装置による受信結果確認情報の送信に与える干渉に関する情報又は当該情報に基づく送信電力補正情報を前記無線送信装置から受信し、
前記干渉に関する情報又は前記送信電力補正情報に基づいて、前記第２の受信結果確認情報の送信電力を制御する、
ことを特徴とする、付記２記載の無線通信システムの通信制御方法。
（付記８）
前記無線受信装置は、
前記無線基地局から受信した信号を基に測定した無線回線特性情報、又は、当該無線回線特性情報を前記無線基地局に通知することにより前記無線基地局で求められ受信した送信電力補正情報に基づいて、前記第２の受信結果確認情報の送信電力を制御する、
ことを特徴とする、付記２記載の無線通信システムの通信制御方法。
（付記９）
前記無線受信装置は、
前記第１の受信結果確認情報を送信した際の第１の無線回線特性情報と、前記第２の受信結果確認情報を送信する際の第２の無線回線特性情報とを比較し、
その比較結果に基づいて、前記第２の受信結果確認情報の送信電力を制御する、
ことを特徴とする、付記５記載の無線通信システムの通信制御方法。
（付記１０）
前記無線受信装置は、
前記比較結果が無線回線特性の改善を示す場合には前記第２の無線回線特性情報に基づいて前記送信電力を制御し、
前記比較結果が無線回線特性の劣化を示す場合には前記第１の無線回線特性情報に基づいて前記送信電力を制御する、
ことを特徴とする、付記９記載の無線通信システムの通信制御方法。
（付記１１）
前記無線受信装置は、
前記無線送信装置が前記第１の受信結果確認情報を誤って受信したと判定すると、その後に前記無線基地局から受信した信号のそれぞれに対する前記第２の受信結果確認情報の送信電力を制御する、
ことを特徴とする、付記２記載の無線通信システムの通信制御方法。
（付記１２）
前記無線受信装置は、
前記無線送信装置が前記第１の受信結果確認情報を誤って受信したと判定すると、その後に前記無線基地局から受信した信号に誤りがある場合にのみ、当該信号に対する前記第２の受信結果確認情報の送信電力を制御する、
ことを特徴とする、付記２記載の無線通信システムの通信制御方法。
（付記１３）
前記無線受信装置は、
前記無線送信装置が前記第１の受信結果確認情報を誤って受信したと判定すると、前記受信結果確認情報以外の情報であって前記無線送信装置へ送信すべき情報の送信電力も制御する、
ことを特徴とする、付記２記載の無線通信システムの通信制御方法。
（付記１４）
前記無線受信装置は、
誤り無しを示す前記第１の受信結果確認情報を、前記無線送信装置が誤り有りを示す情報と誤って受信した、と判定した場合に、前記無線送信装置から再送されてきた信号の受信処理を停止する、
ことを特徴とする、付記１記載の無線通信システムの通信制御方法。
（付記１５）
前記無線受信装置は、
誤り有りを示す前記第２の受信結果確認情報と、誤り無しを示す前記第２の受信結果確認情報とで個別に前記送信電力を制御する、
ことを特徴とする、付記１記載の無線通信システムの通信制御方法。
（付記１６）
前記無線受信装置は、
前記送信電力が上限に達すると、前記第２の受信結果確認情報の送信方法を、その伝送特性が改善される送信方法に変更する、
ことを特徴とする、付記２記載の無線通信システムの通信制御方法。
（付記１７）
前記無線送信装置は、無線基地局であり、前記無線受信装置は、無線端末である、ことを特徴とする、付記１記載の無線通信システムの通信制御方法。
（付記１８）
前記無線送信装置は、無線端末であり、前記無線受信装置は、無線基地局である、ことを特徴とする、付記１記載の無線通信システムの通信制御方法。
（付記１９）
無線送信装置と、前記無線送信装置から受信した信号に誤りが有るか無いかを示す受信結果確認情報を前記無線送信装置へ送信する無線受信装置とをそなえた無線通信システムの前記無線受信装置であって、
前記無線送信装置へ送信した第１の受信結果確認情報と、その後に前記無線送信装置から受信した信号とに基づいて、前記無線送信装置が前記第１の受信結果確認情報を誤って受信したか否かを判定する判定手段と、
前記判定手段での判定結果に応じて、前記無線送信装置へ送信する第２の受信結果確認情報の送信条件を制御する制御手段と、
をそなえたことを特徴とする、無線通信システムの無線受信装置。
（付記２０）
前記制御手段は、
前記判定手段にて、前記無線送信装置が前記第１の受信結果確認情報を誤って受信したと判定すると、前記第２の受信結果確認情報の送信電力を増加制御する、送信電力制御部を具備することを特徴とする、付記１９記載の無線通信システムにおける無線受信装置。
（付記２１）
前記制御手段は、
前記判定手段にて、前記無線送信装置が前記第１の受信結果確認情報を誤って受信したと判定すると、前記第２の受信結果確認情報の送信方法を、その伝送特性が改善される送信方法に変更する、送信方法制御部を具備することを特徴とする、付記１９記載の無線通信システムの無線受信装置。
（付記２２）
前記送信方法制御部は、
前記第２の受信結果確認情報の多値変調方式を多値数の小さい変調方式に変更する、
ことを特徴とする、付記２１記載の無線通信システムの無線受信装置。
（付記２３）
前記送信方法制御部は、
前記第２の受信結果確認情報の符号化率を低下する方向に制御する、
ことを特徴とする、付記２１記載の無線通信システムの無線受信装置。
（付記２４）
前記制御手段は、
前記判定手段による判定結果を前記無線送信装置へ通知する通知手段を具備することを特徴とする、付記１９記載の無線通信システムの無線受信装置。
（付記２５）
前記送信電力制御部は、
前記無線装置から受信した、前記第２の受信結果確認情報の送信電力により他の無線受信装置による受信結果確認情報の送信に与える干渉に関する情報又は当該情報に基づく送信電力補正情報に基づいて、前記第２の受信結果確認情報の送信電力を制御する、
ことを特徴とする、付記２０記載の無線通信システムの無線受信装置。
（付記２６）
前記送信電力制御部は、
前記無線基地局から受信した信号を基に測定した無線回線特性情報、又は、当該無線回線特性情報を前記無線基地局に通知することにより前記無線基地局で求められ受信した送信電力補正情報に基づいて、前記第２の受信結果確認情報の送信電力を制御する、
ことを特徴とする、付記２０記載の無線通信システムの無線受信装置。
（付記２７）
前記送信電力制御部は、
前記第１の受信結果確認情報を送信した際の第１の無線回線特性情報と、前記第２の受信結果確認情報を送信する際の第２の無線回線特性情報との比較結果に基づいて、前記第２の受信結果確認情報の送信電力を制御する、
ことを特徴とする、付記２６記載の無線通信システムの無線受信装置。
（付記２８）
前記送信電力制御部は、
前記比較結果が無線回線特性の改善を示す場合には前記第２の無線回線特性情報に基づいて前記送信電力を制御し、
前記比較結果が無線回線特性の劣化を示す場合には前記第１の無線回線特性情報に基づいて前記送信電力を制御する、
ことを特徴とする、付記２７記載の無線通信システムの無線受信装置。
（付記２９）
前記送信電力制御部は、
前記判定手段にて、前記無線送信装置が前記第１の受信結果確認情報を誤って受信したと判定すると、その後に前記無線基地局から受信した信号のそれぞれに対する前記第２の受信結果確認情報の送信電力を制御する、
ことを特徴とする、付記２０記載の無線通信システムの無線受信装置。
（付記３０）
前記送信電力制御部は、
前記判定手段にて、前記無線送信装置が前記第１の受信結果確認情報を誤って受信したと判定すると、その後に前記無線基地局から受信した信号に誤りがある場合にのみ、当該信号に対する前記第２の受信結果確認情報の送信電力を制御する、
ことを特徴とする、付記２０記載の無線通信システムの無線受信装置。
（付記３１）
前記送信電力制御部は、
前記判定手段にて、前記無線送信装置が前記第１の受信結果確認情報を誤って受信したと判定すると、前記受信結果確認情報以外の他の情報を前記無線送信装置へ送信する際の送信電力も制御する、
ことを特徴とする、付記２０記載の無線通信システムの無線受信装置。
（付記３２）
前記制御手段は、
前記判定手段が、誤り無しを示す前記第１の受信結果確認情報を、前記無線送信装置が誤り有りを示す情報と誤って受信した、と判定した場合に、前記無線送信装置から再送されてきた信号の受信処理を停止する受信制御手段を具備することを特徴とする、付記１９記載の無線通信システムの無線受信装置。
（付記３３）
前記送信電力制御部は、
誤り有りを示す前記第２の受信結果確認情報と、誤り無しを示す前記第２の受信結果確認情報とで個別に前記送信電力を制御する、
ことを特徴とする、付記２０記載の無線通信システムの無線受信装置。
（付記３４）
前記制御手段は、
前記送信電力が上限に達すると、前記第２の受信結果確認情報の送信方法を、その伝送特性が改善される送信方法に変更する、送信方法制御部を具備することを特徴とする、付記１９記載の無線通信システムの無線受信装置。
【国際調査報告】
2009034606.tif 000078
2009034606.tif 000079
2009034606.tif 000080
2009034606.tif 000081